(57)【要約】  スマートメータ（３００）とピアツーピアおよび非ピアツーピア通信プロトコルを選択的に使用してパーソナルコントローラと通信するように構成可能なワイヤレス通信モジュール（２０２）を含むホームオートメーションデバイス（２４）とにパーソナルコントローラ（１０）をリンクするためのデバイス（２００）。本デバイスはまた、スマートメータおよびホームオートメーションデバイスとの通信のために動作可能なローカルネットワーク通信モジュール（２０６）を含む。本デバイスは、エネルギ使用データをローカルに記憶することなしにエネルギ使用をレポートするようになされる。
2017529022.tif 000002
【特許請求の範囲】
【請求項１】
パーソナルコントローラをスマートメータおよびホームオートメーションデバイスにリンクするためのデバイスであって、前記パーソナルコントローラがプロセッサ、ユーザインターフェース、およびワイヤレス通信トランシーバを有し、前記スマートメータが電力潮流を少なくとも測定するように構成され、前記デバイスが、
前記パーソナルコントローラとのワイヤレス通信のために動作可能なワイヤレス通信モジュールであり、前記ワイヤレス通信モジュールが無線トランシーバを含み、前記ワイヤレス通信モジュールが少なくとも２つの異なるモードで前記パーソナルコントローラとワイヤレスに通信するように構成され、前記モードのうちの第１のモードがピアツーピア通信モードであり、前記モードのうちの第２のモードが非ピアツーピア通信モードである、前記ワイヤレス通信モジュールと、
前記スマートメータのそれぞれとのおよび前記ホームオートメーションデバイスとの通信のために動作可能なローカルネットワーク通信モジュールであり、前記ローカルネットワーク通信モジュールがワイヤレスパーソナルエリアネットワークを操作するように構成された無線トランシーバを含み、前記ローカルネットワーク通信モジュールが第１のアプリケーションプロファイルを使用して前記スマートメータと通信するように構成され、前記ローカルネットワーク通信モジュールが前記第１のアプリケーションプロファイルとは異なる第２のアプリケーションプロファイルを使用して前記ホームオートメーションデバイスと通信するように構成された、前記ローカルネットワーク通信モジュールと、
前記ワイヤレス通信モジュールを介して前記パーソナルコントローラから通信される命令に少なくとも部分的に基づいて前記スマートメータのそれぞれおよび前記ホームオートメーションデバイスに前記ローカルネットワーク通信モジュールを介してアクセスするように構成されたマイクロコントローラであり、前記デバイス内にエネルギ使用データを記憶することなく前記エネルギ使用データをレポートするように構成された前記マイクロコントローラと
を備える、デバイス。
【請求項２】
前記ローカルネットワーク通信モジュールが、ＩＥＥＥ８０２．１５シリーズ通信規格に基づくワイヤレスパーソナルエリアネットワーク通信仕様のみを使用して前記スマートメータと通信するように構成された、請求項１に記載のデバイス。
【請求項３】
前記ワイヤレスパーソナルエリアネットワークが、ジグビーを使用する、請求項１または２に記載のデバイス。
【請求項４】
前記第１のアプリケーションプロファイルが、ジグビースマートエネルギを含む、請求項３に記載のデバイス。
【請求項５】
前記第２のアプリケーションプロファイルが、ジグビーホームオートメーションを含む、請求項３または４に記載のデバイス。
【請求項６】
前記第２のアプリケーションプロファイルが、ジグビーライトリンクを含む、請求項３または４に記載のデバイス。
【請求項７】
前記マイクロコントローラが、ネットワーク鍵を使用して前記スマートメータと通信して前記デバイスと前記スマートメータとの間の安全なネットワークを形成するように構成された、請求項１から６のいずれか一項に記載のデバイス。
【請求項８】
前記マイクロコントローラが、ＳｏｆｔＡＰを使用して前記パーソナルコントローラとのピアツーピアワイヤレス通信リンクを開くように構成された、請求項１から７のいずれか一項に記載のデバイス。
【請求項９】
本線電力線に前記デバイスを物理的に接続するためのインターフェース接続をさらに備え、前記インターフェース接続が本線電力コンセントとのプラグおよびソケット係合向けに構成された、請求項１から８のいずれか一項に記載のデバイス。
【請求項１０】
前記デバイスを本線電力線に物理的に接続するためのインターフェース接続をさらに備え、前記インターフェース接続が前記本線電力線に直接ワイヤ接続するように構成されたターミナルブロックを含む、請求項１から８のいずれか一項に記載のデバイス。
【請求項１１】
前記ローカルネットワーク通信モジュールが、前記第１のアプリケーションプロファイルを使用して前記スマートメータと通信するおよび前記第２のアプリケーションプロファイルを使用して前記ホームオートメーションデバイスと通信するように構成された単一無線を含む、請求項１から１０のいずれか一項に記載のデバイス。
【請求項１２】
前記ローカルネットワーク通信モジュールが、前記第１のアプリケーションプロファイルを使用して前記スマートメータと通信するように構成された第１の無線と、前記第２のアプリケーションプロファイルを使用して前記ホームオートメーションデバイスと通信するように構成された第２の無線とを含む、請求項１から１０のいずれか一項に記載のデバイス。
【請求項１３】
前記モジュールが、少なくとも３つの無線トランシーバを集合的に含む、請求項１に記載のデバイス。
【請求項１４】
前記モジュールが、少なくとも４つの無線トランシーバを集合的に含む、請求項１に記載のデバイス。
【請求項１５】
前記無線トランシーバのうちの少なくとも３つが、ＩＥＥＥ通信規格に基づく異なる通信仕様を使用して通信するように各々構成された、請求項１４に記載のデバイス。
【請求項１６】
前記無線トランシーバのうちの少なくとも２つが、ＩＥＥＥ通信規格に基づく同通信仕様を使用して通信するように構成された、請求項１４または１５に記載のデバイス。
【請求項１７】
前記モジュールが、少なくとも４つの異なる通信規格を使用して通信するように集合的に構成された、請求項１４から１６のいずれか一項に記載のデバイス。
【請求項１８】
前記デバイスの前記マイクロコントローラが、並行して前記第１のアプリケーションプロファイルおよび前記第２のアプリケーションプロファイルの両方を使用して前記ローカルネットワーク通信モジュールを動作させるように構成された、請求項１から１７のいずれか一項に記載のデバイス。
【請求項１９】
前記ローカルネットワーク通信モジュールの前記無線トランシーバが、各アプリケーションプロファイルの異なるパーソナルエリアネットワークを動作させるように構成された、請求項１から１０のいずれか一項に記載のデバイス。
【請求項２０】
前記ローカルネットワーク通信モジュールの前記無線トランシーバが、前記第１のアプリケーションプロファイルの第１のパーソナルエリアネットワークおよび前記第２のアプリケーションプロファイルの第２のパーソナルエリアネットワークを動作させるように構成された、請求項１から１０のいずれか一項に記載のデバイス。
【請求項２１】
前記マイクロコントローラが、前記ワイヤレス通信モジュールおよび／または前記ローカルネットワーク通信モジュールから送信された無線伝送を順番付けるように構成された、請求項１から２０のいずれか一項に記載のデバイス。
【請求項２２】
パーソナルコントローラで、ホームオートメーションデバイスおよび電力潮流を少なくとも測定するように構成された電気管理ユニットにアクセスするための方法であって、
電気管理ユニットにもしくはその近くにあるアクセスアドミニストレータデバイスで前記パーソナルコントローラからのコマンドを受信して前記ホームオートメーションデバイスおよび前記電気管理ユニットのうちの少なくとも１つにアクセスする工程であって、前記コマンドが第１の通信規格を使用して前記アクセスアドミニストレータデバイスによって受信される工程と、
前記パーソナルコントローラから送信された前記コマンドが前記ホームオートメーションデバイスを対象としたものか前記電気管理ユニットを対象としたものかを前記アクセスアドミニストレータデバイスで判定する工程と、
ワイヤレスパーソナルエリアネットワークを使用して前記電気管理ユニットに、前記アクセスアドミニストレータデバイスで、ローカルコマンドを送信する工程であり、前記パーソナルコントローラからの前記コマンドが前記電気管理ユニットを対象とするものであると判定された場合、前記ローカルコマンドは、第１のアプリケーションプロファイルを使用して送信され、そうではなく、前記パーソナルコントローラからの前記コマンドが前記ホームオートメーションデバイスを対象とするものであると判定された場合、前記第１のアプリケーションプロファイルとは異なる第２のアプリケーションプロファイルを使用して前記ホームオートメーションデバイスに、前記アクセスアドミニストレータデバイスで、前記ローカルコマンドを送信する工程と
を備える、方法。
【請求項２３】
前記ワイヤレスパーソナルエリアネットワークが、ジグビーを使用する、請求項２２に記載の方法。
【請求項２４】
前記第１のアプリケーションプロファイルが、ジグビースマートエネルギを含む、請求項２２または２３に記載の方法。
【請求項２５】
前記第２のアプリケーションプロファイルが、ジグビーホームオートメーションを含む、請求項２２から２４のいずれか一項に記載の方法。
【請求項２６】
前記第２のアプリケーションプロファイルが、ジグビーライトリンクを含む、請求項２２から２４のいずれか一項に記載の方法。
【請求項２７】
その電力潮流が前記電気管理ユニットによって測定されるデバイスまたはシステムを識別する工程と、前記電気管理ユニットに前記アクセスアドミニストレータデバイスでコマンドを送信して識別された前記デバイスまたはシステムに前記電力潮流を変更する工程とをさらに備える、請求項２２から２６のいずれか一項に記載の方法。
【請求項２８】
前記電気管理ユニットが、スマートメータである、請求項２２から２７のいずれか一項に記載の方法。
【請求項２９】
前記ホームオートメーションデバイスが、電力制御ユニットを含み、前記電力制御ユニットに接続された電気デバイスまたはシステムに本線電力接続から電力を変更する工程をさらに備える、請求項２２から２８のいずれか一項に記載の方法。
【請求項３０】
前記アクセスアドミニストレータデバイスにおいてエネルギ使用データを記憶することなしに前記パーソナルコントローラに前記エネルギ使用データをレポートする工程をさらに備える、請求項２２から２９のいずれか一項に記載の方法。
【請求項３１】
前記アクセスアドミニストレータデバイスに由来する無線伝送を順番付ける工程をさらに備える、請求項２２から３０のいずれか一項に記載の方法。
【請求項３２】
スマートメータによって測定されたエネルギ使用に基づいてホームオートメーションデバイスのネットワークを制御するためのシステムであって、
スマートフォンと通信するように構成された少なくとも１つの無線を有するデュアルモードのワイヤレス通信モジュールを含むアクセスアドミニストレータであり、前記ホームオートメーションデバイスのネットワークと通信するように構成された少なくとも１つのジグビー無線を含むローカル通信モジュールを含む前記アクセスアドミニストレータと、
クラウドベースのプラットフォームを動作させるように構成されたコンピュータプロセッサであり、前記プロセッサが、前記アクセスアドミニストレータおよび／または前記スマートフォンからデータを受信するように構成され、前記プラットフォームプロセッサが、前記プラットフォームプロセッサとエンティティによって制御されるプロセッサとの間の媒介デバイスとして前記スマートメータを使用することなく前記エンティティによって制御される前記プロセッサとデータを通信するように構成された、前記プロセッサと
を備える、システム。
【請求項３３】
前記プラットフォームプロセッサが、前記スマートメータにアクセスするための暗号化されたセキュリティ鍵を取得し、前記鍵を前記アクセスアドミニストレータに送信するように構成された、請求項３２に記載のシステム。
【発明の詳細な説明】
【技術分野】
【０００１】
[0001]  本開示は、標準的スマートフォン、タブレット、ノート型パソコン、ラップトップ、ネットブック、ウルトラブックコンピュータおよび同様の品物を使用して適応性のあるワイヤレス通信リンクを介して電気管理ユニットおよびホームオートメーション製品のための通信、データ処理、制御およびヒューマンインターフェースの機能を果たす家庭および商用アプリケーションにおける本線電力の電力メトリックスの分析および制御に関する。
【背景技術】
【０００２】
[0002]  電力メータは、家庭および商用建物の共通の部分である。近年、スマートメータとして知られるデバイスの実装を介して、本線電力を測定および制御するために使用される技術は大きく発展した。スマートメータは、通常は、監視および請求を目的として電気の消費量を記録し、このデータを遠隔地へ転送するリアルタイムのまたはほぼリアルタイムのセンサを内蔵する。スマート計量は、時間とともに詳細なメトリックスを提供することができ、瞬間的需要および関連発電コストにリンクした段階的料金を公益事業体が請求することを可能にする。より粒度の細かい測定性能とともに、顧客が自身の電気消費量をよりよく追跡し、ピーク時の負荷を削減し、家庭のおよび建物のオートメーションデバイスをより便利に制御することを可能にするプラットフォームを提供することは、公益事業体にとって望ましい。
【０００３】
[0003]  近年、スマートフォンの急増により、人々は強力なコンピューティングデバイスを手にした。これらのデバイスは、ワイヤレスコマンドを生成および送信することができるが、それらの一般的ワイヤレスシステムは、家庭または商用のスマートメータおよび広範な家庭および建物のオートメーション製品において現在使用される規格と互換性がなく、したがって、それらは、情報またはコマンドを交換するために、そのようなデバイスと通信することが元来できない。
【発明の概要】
【課題を解決するための手段】
【０００４】
[0004]  例示的一実施形態では、本システムは、３つの構成要素を使用する：パーソナルコントローラとのワイヤレス通信のために動作可能なワイヤレス通信モジュール、および、電気管理ユニットおよびホームオートメーションデバイスとの通信のために動作可能なローカルネットワーク通信モジュールを有するアクセスアドミニストレータと、ワイヤレス通信リンクを介してアクセスアドミニストレータと通信することができる電池式のパーソナルコントローラと、パーソナルコントローラおよびアクセスアドミニストレータとデータを交換する能力を有するサービスプラットフォーム。本明細書において「好ましい」または「好ましくは」とされるものは、単に例示を意図されていることが、理解されよう。
【０００５】
[0005]  それらが通常、特にピーク時に、消費するであろうものから消費者による電気の消費量を変えるために使用される任意のプロセスまたは機構は、通常は、需要応答と称され、その定義が本明細書において採用される。需要応答機構の一例は、接続された電力制御デバイスまたは器具にピーク消費期間中の負荷の削減の一環として電源を切らせる電力会社通信ネットワークにわたるトリガメッセージの伝搬である。
【０００６】
[0006]  本明細書で、「ホームオートメーションデバイス」という用語は、建物オートメーションデバイスを含み、世帯活動の実行または建物のサービスおよびシステムの部分の制御においてワイヤレスまたはワイヤード通信リンクを介して制御、プログラム、問合せが行われ得る任意の製品、機器、器具またはシステムを指す。例は、接続されたまたは「スマートな」以下を含むが、これらに制限されない：ガレージの扉およびゲート機構と、照明システムと、ライトと、電動式カーテン、ブラインド、オーニングおよび映写幕と、プールろ過システムと、ポンプと、水の流れを調整する灌漑デバイスと、暖房、換気および空調システムと、サーモスタットと、天井扇風機と、セキュリティシステムと、センサと、湯沸かし器と、ビデオおよびスチールカメラと、家庭用娯楽および音楽システムと、ロボットと、監視システムと、ドアロックと、器具と、白物家電と、電力制御デバイス。電力制御デバイスの例は、各出願の全内容が参照により本明細書に組み込まれている、２０１１年１２月２９日に出願したＰＣＴ出願ＰＣＴ／ＡＵ２０１１／００１６６６号、題名「Ｗｉｒｅｌｅｓｓ  Ｐｏｗｅｒ，Ｌｉｇｈｔ  ａｎｄ  Ａｕｔｏｍａｔｉｏｎ  Ｃｏｎｔｒｏｌ」、および、２０１４年１０月２８日に出願したＰＣＴ出願ＰＣＴ／ＡＵ２０１４／００１００７号、題名「Ａｄａｐｔａｂｌｅ  Ｍｕｌｔｉ−Ｍｏｄｅ  Ｗｉｒｅｌｅｓｓ  Ｐｏｗｅｒ，  Ｌｉｇｈｔ  ａｎｄ  Ａｕｔｏｍａｔｉｏｎ」においてさらに詳しく説明されている。アクセスアドミニストレータによって制御することができる接続された照明の例は、そのすべての内容が参照により本明細書に組み込まれている、２０１４年３月１４日に出願したＰＣＴ出願ＰＣＴ／ＡＵ２０１４／０００２８３号、題名「Ｗｉｒｅｌｅｓｓ  Ｌｉｇｈｔ  Ｐａｉｒｉｎｇ，Ｄｉｍｍｉｎｇ  ａｎｄ  Ｃｏｎｔｒｏｌ」においてさらに詳しく説明されている。
【０００７】
[0007]  アクセスアドミニストレータは、好ましくは、次のようにワイヤレスに動作するように構成される：個々にまたは並行して、Ｗｉ−Ｆｉダイレクトおよび／またはネットワークＷｉ−Ｆｉ通信技術を使用する、適応性のあるＷｉ−ＦｉダイレクトおよびネットワークＷｉ−Ｆｉデバイスとして、ならびに、任意選択により、Ｂｌｕｅｔｏｏｔｈローエネルギ、Ｂｌｕｅｔｏｏｔｈ  ４．ＸおよびＣＳＲＭｅｓｈなどのメッシングプロトコルを含む、Ｂｌｕｅｔｏｏｔｈ  ＳＩＧクラス２．１＋ＥＤＲ以降の通信技術を使用するＢｌｕｅｔｏｏｔｈデバイスとして。
【０００８】
[0008]  本明細書で、「ネットワークＷｉ−Ｆｉ」は、従来のインフラストラクチャモードＷｉ−Ｆｉネットワークの加入または作成において使用される任意のＷｉ−Ｆｉ技法、トポロジ、技術、プロトコル、規格または仕様を指し、任意の修正、拡張または独自仕様の実装形態を含む「電気電子技術者協会（Institute of Electrical and Electronic Engineers: IEEE）８０２．１１規格に基づく任意のワイヤレスローカルエリアネットワーク（WLAN）製品」としてのＷｉ−Ｆｉアライアンス定義を含む。本明細書で、「Ｗｉ−Ｆｉダイレクト」という用語は、Ｗｉ−ＦｉアライアンスＷｉ−Ｆｉダイレクト仕様およびＷｉ−Ｆｉピアツーピア技術の任意の修正、拡張または独自仕様の実装形態をサポートするように構成されたデバイスを指す。Ｗｉ−Ｆｉダイレクト仕様は、ピアツーピア通信リンクを形成するようになされたＩＥＥＥ８０２．１１インフラストラクチャモードの要素を使用し、それを基礎とする。本明細書で、「グループ参加者」という用語は、Ｗｉ−Ｆｉダイレクト交渉の結果、Ｗｉ−Ｆｉダイレクト自律グループのグループオーナーインテント値または構成に応じてグループオーナーまたはＰ２ＰクライアントとしてＷｉ−Ｆｉ  Ｐ２Ｐグループに参加し得るＷｉ−Ｆｉ  Ｐ２Ｐデバイスを指す。本出願で、「Ｗｉ−Ｆｉアクセスポイントのシミュレート」という用語は、ネットワークＷｉ−Ｆｉデバイスがピアツーピア通信リンクの確立においてクライアントとして接続できるようにすることを目的としたワイヤレスインフラストラクチャアクセスポイントとして構成されたデバイスを指し、ソフトウェア対応アクセスポイントまたは仮想ルータとして実装され得る。この機構を介して、ピアツーピア通信リンクは、Ｗｉ−Ｆｉのアドホック／ＩＢＳＳ（Independent Basic Service Set）モードを使用せずにＷｉ−Ｆｉのインフラストラクチャモードを使用して確立され得る。
【０００９】
[0009]  Ｗｉ−ＦｉダイレクトおよびＢｌｕｅｔｏｏｔｈは、ピアツーピア対応通信技術である。アクセスアドミニストレータに組み込むことができるピアツーピア通信方法および制御態様は、２０１１年１２月２９日に出願したＰＣＴ出願ＰＣＴ／ＡＵ２０１１／００１６６６号、題名「Ｗｉｒｅｌｅｓｓ  Ｐｏｗｅｒ，  Ｌｉｇｈｔ  ａｎｄ  Ａｕｔｏｍａｔｉｏｎ  Ｃｏｎｔｒｏｌ」においてより詳しく説明されている。ネットワークＷｉ−Ｆｉは、デバイスがＷＬＡＮを介して通信することを可能にする通信技術である。アクセスアドミニストレータに組み込むことができる適応性のあるネットワーク、ピアツーピア通信方法およびシステム属性は、その全内容が参照により本明細書に組み込まれている、ＰＣＴ出願ＰＣＴ／ＡＵ２０１４／００１００７号（前述）、および、２０１２年８月１５日に出願した、ＰＣＴ出願ＰＣＴ／ＡＵ２０１２／０００９５９号、題名「Ａｄａｐｔａｂｌｅ  Ｗｉｒｅｌｅｓｓ  Ｐｏｗｅｒ，Ｌｉｇｈｔ  ａｎｄ  Ａｕｔｏｍａｔｉｏｎ  Ｓｙｓｙｔｅｍ」においてさらに詳しく説明されている。
【００１０】
[0010]  １つの好ましい実施形態では、アクセスアドミニストレータは、好ましくは、スマートメータ、サブメータまたは間隔メータなど、電気管理ユニットから本線レベル電力を受け取るようにおよびそれとデータを交換するように設計された物理インターフェースを含む。アクセスアドミニストレータおよび電気管理ユニットは、好ましくは、電力線通信を手段として通信し、変調されたキャリア信号を本線電力配線に印加するための必要な能力を含む。サポートされる電力線通信は、本線電力配線を使用するアクセスアドミニストレータと電気管理ユニットとの間の通信を円滑にする任意のプロトコル、規格または仕様を手段とし得る。１つの好ましい実施形態では、電力線通信は、次のうちの１つまたは複数を組み込み得る：任意の修正、拡張、改訂または独自仕様の実装形態を含む、ホームプラグパワーラインアライアンスホームプラグ規格または仕様、ＩＥＥＥ１９０１、１９０１．１および／または１９０１．２規格または仕様、および／または、ＩＴＵ−ＴのＧ．ｈｎ規格または仕様。他の適切なプロトコル、規格または仕様は、ユニバーサルパワーラインアソシエーション（Universal Powerline Association）、ＳｉＣｏｎｎｅｃｔ、ＨＤ−ＰＬＣアライアンス、Ｘｓｉｌｏｎおよびパワーラインインテリジェントメータリングエボリューションアライアンス（Powerline Intelligent Metering Evolution Alliance）からのものを含み得るが、これらに制限されない。アクセスアドミニストレータに組み込まれ得る電力線通信、制御方法およびシステム属性は、その開示全体が参照により本明細書に組み込まれている、２０１３年１０月８日に出願したＰＣＴ出願ＰＣＴ／ＡＵ２０１３／００１１５７号、題名「Ｗｉｒｅｌｅｓｓ  Ｐｏｗｅｒ  Ｃｏｎｔｒｏｌ  ａｎｄ  Ｍｅｔｒｉｃｓ」においてより詳しく説明されている。それが望ましい場合、電力線通信は、ホームオートメーションデバイスと通信するために使用され得る。
【００１１】
[0011]  １つの好ましい実施形態では、電力線通信に加えて、または電力線通信の代わりに、アクセスアドミニストレータは、好ましくは、次のうちの１つまたは複数を含む、適切なパーソナルエリアネットワーク（PAN）またはホームエリアネットワーク（HAN）ワイヤレス通信技術、プロトコル、規格、アプリケーションプロファイルまたは仕様の任意の組合せを介して、電気管理ユニットおよび／またはホームオートメーションデバイスとのワイヤレス通信をサポートするために、必要なハードウェアおよび回路を含み得る：任意の修正、拡張、改訂または独自仕様の実装形態を含む、任意のジグビープロトコル、アプリケーションプロファイル、ジグビーアライアンスによって公開された規格または仕様、ＷＩ−ＳＵＮアライアンスによって公開された任意のプロトコル、規格または仕様、ＩＥＥＥ８０２．１５．４を含むがこれに制限されないＩＥＥＥ８０２．１５に基づく任意のプロトコル、規格または仕様、任意のＺ−Ｗａｖｅプロトコル、規格または仕様、Ｔｈｒｅａｄグループアライアンスによって公開された任意のＴｈｒｅａｄプロトコル、規格または仕様、および／または、ＡＮＴ＋を含むＡＮＴに基づく任意のプロトコル、規格または仕様。ジグビーアプリケーションプロファイルは、通常は、目標アプリケーションにおけるメッセージタイプ、メッセージフォーマット、およびジグビーデバイスの処理動作を含む関連アプリケーションおよびデバイスの領域空間を定義することが、当業者には理解されよう。特に断りのない限り、ワイヤレスローカルネットワーク通信能力はジグビーに関して説明されるが、本開示は、そのように制限されず、たとえば、Ｚ−Ｗａｖｅ、ＴｈｒｅａｄまたはＷＩ−ＳＵＮプロトコル、規格または仕様を使用することによって実行することができる。
【００１２】
[0012]  アクセスアドミニストレータに組み込まれ得るＰＡＮおよびＨＡＮ方法およびシステム属性は、その開示全体が参照により本明細書に組み込まれている、２０１４年３月３１日に出願した、オーストラリア仮特許出願第２０１４９０１１５７号、題名「Ｗｉｒｅｌｅｓｓ  Ｐｏｗｅｒ  Ｍｅｔｅｒｉｎｇ  ａｎｄ  Ｍｅｔｒｉｃｓ」においてさらに詳しく説明されている。
【００１３】
[0013]  パーソナルコントローラは、好ましくは、少なくともネットワークＷｉ−Ｆｉをサポートし、Ｗｉ−Ｆｉダイレクトおよび／またはＢｌｕｅｔｏｏｔｈおよび／または近距離無線通信（NFC）もまたサポートし得る、市販のモバイルコンピューティングデバイスである。特に断りのない限り、パーソナルコントローラはスマートフォンに関して説明されるが、本開示は、そのように制限されない。単に一例として、パーソナルコントローラは、以下を行うことができるコンピューティングデバイスでもよい：他の手段によってアプリケーションプログラム（App）をダウンロードまたはインストールすることと、必要とされる機能を実行するために、ユーザがそれと対話してＡｐｐを制御することができる適切なインターフェースを有することと、アクセスアドミニストレータとの通信リンクを確立するためのワイヤレス通信能力を有することと、サービスプラットフォームとデータを交換するための通信能力を有すること。パーソナルコントローラの例は、スマートフォン、タブレット、ラップトップ、スマートウォッチ、スマートアイウェア、ウルトラブックおよびノート型パーソナルコンピュータを含む。パーソナルコントローラの機能要素は、モバイルコンピューティングプラットフォームの部分として一致して動作するように好ましくは構成された別個のデバイスによって実行することができ、各々の構成要素デバイスは、通常のモバイル使用向けに設計されたデバイスである。一例として、スマートフォンに機能的に結合されたスマートウォッチは、統一されたモバイルコンピューティングプラットフォームとして動作することによって、パーソナルコントローラの機能的能力を届けることができる。
【００１４】
[0014]  アクセスアドミニストレータは、好ましくは、Ｗｉ−Ｆｉダイレクトを使用すること、Ｗｉ−Ｆｉアクセスポイントをシミュレートすることおよび／またはＷｉ−Ｆｉネットワークを使用することによって、スマートフォンとの通信リンクを形成することができる。アクセスアドミニストレータがＷＬＡＮアクセスポイントに接続されるとき、同ＷＬＡＮアクセスポイントにやはり接続されたＷｉ−Ｆｉ能力を有するスマートフォンは、適切なＡｐｐを使用してアクセスアドミニストレータと通信することができることが、理解されよう。すなわち、ユーザは、自身のスマートフォンにコマンドを入力し、それをＷＬＡＮアクセスポイントを介してアクセスアドミニストレータに送信することができる。この場合、スマートフォンは、ＷＬＡＮアクセスポイントの周辺にあってもよく、または、スマートフォンは、遠く離れた場所にあり、インターネットを介してＷＬＡＮアクセスポイントと通信することができ、ＷＬＡＮアクセスポイントはそのように構成される。
【００１５】
[0015]  ピアツーピアＷｉ−Ｆｉモードで動作するアクセスアドミニストレータは、ＷＬＡＮアクセスポイントを必要とせずにスマートフォンと直接通信し得ることが、理解されよう。この場合、アクセスアドミニストレータは、好ましくは、Ｗｉ−Ｆｉアクセスポイントをシミュレートする、または、スマートフォンがＷｉ−Ｆｉダイレクトを使用して通信しない場合には、ソフトウェアアクセスポイント（SoftAP）として動作する、あるいは、アクセスアドミニストレータおよびスマートフォンは、好ましくは、どのデバイスがＷｉ−Ｆｉダイレクトグループオーナー役を担うかを交渉し、スマートフォンおよびアクセスアドミニストレータの両方がＷｉ−Ｆｉダイレクト使用して通信するピアツーピア接続を確立することができる。ピアツーピア接続が確立された後は、ユーザは、他の媒介またはネットワークを必要とせずにスマートフォンと選択されたアクセスアドミニストレータとの間でデータを直接交換することができる。
【００１６】
[0016]  １つの好ましい実施形態では、本開示は、個々にまたは並行して、シミュレートされたアクセスポイント、ネットワークＷｉ−ＦｉおよびＷｉ−Ｆｉダイレクト接続を提供する、集積回路、構成要素、コントローラ、トランシーバ、無線、メモリ、マイクロプロセッサ、およびアンテナの任意の組合せおよび数から導出されるワイヤレス通信能力を有するアクセスアドミニストレータを説明する。いくつかの好ましい実施形態では、アクセスアドミニストレータは、好ましくは、ワイヤレスＢｌｕｅｔｏｏｔｈ接続をサポートするために、集積回路、構成要素、コントローラ、トランシーバ、無線、メモリ、マイクロプロセッサ、およびアンテナの任意の組合せおよび数を含み得る。いくつかの好ましい実施形態では、アクセスアドミニストレータは、好ましくは、ジグビー、Ｚ−ｗａｖｅ、Ｔｈｒｅａｄ、ＷＩ−ＳＵＮ、ＡＮＴまたは代替ワイヤレスネットワーク通信プロトコル、規格もしくは仕様のうちの１つまたは複数を使用して１つまたは複数のワイヤレスＰＡＮもしくはＨＡＮをサポートするために、集積回路、構成要素、コントローラ、トランシーバ、無線、メモリ、マイクロプロセッサ、およびアンテナの任意の組合せおよび数を含み得る。いくつかの好ましい実施形態では、アクセスアドミニストレータは、好ましくは、同時にまたは並行して動作する２つ以上のワイヤレスジグビーネットワークをサポートするために、集積回路、構成要素、コントローラ、トランシーバ、無線、メモリ、マイクロプロセッサ、およびアンテナの任意の組合せおよび数を含むことができ、そして、それが望ましい場合、各々の同時または並行ジグビーネットワークは、異なるジグビーアプリケーションプロファイル（またはプロファイル）、規格、仕様またはプロトコルスタックを使用し、動作し得る。いくつかの好ましい実施形態では、アクセスアドミニストレータは、好ましくは、および単に一例として、２．４ＧＨｚのキャリア周波数および１ＧＨｚ未満の選択された周波数で同時にもしくは選択的に動作するジグビー、または、２．４ＧＨｚおよび５ＧＨｚのキャリア周波数で同時にまたは選択的に動作するＷｉ−Ｆｉなど、２つ以上のキャリア周波数でワイヤレス通信プロトコル、規格、または仕様の通信をサポートするために、集積回路、構成要素、コントローラ、トランシーバ、無線、メモリ、マイクロプロセッサ、およびアンテナの任意の組合せおよび数を含み得る。
【００１７】
[0017]  コストおよび所望の結果に応じて、アクセスアドミニストレータのワイヤレス通信能力は、以下を使用することによって達成され得る：個々に、集合的に、またはシステムインパッケージ（SiP）として、またはシステムオンチップ（SoC）もしくはパッケージオンパッケージ（PoP）としての、任意の数および組合せの無線、アンテナ、トランシーバ、マイクロプロセッサ、構成要素、集積回路およびコントローラ、ＳｉＰ、ＳｏＣまたはＰｏＰとしての異なる規格のいくつかのトランシーバおよびコントローラの機能を統合する組合せまたは「コンボ」チップ、あるいは、コンボチップ、ＳｉＰ、ＳｏＣ、ＰｏＰおよび／または個別構成要素、集積回路、無線、アンテナ、トランシーバ、マイクロプロセッサおよびコントローラの任意の組合せおよび数の使用。アクセスアドミニストレータは、単一のまたは複数の以下のものを使用することができる：ワイヤレス帯域、物理チャネル、仮想チャネル、モード、または、他の共存技術およびアルゴリズム、その方法は当業者にはよく知られており、簡潔にするために本明細書では説明されない。選択されるハードウェア構成要素に応じて、アクセスアドミニストレータはまた、外部スプリッタの必要性をなくするまたは必要とされるアンテナの数を減らすために、共用アンテナサポートおよび共用信号受信パスを含み得る。
【００１８】
[0018]  １つの好ましい実施形態では、本開示は、第１のモードでは、好ましくはＷｉ−Ｆｉダイレクトを使用してまたはＷｉ−Ｆｉアクセスポイントをシミュレートして、Ｗｉ−Ｆｉピアツーピア接続を提供し、第２のモードでは、ネットワークＷｉ−Ｆｉデバイスとして機能するおよびクライアントとしてＷＬＡＮに接続するようにユーザによって構成され得る、適応性のあるワイヤレス通信を有するアクセスアドミニストレータを説明する。
【００１９】
[0019]  アクセスアドミニストレータは、好ましくは、それの最終的構成にかかわらず、好ましくはＷｉ−Ｆｉダイレクトを使用してまたはＷｉ−Ｆｉアクセスポイントをシミュレートしてピアツーピアモードにおいて最初に機能するようにそれのワイヤレス通信をセットさせる。Ｗｉ−ＦｉダイレクトまたはＷｉ−Ｆｉアクセスポイントのシミュレートは、ピアツーピア接続を提供するので、電力がアクセスアドミニストレータに適用されるとすぐに、それは、少なくともネットワークＷｉ−Ｆｉを実行するスマートフォンによって認識することができ、ワイヤレス通信リンクが確立され得る。スマートフォンＡｐｐは、好ましくは、任意の動作態様を構成し、アクセスアドミニストレータの機能的能力を制御するために使用される。ワイヤレス通信リンクが確立された後は、ユーザは、スマートフォンとアクセスアドミニストレータとの間のデータパスを好ましくは使用するＡｐｐを起動することができる。Ａｐｐを使用して、ユーザは、アクセスアドミニストレータがピアツーピアモードでの実行を継続するか、ネットワークＷｉ−Ｆｉモードに変更し、Ｗｉ−Ｆｉネットワークのクライアントになるか、または、サポートされる場合には並行して両方のモードを実行するかを選択することができ、デバイスに名前を付ける、パスワードを入力する、および、必要とされ得るまたは望ましいことがある任意の他の要件など、ネットワークＷｉ−ＦｉクライアントまたはピアツーピアＷｉ−Ｆｉデバイスのために必要とされる任意の動作パラメータでアクセスアドミニストレータを設定することができる。この手続きが完了したとき、アクセスアドミニストレータが自動的に、またはユーザがアクセスアドミニストレータに命令して、セットアッププロセス中に指定されたパラメータに従ってそれ自体を構成することができる。
【００２０】
[0020]  ユーザが、好ましくは、Ｗｉ−Ｆｉダイレクトを使用してまたはＷｉ−Ｆｉアクセスポイントをシミュレートしてピアツーピアモードでアクセスアドミニストレータを動作させることを選択した場合、アクセスアドミニストレータは、アクセスアドミニストレータがセットアッププロセス中に指定されたパラメータに従ってそれ自体を構成した後に、それを継続して行うことになる。アクセスアドミニストレータは、直接またはピアツーピア通信リンクを確立する前にそれの接続要件に完全に準拠し得るスマートフォンにのみ接続することになる。これは、Ｗｉ−ＦｉプロテクテッドアクセスまたはＷｉ−Ｆｉプロテクテッドアクセス２などの任意の固有のセキュリティ対策に加えたセキュリティ対策を含み得る。
【００２１】
[0021]  ユーザが、アクセスアドミニストレータがＷｉ−ＦｉネットワークのクライアントとしてネットワークＷｉ−Ｆｉモードで動作することを選択した場合、スマートフォンＡｐｐは、アクセスアドミニストレータがＷＬＡＮに接続するために必要なパラメータを構成することになる。それらのパラメータを使用して、アクセスアドミニストレータは、次いで、クライアントデバイスとしてＷＬＡＮに接続することになる。アクセスアドミニストレータは、その場合、好ましくは、同ＷＬＡＮにやはり接続されたデバイスにアクセス可能になる。アクセスアドミニストレータのピアツーピアワイヤレスモードは、好ましくは、アクセスアドミニストレータがクライアントとしてＷＬＡＮに接続するための必要なパラメータを構成するために使用される。
【００２２】
[0022]  いずれのモードでも、スマートフォンＡｐｐは、好ましくは、アクセスアドミニストレータの機能的能力を構成および制御するために使用される。ネットワークＷｉ−Ｆｉモードでは、スマートフォンＡｐｐは、選択されたアクセスアドミニストレータとＷＬＡＮアクセスポイントを介して通信する。好ましくは、Ｗｉ−Ｆｉダイレクトを使用するまたはＷｉ−Ｆｉアクセスポイントをシミュレートする、ピアツーピアモードでは、スマートフォンＡｐｐは、媒介を使用せずに、選択されたアクセスアドミニストレータマシン対マシンで直接通信する。
【００２３】
[0023]  ユーザが、アクセスアドミニストレータがピアツーピアモードおよびネットワークＷｉ−Ｆｉモードの両方で並行して動作することを選択した場合、アクセスアドミニストレータが、セットアッププロセス中に指定されたパラメータに従ってそれ自体を構成するとき、アクセスアドミニストレータは、各モードの機能が使用可能な状態で、ＷＬＡＮ上のクライアントデバイスとしておよびＷｉ−Ｆｉダイレクトデバイスおよび／またはシミュレートされたＷｉ−Ｆｉアクセスポイントとして現われることになる。その方法で、および単に一例として、アクセスアドミニストレータは、並行ＷＬＡＮ接続へのアクセスを許すことなしにＷｉ−Ｆｉダイレクト接続を介するサードパーティアクセスを可能にし、それによって、他のＷＬＡＮデバイスへのアクセスを防ぐことができる。
【００２４】
[0024]  １つの好ましい実施形態では、スマートフォンとアクセスアドミニストレータとの間のＢｌｕｅｔｏｏｔｈピアツーピア接続は、ネットワークＷｉ−Ｆｉデバイスおよび／またはＷｉ−Ｆｉダイレクトグループ参加者および／またはシミュレートされたＷｉ−Ｆｉアクセスポイントとしてのアクセスアドミニストレータの構成のための情報を入力するために、あるいはネットワークＷｉ−Ｆｉおよび／またはＷｉ−Ｆｉダイレクトおよび／またはピアツーピアＷｉ−Ｆｉ接続の確立を円滑にするために、使用され得る。もう１つの好ましい実施形態では、アクセスアドミニストレータとスマートフォンとの間のＢｌｕｅｔｏｏｔｈ接続は、Ａｐｐとアクセスアドミニストレータとの間のデータの交換のための好ましいピアツーピア通信チャネルとして指定され得る。
【００２５】
[0025]  アクセスアドミニストレータが、電力線通信能力と構成される場合、アクセスアドミニストレータとスマートフォンとの間にワイヤレス通信リンクが確立された後は、ユーザは、以下を行うためにスマートフォンとアクセスアドミニストレータとの間のワイヤレスデータパスを好ましくは使用するＡｐｐを起動することができる：電力線通信ネットワークの任意の要件を構成する、電力線通信ネットワークにデバイスを加える、電力線通信ネットワークに加わる、および／または電力線通信ネットワークを調整するためのアクセスアドミニストレータの任意の要件を構成する。アクセスアドミニストレータが、ワイヤレスローカルネットワーク通信能力と構成される場合、アクセスアドミニストレータとスマートフォンとの間にワイヤレス通信リンクが確立された後は、ユーザは、以下を行うためにスマートフォンとアクセスアドミニストレータとの間のワイヤレスデータパスを好ましくは使用するＡｐｐを起動することができる：ワイヤレスＰＡＮもしくはＨＡＮの任意の要件を構成する、デバイスをワイヤレスＰＡＮもしくはＨＡＮに加える、ワイヤレスＰＡＮもしくはＨＡＮに加わる、および／または、ワイヤレスＰＡＮもしくはＨＡＮを調整するためのアクセスアドミニストレータの任意の要件を構成する。
【００２６】
[0026]  アクセスアドミニストレータの動作態様の構成に加えて、Ａｐｐはまた、好ましくは、以下のうちの１つまたは複数を行うために使用されることになる：任意の必要な方法でアクセスアドミニストレータ、電気管理ユニットおよび／またはホームオートメーションデバイスからのまたはそれらへのデータを、処理、分析、コンパイル、交換、転送、送信、受信、記憶、操作、表示、および／または置き換える。そのようなデータは、コマンド、制御および構成データを含み得る。Ａｐｐのデータ能力は、スマートフォンによって実行することができ、または外部サービスプラットフォームを統合することができる。
【００２７】
[0027]  サービスプラットフォームは、好ましくは、コンピュータ、コンピューティングデバイスまたはサーバを使用して以下のうちの１つまたは複数を行うサービスプラットフォームとしてのクラウド、アプリケーションサービスプラットフォームまたはソフトウェアである：Ａｐｐ、アクセスアドミニストレータ、ホームオートメーションデバイス、電気管理ユニットおよび／またはサードパーティからのまたはそれらへのデータの、処理、分析、コンパイル、交換、転送、送信、受信、記憶、操作、表示、および／または置換え。そのようなデータは、コマンド、制御、構成、料金、課金、履歴、測定および傾向データのうちの任意の１つまたは複数を含み得る。
【００２８】
[0028]  第１の好ましい態様では、本開示は、パーソナルコントローラをスマートメータおよびホームオートメーションデバイスにリンクするためのデバイスを説明し、パーソナルコントローラは、プロセッサ、ユーザインターフェース、およびワイヤレス通信トランシーバを有し、スマートメータは、電力潮流を少なくとも測定するように構成される。本デバイスは、パーソナルコントローラとのワイヤレス通信のために動作可能なワイヤレス通信モジュールを含み、ワイヤレス通信モジュールは無線トランシーバを含み、ワイヤレス通信モジュールは少なくとも２つの異なるモードでパーソナルコントローラとワイヤレスに通信するように構成され、第１のモードはピアツーピア通信モードであり、第２のモードは非ピアツーピア通信モードである。本デバイスはまた、各々のスマートメータとのおよびホームオートメーションデバイスとの通信のために動作可能なローカルネットワーク通信モジュールを含み、ローカルネットワーク通信モジュールは、ワイヤレスパーソナルエリアネットワークを操作するように構成された無線トランシーバを含み、ローカルネットワーク通信モジュールは第１のアプリケーションプロファイルを使用してスマートメータと通信するように構成され、ローカルネットワーク通信モジュールは第１のアプリケーションプロファイルとは異なる第２のアプリケーションプロファイルを使用してホームオートメーションデバイスと通信するように構成される。本デバイスはまた、ローカルネットワーク通信モジュールを介して、ワイヤレス通信モジュールを介してパーソナルコントローラから通信される命令に少なくとも部分的に基づいて、スマートメータおよびホームオートメーションデバイスの各々にアクセスするように構成されたマイクロコントローラを含み、マイクロコントローラは、本デバイス内にエネルギ使用データを記憶することなしに、エネルギ使用データをレポートするように構成される。
【００２９】
[0029]  さらなる好ましい一態様では、本開示は、ホームオートメーションデバイスおよび電力潮流を少なくとも測定するように構成された電気管理ユニットにパーソナルコントローラを用いてアクセスするための方法を説明する。本方法は、ホームオートメーションデバイスおよび電気管理ユニットのうちの少なくとも１つにアクセスするためのパーソナルコントローラからのコマンドを電気管理ユニットにあるもしくはその近くのアクセスアドミニストレータデバイスで受信する工程であり、コマンドが、第１の通信規格を使用するアクセスアドミニストレータデバイスによって受信される工程と、パーソナルコントローラから送信されたコマンドがホームオートメーションデバイスを対象としたものか電気管理ユニットを対象としたものかをアクセスアドミニストレータデバイスで判定する工程と、ワイヤレスパーソナルエリアネットワークを使用して電気管理ユニットに、アクセスアドミニストレータデバイスで、ローカルコマンドを送信する工程であり、ローカルコマンドが、パーソナルコントローラからのコマンドが電気管理ユニットを対象とするものであると判定された場合には、第１のアプリケーションプロファイルを使用して送信され、そうではなくて、パーソナルコントローラからのコマンドがホームオートメーションデバイスを対象とするものであると判定された場合には、第１のアプリケーションプロファイルとは異なる第２のアプリケーションプロファイルを使用してホームオートメーションデバイスに、アクセスアドミニストレータデバイスで、ローカルコマンドを送信する工程とを含む。
【００３０】
[0030]  さらなる好ましい一態様では、本開示は、スマートメータによって測定されたエネルギ使用に基づいてホームオートメーションデバイスのネットワークを制御するためのシステムを説明する。本システムは、スマートフォンと通信するように構成された少なくとも１つの無線を有するデュアルモードのワイヤレス通信モジュールを含むアクセスアドミニストレータを含み、アクセスアドミニストレータは、ホームオートメーションデバイスのネットワークと通信するように構成された少なくとも１つのジグビー無線を含むローカル通信モジュールを含む。本システムはまた、クラウドベースのプラットフォームを動作させるように構成されたコンピュータプロセッサを含み、プロセッサは、アクセスアドミニストレータおよび／またはスマートフォンからデータを受信するように構成され、プラットフォームプロセッサは、そのプラットフォームプロセッサとエンティティによって制御されるプロセッサとの間の媒介デバイスとしてスマートメータを使用せずにそのエンティティによって制御されるプロセッサとデータを通信するように構成される。
【００３１】
[0031]  さらなる好ましい態様では、本開示は、パーソナルコントローラをスマートメータおよびホームオートメーションデバイスにリンクするためのデバイスを説明し、パーソナルコントローラは、プロセッサ、ユーザインターフェース、およびワイヤレス通信トランシーバを有し、スマートメータは電力潮流を少なくとも測定するように構成される。本デバイスは、パーソナルコントローラとのワイヤレス通信のために動作可能なワイヤレス通信モジュールを含み、ワイヤレス通信モジュールは無線トランシーバを含み、ワイヤレス通信モジュールは少なくとも２つの異なるモードでパーソナルコントローラとワイヤレスに通信するように構成され、第１のモードはピアツーピア通信モードであり、第２のモードは非ピアツーピア通信モードである。本デバイスはまた、スマートメータのそれぞれとのおよびホームオートメーションデバイスとの通信のために動作可能なローカルネットワーク通信モジュールを含み、ローカルネットワーク通信モジュールは、ワイヤレスパーソナルエリアネットワークを操作するように構成された無線トランシーバを含み、ローカルネットワーク通信モジュールは、第１のアプリケーションプロファイルを使用してスマートメータと通信するように構成され、ローカルネットワーク通信モジュールは、第１のアプリケーションプロファイルとは異なる第２のアプリケーションプロファイルを使用してホームオートメーションデバイスと通信するように構成される。本デバイスはさらに、ホームオートメーションデバイスに関連する使用データを記憶するように構成された第１のデータベースと、スマートメータに関連する使用データを記憶するように構成された第２のデータベースとを含む。本デバイスはまた、ワイヤレス通信モジュールを介してパーソナルコントローラから通信される命令に少なくとも部分的に基づいて、ローカルネットワーク通信モジュールを介して、スマートメータおよびホームオートメーションデバイスの各々にアクセスするように構成されたマイクロコントローラを含み、第１のデータベースに記憶されたエネルギ使用データが第２のデータベースに記憶されたエネルギ貯蔵データから分離されるように、第１のデータベースおよび第２のデータベースは互いに独立している。
【００３２】
[0032]  本明細書における任意の先行技術の参照は、その先行技術がオーストラリアにおけるまたは任意の他の国における共通の一般的知識の部分を形成することの承認または何らかの形の暗示ではなく、そのように見なされるべきではない。
【００３３】
[0033]  本明細書で出願されるおよびこれに添付される特許請求の範囲は、本説明の文章に参照によって組み込まれている。
【図面の簡単な説明】
【００３４】
【図１】[0034]  本明細書で開示されるシステムおよび方法でまたはその部分として使用可能なスマートフォンの透視図である。
【図２】[0035]  本開示の好ましい一実施形態によるアクセスアドミニストレータの機能要素のブロック図である。
【図３】[0036]  図１のスマートフォンおよび図２のアクセスアドミニストレータおよび電気管理ユニットとのそれの対話のシステム図的記述を示す図である。
【図４】[0037]  図１のスマートフォン、図２のアクセスアドミニストレータ、電気管理ユニットおよびサービスプラットフォームの間の通信経路の図的記述を示す図である。
【図４Ａ】[0038]  本開示のもう１つの好ましい実施形態によるローカル電力管理ネットワークの図的記述を示す図である。
【図４Ｂ】[0039]  本開示のさらなる好ましい一実施形態によるローカル電力管理ネットワークの図的記述を示す図である。
【図４Ｃ】[0040]  本開示の追加の好ましい一実施形態によるローカル電力管理ネットワークの図的記述を示す図である。
【図５】[0041]  本開示のもう１つの好ましい実施形態によるアクセスアドミニストレータの機能要素のブロック図である。
【図６】[0042]  本開示のもう１つの好ましい実施形態によるアクセスアドミニストレータの機能要素のブロック図である。
【図７】[0043]  本開示のもう１つの好ましい実施形態によるアクセスアドミニストレータの機能要素のブロック図である。
【図８】[0044]  本開示の好ましい一実施形態による図４のＷｉ−Ｆｉ  ＷＬＡＮ内のクライアントデバイスとして図２のアクセスアドミニストレータを構成するために図１のスマートフォンを使用する例示的構成手続きの流れ図である。
【図９Ａ】[0045]  本開示の好ましい一実施形態によるプロダクトＡｐｐ内の予算ツールの図的記述を示す図である。
【図９Ｂ】[0046]  本開示のもう１つの好ましい実施形態によるプロダクトＡｐｐ内の情報画面の図的記述を示す図である。
【図９Ｃ】[0047]  本開示のさらなる好ましい一実施形態によるプロダクトＡｐｐ内の器具測定ツールの図的記述を示す図である。
【発明を実施するための形態】
【００３５】
[0048]  本開示の代替実施形態が、本明細書を考慮して当業者には明らかとなろう。本明細書および例は、単に例示として考慮されることが意図されており、本開示の真の範囲および趣旨は、後に続く特許請求の範囲によって指示される。「備える」という用語は、広い、開かれた意味を有することが意図されており、特定の実施形態に制限されないことが、理解されよう。
【００３６】
[0049]  図１から３を参照すると、システム１００は、好ましくは、本明細書で「プロダクトＡｐｐ」と称されるアプリケーションプログラム、パーソナルコントローラ１０、アクセスアドミニストレータ２００、電気管理ユニット３００およびホームオートメーションデバイス２４を含む。図示されていないが、アクセスアドミニストレータ２００は、選択された通信プロトコル、規格、または仕様によってサポートされるホームオートメーションデバイスの最大数まで、選択された共用ネットワーク通信プロトコル、規格、または仕様のトポロジおよび技法を使用してホームオートメーションネットワーク内の任意の数のホームオートメーションデバイス２４と通信することができ、その方法は、ネットワーク通信の当業者によって理解されよう。２つ以上のホームオートメーションネットワークが所与のインストールにおいて並行してまたは同時に動作し得ること、そして、各ホームオートメーションネットワークは異なる通信プロトコル、規格、および仕様を使用し得ることが、理解されよう。
【００３７】
[0050]  必要に応じて、プロダクトＡｐｐは、通常は、１つまたは複数のプロセッサと組み合わせて使用され、それがホストされる場合、プロダクトＡｐｐの機能およびパラメータに従って、そうでない場合には汎用プロセッサであることがあるものを専用プロセッサに構成することが、理解されよう。好ましくは、プロダクトＡｐｐは、スマートフォン１０内のメモリなどのコンピュータ可読媒体にダウンロードされ、アクセスアドミニストレータ２００、電気管理ユニット３００およびホームオートメーションデバイス２４のうちの１つまたは複数の制御、構成、プログラミングおよび／または問合せのためのヒューマンインターフェース、ならびに、アクセスアドミニストレータ２００、電気管理ユニット３００、ホームオートメーションデバイス２４およびサービスプラットフォーム５００（図４）との、およびそれが望ましい場合にはそれらの間の、データの処理および交換のための手段として動作する。プロダクトＡｐｐは、たとえば、クラウドサーバ、およびコンピュータデバイスに関連する物理メモリ、サーバ、および可搬型記憶装置およびメモリスティックなど、いくつかの異なるコンピュータ可読媒体内に存在することが可能であり、またはそれらに記憶することができる。
【００３８】
[0051]  システム１００は、データおよびコマンドの交換を円滑にするために、組み合わされたワイヤレス通信および電力線通信を使用するように構成され得る。アクセスアドミニストレータ２００とスマートフォン１０との間の通信は、好ましくは、ネットワークＷＬＡＮ、ワイヤレスピアツーピア接続、または並行してその両方を使用する。アクセスアドミニストレータ２００と電気管理ユニット３００との間の通信は、好ましくは、電力線通信またはワイヤレスＰＡＮもしくはＨＡＮ通信を使用する。アクセスアドミニストレータ２００とホームオートメーションデバイス２４との間の通信は、好ましくは、電力線通信またはワイヤレスＰＡＮもしくはＨＡＮ通信を使用する。アクセスアドミニストレータ２００は、好ましくは、それの使用可能な電力を電気管理ユニット３００とデータを交換するために使用される同じ本線電力線から取り、アクセスアドミニストレータおよび電気管理ユニットの両方が、電力線通信を使用して通信するように構成される。プロダクトＡｐｐ、スマートフォン１０、アクセスアドミニストレータ２００、電気管理ユニット３００およびホームオートメーションデバイス２４の対話は、以下でさらに詳しく説明される。
【００３９】
[0052]  図１は、以下でさらに詳しく説明される、アクセスアドミニストレータと通信するためにワイヤレスリンクを使用するスマートフォン１０の透視図である。スマートフォン１０は、好ましくは、市販の、従来のスマートフォンである。スマートフォンが好ましくは含む基本的機能のうちのいくつかは：タッチセンサ式グラフィカル画面インターフェース１２、互換性のある無線トランシーバ、および、個々のスマートフォンオペレーティングシステムに特有のプロダクトＡｐｐを実行する能力。後に続く例では、プロダクトＡｐｐのための特定のコーディングは、当業者は、個々のコーディングの論考を必要とせずに、記載された実施形態の機能を理解および再現することが可能であろうため、簡潔さを目的として省略されている。
【００４０】
[0053]  スマートフォン１０は、好ましくは、少なくともネットワークＷｉ−Ｆｉを介して通信するための技術を含む、一連のワイヤレス通信技術にわたって動作するように構成される。スマートフォン１０は、Ｗｉ−Ｆｉダイレクトおよび／またはＢｌｕｅｔｏｏｔｈおよび／またはＮＦＣのための追加の能力を含み得る。本開示の好ましい実施形態は、それのコントローラとしてスマートフォン、具体的には少なくともネットワークＷｉ−Ｆｉ能力を組み込んだスマートフォン、を使用するが、他のワイヤレス通信方法およびシステムが、任意の特定の要件に応じて使用され得る。
【００４１】
[0054]  ここで図２を参照すると、アクセスアドミニストレータ２００が、本開示の好ましい一実施形態に従って示される。図２に示されるアクセスアドミニストレータは、概して、好ましいアクセスアドミニストレータの概略であり、追加の好ましい形のアクセスアドミニストレータが図５、６および７を参照して説明される。アクセスアドミニストレータ２００は、ワイヤレス通信２０２、永続的時計カレンダ２０４、ローカルネットワーク通信２０６、内蔵メモリを有するシステムマイクロコントローラ２０８、アンテナ２１０、システム電力供給装置２１２、電力線結合器２１４および電力線接続２１６を好ましくは含む、物理デバイスである。ローカルネットワーク通信２０６が、ワイヤレス通信のサポートを含む場合、それは、好ましくは、専用アンテナ２１０ａを含み得る。いくつかの好ましい実施形態では、システムマイクロコントローラ２０８は、内蔵メモリに加えて、またはその代わりに、外部メモリをサポートすることが好ましいことがある。いくつかの好ましい実施形態では、システムマイクロコントローラ２０８およびローカルネットワーク通信２０６は、完全に統合されることが好ましいことがある。いくつかの好ましい実施形態では、システムマイクロコントローラ２０８およびワイヤレス通信２０２は、完全に統合されることが好ましいことがある。ワイヤレス通信２０２は、以下でさらに詳しく説明されるように、１つまたは複数の通信トポロジおよび１つまたは複数の通信プロトコル、規格、または仕様にわたりスマートフォン１０および／または他のシステム要素とアクセスアドミニストレータ２００が通信することを可能にする回路を含む。ローカルネットワーク通信２０６は、以下でさらに詳しく説明されるように、１つまたは複数の通信トポロジおよび１つまたは複数の通信プロトコル、規格、または仕様にわたり電気管理ユニット３００、ホームオートメーションデバイス２４および／または他のシステム要素とアクセスアドミニストレータ２００が通信することを可能にする回路を含む。
【００４２】
[0055]  永続的時計カレンダ２０４は、好ましくは、電力が失われた場合に実時間が正確に維持されることを可能にする電池または超コンデンサを手段とする電力バックアップを含む。永続的時計カレンダ２０４を含むことで、システムマイクロコントローラ２０８が、時間および／または日付に基づいて自動的にコマンドを生成する、データを記録する、機能、測定もしくは計算を実行する、またはデータを交換することを可能にする。いくつかの好ましい実施形態では、永続的時計カレンダ２０４は、アクセスアドミニストレータ２００が、時間または日付依存の動作を実行しない、または電力線もしくはワイヤレス通信を介して外部ソースから時計データを受信する場合、省略され得る。いくつかの好ましい実施形態では、永続的時計カレンダ２０４は、システムマイクロコントローラ２０８の内蔵機能にできる。
【００４３】
[0056]  電力線接続２１６は、アクセスアドミニストレータ２００を建物内の本線電力配線に接続するための物理インターフェースである。１つの好ましい実施形態では、電力線接続２１６は、好ましくは、アクセスアドミニストレータ２００が本線電力汎用コンセントに直接つながることを可能にするＮＥＭＡ５−１５ノースアメリカンまたはＢＳ１３６３本線電力規格と互換性をもつように構成される。１つの好ましい実施形態では、アクセスアドミニストレータ２００は、完全に内蔵型のプラグインパックまたは「電源アダプタ」の物理的形状を取ることができる。もう１つの好ましい実施形態では、アクセスアドミニストレータ２００は、フライングリードを有し得る。もう１つの好ましい実施形態では、電力線接続２１６は、好ましくは、建物または構造体の本線電力に直接配線するように構成されたターミナルブロックを組み込むことができ、壁パネル内にもしくは壁掛け式パネルの後ろに構成することが可能であり、または汎用電力コンセントまたは電灯のスイッチに統合することができる。アクセスアドミニストレータ２００は、本開示の範囲を逸脱することなしに様々な国および適用例の配線、接続、取り付け、プラグおよびソケット、ならびに、電流および電圧要件に従って、構成され得ることが、理解されよう。
【００４４】
[0057]  システムマイクロコントローラ２０８とスマートフォン１０との間のコマンドおよび応答は、ワイヤレス通信２０２およびアンテナ２１０によってサポートされる無線周波数ワイヤレスリンクを介して通信される。ワイヤレス通信２０２は、好ましくは、任意選択によりＢｌｕｅｔｏｏｔｈをサポートする能力を有する、個々にまたは並行して、ネットワークＷｉ−ＦｉおよびＷｉ−Ｆｉピアツーピア接続を提供する任意の数および組合せの集積回路、構成要素、コントローラ、トランシーバ、無線、メモリ、マイクロプロセッサ、およびアンテナを含む。コストおよび所望の結果に応じて、ワイヤレス通信２０２は、個々に、集合的に、またはシステムインパッケージ（SiP）としてもしくはシステムオンチップ（SoC）としてもしくはパッケージオンパッケージ（PoP）として任意の数および組合せの無線、アンテナ、トランシーバ、マイクロプロセッサ、構成要素、集積回路およびコントローラを、ＳｉＰもしくはＳｏＣとして異なる規格のいくつかのトランシーバおよびコントローラの機能を統合する組合せまたは「コンボ」チップを、あるいは、コンボチップ、ＳｉＰ、ＳｏＣ、ＰｏＰおよび／または個別集積回路、無線、アンテナ、トランシーバ、マイクロプロセッサ、メモリ、構成要素およびコントローラの任意の組合せおよび数を使用することができる。ワイヤレス通信は、単一または複数の以下のものを使用することができる：ワイヤレス帯域、物理チャネル、仮想チャネル、モード、または他の共存技術およびアルゴリズム、その方法は当業者にはよく知られており、簡潔にするために、本明細書では説明されない。選択されたハードウェア構成要素に応じて、ワイヤレス通信２０２はまた、外部スプリッタの必要性をなくするまたは必要とされるアンテナの数を減らすために、共用アンテナサポートおよび共用信号受信パスを含み得る。１つの好ましい実施形態では、ワイヤレス通信２０２は、ジグビーをサポートするように構成され得る。必要に応じて、追加のアンテナが追加可能であり、その場合、共用アンテナサポートはふさわしくない。
【００４５】
[0058]  ワイヤレス通信２０２は、Ｗｉ−Ｆｉダイレクトを使用してまたはＷｉ−Ｆｉアクセスポイントをシミュレートしてピアツーピアモードにおいて、およびネットワークＷｉ−Ｆｉモードにおいて、好ましくは動作する、Ｗｉ−Ｆｉ無線で少なくとも構成される。１つの好ましい実施形態では、少なくともＷｉ−Ｆｉ無線で構成されるワイヤレス通信２０２は、好ましくは、Ｗｉ−Ｆｉダイレクトを使用してまたはＷｉ−Ｆｉアクセスポイントをシミュレートしてピアツーピアモードにおいて、およびネットワークＷｉ−Ｆｉモードにおいて、並行して動作する能力を有する。並行接続は、好ましくは、たとえば、各々がそれ自体のＰＨＹエンティティに関連する、２つの別個の物理ＭＡＣエンティティを使用してあるいは２つ以上の仮想ＭＡＣエンティティを包含する単一のＰＨＹエンティティを使用して維持され得る、複数のＭＡＣエンティティのサポートを含む。
【００４６】
[0059]  ワイヤレス通信２０２が、ピアツーピアＷｉ−Ｆｉ仕様もしくは規格、好ましくはＷｉ−Ｆｉダイレクト、を使用してまたはＷｉ−Ｆｉアクセスポイントをシミュレートして、動作するとき、ワイヤレス通信２０２は、媒介ハードウェアを必要とせずにピアツーピアベースでネットワークＷｉ−ＦｉまたはＷｉ−Ｆｉダイレクトをサポートするスマートフォンと通信することができる。ワイヤレス通信２０２は、好ましくは、Ｗｉ−Ｆｉダイレクトグループ参加者およびソフトウェアアクセスポイントもしくはＳｏｆｔＡＰの両方としてＷｉ−Ｆｉダイレクト仕様に従って動作するように構成され、アクセスアドミニストレータ２００がインフラストラクチャモードＷｉ−Ｆｉアクセスポイントをシミュレートし、従来のＷｉ−ＦｉアクセスポイントとしてネットワークＷｉ−Ｆｉで通信するスマートフォンに対して現われることを可能にする。ＳｏｆｔＡＰを介して、ワイヤレス通信２０２は、たとえ、ネットワークＷｉ−ＦｉデバイスがＷｉ−Ｆｉダイレクトをサポートすることができなくても、ネットワークＷｉ−Ｆｉデバイスとのピアツーピア通信リンクを確立することができる。この場合、アクセスアドミニストレータ２００が、従来のＷｉ−Ｆｉアクセスポイントであるかのように、ネットワークＷｉ−Ｆｉを使用して通信するスマートフォンは、ネットワーク発見メッセージまたはサービスセット識別子（SSID）をアクセスアドミニストレータ２００から受信することになり、スマートフォンは、それがクライアントとして従来のＷｉ−Ｆｉアクセスポイントに接続するかのように、アクセスアドミニストレータとのピアツーピア通信リンクを確立することができることになる。そのようにして、スマートフォン１０およびアクセスアドミニストレータ２００は、アドホックモードではなくてＷｉ−Ｆｉのインフラストラクチャモードを使用して、ピアツーピア通信リンクを形成することができる。Ｗｉ−ＦｉダイレクトデバイスとネットワークＷｉ−Ｆｉデバイスとの間の通信リンクの確立の手続きは、Ｗｉ−Ｆｉアライアンス仕様において定義されており、通信システムプロトコルに熟練した実行者には理解されよう。
【００４７】
[0060]  Ｗｉ−Ｆｉダイレクトは、アクセスアドミニストレータとスマートフォンとの間の通信を単純化するいくつかの利点を有する。重要な利点は、モビリティおよび可搬性を含み、スマートフォンおよびアクセスアドミニストレータは、ワイヤレス通信リンクを確立するために、互いの無線範囲内にあるだけでよい。Ｗｉ−Ｆｉダイレクトは、Ｗｉ−Ｆｉプロテクテッドアクセス（WPA、WPA2）プロトコルおよび移送されるメッセージの暗号化などの手段を介して安全な通信を提供し、本システムが、認定されたデバイスに対して安全であり続けることを確保する。Ｗｉ−Ｆｉダイレクトの利点の１つは、スマートフォンネットワークＷｉ−Ｆｉが、オンデマンドのピアツーピア通信をサポートすることを少しも意図されていなくても、Ｗｉ−Ｆｉダイレクトは、ネットワークＷｉ−Ｆｉのみを有するスマートフォンがアクセスアドミニストレータとのピアツーピアデータ交換に関与することを可能にすることである。
【００４８】
[0061]  Ｗｉ−Ｆｉダイレクトを有するアクセスアドミニストレータ２００を構成することまたはそれにアクセスポイントをシミュレートさせることのもう１つの利点は、それが、Ｗｉ−Ｆｉネットワークがインストールされてないまたは使用可能ではない建物において、インストールおよび使用され得るということである。これは、アクセスアドミニストレータの機能性を大きく拡張し、それが、Ｗｉ−Ｆｉネットワークに依存せずに、スマートフォン、電気管理ユニットおよびホームオートメーションデバイスの間の通信の橋渡しをすることを可能にする。
【００４９】
[0062]  スマートフォンは進化し続けるので、新しいモデルは、ネットワークＷｉ−Ｆｉに加えて、Ｗｉ−Ｆｉダイレクトのサポートを含み始めている。本開示の１つの好ましい実施形態では、Ｐ２Ｐ自律グループ形成またはＰ２Ｐ永続グループ形成などの任意の他のＷｉ−Ｆｉダイレクト方法を使用する能力を制限せずに、アクセスアドミニストレータ２００およびスマートフォン１０は、Ｐ２Ｐ規格グループ形成方法を使用し、Ｗｉ−Ｆｉダイレクト仕様に従ってＰ２Ｐグループを交渉することができる。アクセスアドミニストレータ２００およびスマートフォン１０は、好ましくは、プローブ要求およびプローブ応答のＷｉ−Ｆｉ走査および交換を介して互いを発見し、次いで、Ｗｉ−ＦｉアライアンスＷｉ−Ｆｉダイレクト仕様に従って宣言されたグループオーナーインテント値に基づいてグループオーナーの役割をどのデバイスが負うことになるかを続けて交渉する。グループオーナーが合意された後は、それは、選択されたチャネルでビーコンを送り、安全なピアツーピア通信リンクがＷｉ−Ｆｉプロテクテッドセットアッププロビジョニングおよび動的ホスト構成プロトコル（DHCP）交換を介して確立されてインターネットプロトコル構成をセットアップすることを可能にする。
【００５０】
[0063]  Ｗｉ−Ｆｉダイレクト仕様は、任意のＷｉ−Ｆｉダイレクトデバイスがグループオーナーになることを可能にし、デバイスの能力に応じて、交渉手続きは、この役割を実行するのに最も適したデバイスを判定する。１つの好ましい実施形態では、アクセスアドミニストレータ２００は、好ましくは、グループオーナーとしてＷｉ−Ｆｉダイレクト接続を交渉するための最優先グループオーナーインテント値で構成され得る。グループオーナーとして動作することによって、アクセスアドミニストレータ２００は、状況によってはオープン接続の数は１：１を比率に制限することが望ましいことがあるが、ハブおよびスポーク配列と一般に呼ばれるものにおいていくつかの同時ピアツーピア接続を維持することができる。
【００５１】
[0064]  １つの好ましい実施形態では、アクセスアドミニストレータ２００は、直ちにグループオーナーになるときにＰ２Ｐグループを自律的に作成するように構成され得る。アクセスアドミニストレータ２００からのビーコンを介して、他のデバイスは、従来のＷｉ−Ｆｉ走査機構を使用してアクセスアドミニストレータの確立されたグループを発見し、次いで、Ｗｉ−Ｆｉプロテクテッドセットアッププロビジョニングおよびアドレス構成を直接進めてＰ２Ｐクライアントとしてグループに加わることができる。この場合、スマートフォン１０とアクセスアドミニストレータ２００との間のグループオーナー役の交渉はない。
【００５２】
[0065]  １つの好ましい実施形態では、アクセスアドミニストレータ２００およびスマートフォン１０が、Ｗｉ−Ｆｉダイレクト通信リンクを前に形成していた場合、アクセスアドミニストレータ２００および／またはスマートフォン１０は、好ましくは、ビーコンフレーム、プローブ応答および／またはグループオーナー交渉フレーム内に存在するＰ２Ｐ能力属性内のフラグを使用することによって、グループを永続的と宣言することができる。その方法では、アクセスアドミニストレータおよびスマートフォンは、ネットワーク資格情報と、グループのその後の再インスタンス化のためのグループオーナーまたはＰ２Ｐクライアントとしてのそれらの割り当てられた役割とを記憶する。発見フェーズの後、アクセスアドミニストレータ２００またはスマートフォン１０が、それらが過去に互いに永続グループを形成したことを認識した場合、アクセスアドミニストレータ２００またはスマートフォン１０のいずれかが、どのデバイスがグループオーナー役を引き受けるかを再び交渉するのではなくて、Ｗｉ−Ｆｉダイレクト招待手続きを使用してグループをすぐに再インスタンス化することができる。
【００５３】
[0066]  １つの好ましい実施形態では、Ｐ２Ｐグループの確立より前にリンク層でのサービス発見クエリに関してアクセスアドミニストレータとしてのそれのサービスを開示することがアクセスアドミニストレータ２００にとって望ましいことがある。これは、好ましくは、プロダクトＡｐｐまたはスマートフォンが、広告されるサービスを介してアクセスアドミニストレータを検索および識別することを可能にし、プロダクトＡｐｐが、通信リンクの確立より前に他のピアツーピアＷｉ−Ｆｉデバイスを無視することを可能にすることになる。
【００５４】
[0067]  １つの好ましい実施形態では、アクセスアドミニストレータ２００は、好ましくは、Ｗｉ−Ｆｉ  Ａｗａｒｅ（登録商標）デバイスの間の相互運用性のためのアーキテクチャ、技術、技法、プロトコル、規格または仕様を含む、Ｗｉ−ＦｉアライアンスのＮＡＮ技術仕様に従って近隣認識ネットワーキング（Neighbor Awareness Networking: NAN）をサポートするように構成され得る。ＮＡＮは、スマートフォン１０またはプロダクトＡｐｐが、Ｗｉ−ＦｉダイレクトまたはネットワークＷｉ−Ｆｉを介してＷｉ−Ｆｉ接続を行う前にスモールサービス発見メッセージを介してアクセスアドミニストレータ２００およびその能力を発見することを可能にする。その方法では、スマートフォン１０またはプロダクトＡｐｐは、好ましくは、通信リンクの確立より前に、関連するアクセスアドミニストレータのみを検索および表示し、他のＷｉ−Ｆｉデバイスを無視することを可能にすることができる。１つの好ましい実施形態では、アクセスアドミニストレータ２００が、ＮＡＮをサポートするように構成される場合、それは、好ましくは、高いマスタ優先値、たとえば１２８以上、を有するＮＡＮインフラストラクチャデバイスとして構成され得る。
【００５５】
[0068]  １つの好ましい実施形態では、アクセスアドミニストレータ２００は、複数のＭＡＣエンティティをサポートするように構成され得る。アクセスアドミニストレータ２００が、複数のＭＡＣエンティティをサポートするように構成される場合、アクセスアドミニストレータ２００は、好ましくは、ＮＡＮ並行デバイスとして動作し、Ｗｉ−ＦｉダイレクトまたはネットワークＷｉ−Ｆｉを使用する別個の通信リンクを維持しながらＮＡＮネットワークにおいて並行して実行することができる。
【００５６】
[0069]  システムマイクロコントローラ２０８は、好ましくは、アクセスアドミニストレータ２００の動作および機能を定義するファームウェアプログラムを組み込み、以下を含むプログラムコードおよびシステム要素の制御の責任を負う：ワイヤレス通信２０２の動作モードの指定および制御と、永続的時計カレンダ２０４の制御および問合せと、ローカルネットワーク通信２０６の動作モードの指定および制御。システムマイクロコントローラ２０８は、好ましくは、任意のプログラムおよび構成データと、プロダクトＡｐｐ、電気管理ユニット、ホームオートメーションデバイス、またはサービスプラットフォームから受信される任意のデータとを記憶するために、不揮発性メモリを含む。いくつかの好ましい実施形態では、不揮発性メモリは、システムマイクロコントローラ２０８の外部でもよい。いくつかの好ましい実施形態では、２つ以上のマイクロコントローラが使用され得る。
【００５７】
[0070]  アクセスアドミニストレータ２００が、製造されるとき、システムマイクロコントローラ２０８は、好ましくは、ネットワークＷｉ−Ｆｉデバイス、Ｗｉ−ＦｉダイレクトデバイスおよびＳｏｆｔＡＰとしてアクセスアドミニストレータ２００を動作させるために、ファームウェアを保持する。電力が、第１の時間にアクセスアドミニストレータ２００に適用されるとき、システムマイクロコントローラ２０８は、好ましくは、Ｗｉ−Ｆｉピアツーピアモードでワイヤレス通信２０２を開始し、ワイヤレス範囲内でスマートフォンによって検出され得る発見メッセージの送信を始める。
【００５８】
[0071]  Ｗｉ−Ｆｉダイレクトデバイスとして動作するアクセスアドミニストレータは、Ｗｉ−Ｆｉ  ＷＬＡＮアクセスポイントを必要とせずにスマートフォンと直接通信することができることが、理解されよう。アクセスアドミニストレータ２００は、好ましくは、スマートフォン１０がＷｉ−Ｆｉダイレクトを使用して通信していない場合には、Ｗｉ−Ｆｉアクセスポイントとして現われ、あるいは、スマートフォン１０がＷｉ−Ｆｉダイレクトを使用して通信している場合には、どのデバイスがＷｉ−Ｆｉダイレクトグループオーナー役を担うかに関してスマートフォン１０と交渉する。ユーザは、次いで、ピアツーピア通信リンクを確立し、任意の他のデバイスを必要とせずに、選択されたアクセスアドミニストレータと直接データを交換することができる。
【００５９】
[0072]  １つの好ましい実施形態では、ピアツーピアモードにおけるアクセスアドミニストレータ２００は、好ましくは、Ｗｉ−ＦｉアクセスポイントをシミュレートするまたはＷｉ−ＦｉダイレクトのサポートなしにＳｏｆｔＡＰとして動作するように構成され得る。その場合、スマートフォンは、好ましくは、Ｗｉ−Ｆｉアクセスポイントにクライアントとして接続するかのようにアクセスアドミニストレータとピアツーピア通信リンクを確立することになるが、スマートフォン１０がＷｉ−Ｆｉダイレクトをサポートしても、Ｗｉ−Ｆｉダイレクト接続をアクセスアドミニストレータと交渉することはできない。
【００６０】
[0073]  アクセスアドミニストレータ２００を構成および制御するための好ましい方法は、関連するプロダクトＡｐｐを介する。プロダクトＡｐｐのインストール命令は、好ましくは、アクセスアドミニストレータで含まれる。プロダクトＡｐｐは、好ましくは、従来のスマートフォンプラットフォームによって一般に使用される同じ集中ａｐｐストアインストール方法を採用する。
【００６１】
[0074]  プロダクトＡｐｐは、ワイヤレス要素および無線技術の任意の混合で通信してアクセスアドミニストレータとの最良の通信リンクをシームレスに提供することができる。プロダクトＡｐｐは、好ましくは、アクセスアドミニストレータとのワイヤレス通信リンクを開始、検索および確立するために、スマートフォン１０ワイヤレス通信を制御する。プロダクトＡｐｐは、好ましくは、事前に構成されたおよび新しいアクセスアドミニストレータをスマートフォンタッチ画面１２上のグラフィカル要素を介して表示することができる。
【００６２】
[0075]  プロダクトＡｐｐが開始するとき、それは、好ましくは、アクセスアドミニストレータを走査し、最初に構成される必要がある任意の新しいアクセスアドミニストレータを識別することになる。この時点で、ワイヤレスピアツーピア接続が、スマートフォンと新しいアクセスアドミニストレータとの間に既に確立されていない場合、プロダクトＡｐｐは、好ましくは、ユーザが所望のアクセスアドミニストレータとワイヤレスピアツーピア接続を確立し、それが以下を行うかを判定できるようにする：ピアツーピアモードで動作し、Ｗｉ−Ｆｉダイレクトグループ参加者のままであること、Ｗｉ−Ｆｉアクセスポイントをシミュレートすること、ネットワークＷｉ−Ｆｉモードで動作し、クライアントとしてＷＬＡＮに接続し、ネットワークＷｉ−Ｆｉデバイスになること、あるいは、ワイヤレス通信２０２によってサポートされる場合、Ｗｉ−ＦｉピアツーピアモードおよびネットワークＷｉ−Ｆｉモードで並行して動作すること。
【００６３】
[0076]  スマートフォンオペレーティングシステムが、プロダクトＡｐｐがアクセスアドミニストレータとのピアツーピアリンクを確立するためにスマートフォンワイヤレス通信を制御することを可能にしない状況では、ユーザは、スマートフォンによって提供される任意の機構を使用して、プロダクトＡｐｐの開始より前にアクセスアドミニストレータとピアツーピア通信リンクを確立することができる。これは、一例として、スマートフォンＷｉ−Ｆｉ設定画面にアクセスする工程と、アクセスアドミニストレータ２００に対応するＳＳＩＤを手動で選択する工程と、所望のＷｉ−Ｆｉネットワークとしてアクセスアドミニストレータに接続するために必要とされる任意の情報を入力する工程とを含み得る。
【００６４】
[0077]  ユーザが、好ましくは、Ｗｉ−Ｆｉダイレクトを使用してまたはＷｉ−ＦｉアクセスポイントをシミュレートしてＷｉ−Ｆｉピアツーピアモードで新しいアクセスアドミニストレータを実行させたい場合、ユーザは、好ましくは、プロダクトＡｐｐにおいてこのオプションを選択する。プロダクトＡｐｐは、次いで、ヒューマンインターフェースとしてスマートフォンのタッチ画面１２を使用して、一連のデータ入力を介してユーザを導く。プロダクトＡｐｐは、システムマイクロコントローラ２０８と通信し、最初の接続のために使用される一般パラメータを一意の製品としてアクセスアドミニストレータを定義する特定のパラメータに置き換える。これらは、以下を含み得る：アクセスアドミニストレータとスマートフォンとの間のすべてのデータ転送が保護されるように、一意の暗号化鍵を設定する工程と、アクセスアドミニストレータ名を一意の、容易に認識可能な識別子に設定する工程と、スマートフォンとの安全なリンクを確立するために使用されるアクセスアドミニストレータ内のパスワードを設定する工程。
【００６５】
[0078]  プロダクトＡｐｐは、好ましくは、構成されたアクセスアドミニストレータの今後の識別および構成されたアクセスアドミニストレータへの接続のためにスマートフォンメモリ内のこれらの特定のパラメータの記録を保持する。
【００６６】
[0079]  セットアップ手続きが完了した後は、プロダクトＡｐｐは、好ましくは、どれが「再開」を含み得るかを再構成するようにアクセスアドミニストレータファームウェアに命令する。アプリケーションファームウェアが再構成するとき、アクセスアドミニストレータは、指定されたデータを使用してそれ自体の一意のＩＤを追加および作成することになる。このＩＤを設定するために使用されたスマートフォンは、新しい特定のパラメータが知られているので、そのアクセスアドミニストレータに自動的に接続することができることになる。スマートフォンオペレーティングシステムが可能にする場合、プロダクトＡｐｐは、次いで、ユーザがプロダクトＡｐｐにおいてその特定のデバイスを選択する度に、アクセスアドミニストレータとの通信リンクを好ましくは自動的に確立するために使用され得る。
【００６７】
[0080]  アクセスアドミニストレータが構成された後は、任意の他のスマートフォンは、ユーザがその特定のアクセスアドミニストレータに現在特有の特定のパラメータを知っている場合にのみ、接続することができる。第２のスマートフォンが、Ｗｉ−ＦｉアクセスポイントまたはＷｉ−Ｆｉダイレクトデバイスを検索する場合、第２のスマートフォンは、それが「安全」であるという特徴を有する構成されたアクセスアドミニストレータを見ることになる。それに接続するために、ユーザは、そのアクセスアドミニストレータに割り当てられた特定のパスワードを知っている必要があることになり、そうでない場合、通信リンクを確立することはできないことになる。パスワードが知られていて、要求されたときにスマートフォンに入力された場合、第２のスマートフォンとアクセスアドミニストレータとの間の通信リンクが、確立されることになる。プロダクトＡｐｐは、好ましくは、アクセスアドミニストレータを制御することをやはり必要とされ、これは、アプリケーションの特質に応じて追加のセキュリティ対策を有し得る。
【００６８】
[0081]  新たにインストールされたアクセスアドミニストレータをピアツーピアモードで構成する代わりに、ユーザが、それがネットワークＷｉ−Ｆｉモードで動作することを選択した場合、これは、必要とされるオプションとして選択され、プロダクトＡｐｐは、アクセスアドミニストレータがクライアントとして接続するために使用可能な１つまたは複数のＷＬＡＮがあるかを判定する。プロダクトＡｐｐは、好ましいネットワークを確認するようにユーザに要求し、ネットワークパスワードなどの任意の必要なネットワークパラメータを確認および／または入力するようにユーザに求め、そうして、アクセスアドミニストレータは、選択されたＷＬＡＮにクライアントとして接続することができる。
【００６９】
[0082]  プロダクトＡｐｐは、スマートフォンを介して、システムマイクロコントローラ２０８と通信し、ネットワーク上のアクセスアドミニストレータを一意に識別する任意のパラメータを含み得るネットワークＷｉ−Ｆｉデバイスとしてアクセスアドミニストレータがそれ自体を確立するために必要とされるパラメータを設定する。すべての適切なパラメータが知られていて、更新されるとき、プロダクトＡｐｐは、「再開」を含み得るネットワークＷｉ−Ｆｉデバイスとしてそれのファームウェアを使用可能にするようにアクセスアドミニストレータに命令する。アクセスアドミニストレータは、その場合、クライアントとしてＷＬＡＮに接続し、ＷＬＡＮアクセスポイントを介してスマートフォンプロダクトＡｐｐによってアクセス可能になる。ネットワークＷｉ−Ｆｉクライアントとして稼働するアクセスアドミニストレータは、その場合、同じＷＬＡＮ上の他のスマートフォンによって制御することができる。１つの好ましい実施形態では、パスワード保護、プロダクトＡｐｐ内のソケット層、ハードウェア認証チップ、またはアクセスアドミニストレータが承認なしにネットワーク上の他のデバイスによって制御されることを防ぐための他の対策など、追加のセキュリティ対策を含むことがアクセスアドミニストレータにとって望ましいことがある。
【００７０】
[0083]  アクセスアドミニストレータは、好ましくは、ボンジュール、シンプルサービスディスカバリプロトコル（SSDP）、Ｂｌｕｅｔｏｏｔｈ（登録商標）サービスディスカバリプロトコル（SDP）、ＤＮＳサービス発見（DNS/DNS-SD）、動的ホスト構成プロトコル（DHCP）、インターネット記憶域ネームサービス（Internet Storage Name Service: iSNS）、ジャバオブジェクトのためのジニー、サービスロケーションプロトコル（SLP）、ＲＴＰセッションのためのセッションアナウンスメントプロトコル（SAP）、ユニバーサルプラグアンドプレイ（UPnP）のためのシンプルサービスディスカバリプロトコル（SSDP）、ウェブサービスのためのユニバーサルディスクリプションディスカバリアンドインテグレーション（UDDI）、ウェブプロキシ自動発見プロトコル（WPAD）、Ｗｅｂサービスダイナミックディスカバリ（WS-ディスカバリ）、ＸＭＰＰサービスディスカバリ（XEP-0030）、および／またはＸＲＩ、オープンＩＤ、ＯＡｕｔｈのためのＸＲＤＳなどを含むがこれらに制限されないネットワーク上のアクセスアドミニストレータ２００の発見を助けるための任意の必要なネットワーキングプロトコルを含む。
【００７１】
[0084]  好ましくは、スマートフォンが、アクセスアドミニストレータのワイヤレス信号から、またはサービス発見中に、アクセスアドミニストレータがＷＬＡＮネットワーククライアントとして構成され得る新しいワイヤレスデバイスであると判定するように構成された場合、スマートフォンまたはプロダクトＡｐｐは、好ましくは、ユーザが、ピアツーピア通信リンクをワイヤレスに使用して、アクセスアドミニストレータを知られているＷＬＡＮのネットワーククライアントとして自動的に構成するアクセスアドミニストレータにスマートフォンのメモリからの知られているＷＬＡＮの必要なネットワークパラメータを自動的に入力することを可能にする。スマートフォンはまた、アクセスアドミニストレータのワイヤレス信号から、またはサービス発見中に、スマートフォンが適切なＡｐｐストアからアクセスアドミニストレータの関連するプロダクトＡｐｐを自動的にダウンロードすることを好ましくは可能にする製品識別子を判定することができる。
【００７２】
[0085]  １つの好ましい実施形態では、アクセスアドミニストレータ２００は、アクセスアドミニストレータ２００と知られているＷｉ−Ｆｉネットワークのクライアントとしてアクセスアドミニストレータ２００を自動的に構成するために使用されるスマートフォン１０との間に安全なピアツーピアＷｉ−Ｆｉ通信リンクを確立するために必要とされる任意の関連するソフトウェア、ファームウェアまたはハードウェア認証を含む、Ａｐｐｌｅワイヤレスアクセサリ構成をサポートするように構成され得る。それが望ましい場合、アクセスアドミニストレータ２００およびプロダクトＡｐｐは、好ましくは、ＡｐｐｌｅのＨｏｍｅＫｉｔをサポートするように構成され得る。
【００７３】
[0086]  アクセスアドミニストレータが、Ｗｉ−Ｆｉダイレクトグループ参加者、シミュレートされたＷｉ−ＦｉアクセスポイントまたはネットワークＷｉ−Ｆｉデバイスとして構成された後は、それは、好ましくは、それが電源を切られ、次いで再び電源を入れられた後でも、そのモードで継続して動作する。各モードのすべての特定の動作パラメータは、好ましくは、不揮発性メモリに保存され、電力が取り除かれた場合に保持される。電力が回復したとき、システムマイクロコントローラ２０８は、電力が取り除かれる前に実行していた同Ｗｉ−Ｆｉモードの出力を上げ、適切なファームウェアおよび動作パラメータが、不揮発性メモリから回復される。
【００７４】
[0087]  並行するＷｉ−ＦｉピアツーピアおよびネットワークＷｉ−Ｆｉ能力を実行するアクセスアドミニストレータが望ましいアプリケーションが存在する。この状況では、プロダクトＡｐｐを介するユーザは、両方のモードを起動させ、いずれのモードも使用されることを可能にすることができる。等しく、プロダクトＡｐｐを介するユーザは、モードのうちの１つを無効にすることを選択することができ、あるいは、要望どおりに、ピアツーピアＷｉ−ＦｉモードからネットワークＷｉ−Ｆｉモードに、またはその逆に、変更することができる。並行するピアツーピアＷｉ−ＦｉおよびネットワークＷｉ−Ｆｉ能力は、特定のアプリケーションの所望のセキュリティ要件に従って、構成することができる。一例として、アクセスアドミニストレータ２００が、ネットワークＷＬＡＮおよびピアツーピア接続を並行して動作させる場合、アクセスアドミニストレータ２００は、サードパーティが並行ＷＬＡＮ接続へのアクセスを可能にせずにピアツーピア接続を介して機能を制御するまたは機能にアクセスすることを可能にし、それにより、他のＷＬＡＮデバイスへのアクセスを防ぐことができる。別法として、アクセスアドミニストレータ２００は、ピアツーピア接続にシステムの実際の制御を制限しながら、システムの遠隔監視またはネットワークＷＬＡＮ接続を介するデータ交換を可能にすることができる。
【００７５】
[0088]  Ｗｉ−Ｆｉモードが変更される度に、新しいモードのパラメータは、好ましくは、電力が停止したまたは失われた場合にシステムマイクロコントローラ２０８によって保持される。電力が回復したとき、システムマイクロコントローラ２０８は、電力が取り除かれるより前に以前に動作していたのと同じＷｉ−Ｆｉモードで電源を入れ、適切な動作パラメータが、不揮発性メモリから復元される。その方法では、システムマイクロコントローラ２０８は、好ましくは、不揮発性メモリから復元され得る適合したデフォルト設定で構成される。アクセスアドミニストレータが完全にリセットする必要があり得る時が存在し得ると想定される。プロダクトＡｐｐは、好ましくは、アクセスアドミニストレータと通信し、工場のデフォルト構成に再初期化するようにそれに命令することができる。この場合、アクセスアドミニストレータにロードされたすべてのユーザ定義のパラメータは失われ、それは、新しいユーザ定義のパラメータを受信する用意のできた、それの工場デフォルト状態に戻される。
【００７６】
[0089]  アクセスアドミニストレータは、スイッチ、ボタン、または容量性／近接性タッチパッド、あるいは音声認識ソフトウェアと使用するための音響変換器の形でヒューマンインターフェースを組み込むことができ、ユーザは、それを使用して、アクセスアドミニストレータに以下を行わせることができる：スマートフォンまたはプロダクトＡｐｐを使用せずに工場デフォルト構成に再初期化する、システムをリブートする、あるいはＷｉ−Ｆｉプロテクテッドセットアップを助ける。１つの好ましい実施形態では、アクセスアドミニストレータは、電力線通信接続またはワイヤレスジグビー接続を使用し、スマートフォンまたはスマートフォンのプロダクトＡｐｐの直接ワイヤレス使用なしにそれを工場デフォルト構成に再初期化させ、ローカルネットワーク通信２０６を介してコマンドを受け取るように構成され得る。必要に応じて、アクセスアドミニストレータは、デバイス自体への手動入力のない動作向けに構成することができる。
【００７７】
[0090]  １つの好ましい実施形態では、ワイヤレス通信２０２は、ピアツーピアＷｉ−ＦｉおよびネットワークＷｉ−Ｆｉ能力に加えて、またはそれらの代わりに、Ｂｌｕｅｔｏｏｔｈ機能を含み得る。スマートフォン１０とアクセスアドミニストレータ２００との間のピアツーピアＢｌｕｅｔｏｏｔｈ通信リンクは、ピアツーピアＷｉ−Ｆｉ、Ｗｉ−ＦｉダイレクトもしくはネットワークＷｉ−Ｆｉ通信リンクを確立するためのパラメータを入力するために、または、ピアツーピアＷｉ−Ｆｉ、Ｗｉ−ＦｉダイレクトもしくはネットワークＷｉ−Ｆｉ通信リンクを開くために、プロダクトＡｐｐによって使用することができ、あるいは、プロダクトＡｐｐとアクセスアドミニストレータ２００との間のデータの交換のためのピアツーピア通信リンクとしてそれ自体で動作することができる。プロダクトＡｐｐ、スマートフォンオペレーティングシステム、あるいは、タッチパッド、ボタン、スイッチ、または音響変換器の形のアクセスアドミニストレータ２００上のヒューマンインターフェースは、アクセスアドミニストレータ２００とスマートフォン１０との間のＢｌｕｅｔｏｏｔｈピアツーピア接続の確立を円滑にすることができる。プロダクトＡｐｐは、アクセスアドミニストレータ２００とスマートフォン１０との間の好ましいピアツーピア通信方法としてＢｌｕｅｔｏｏｔｈをユーザが指定することを可能にするように構成され得る。Ｂｌｕｅｔｏｏｔｈ接続は、好ましくは、選択されたＢｌｕｅｔｏｏｔｈ規格独自の安全な伝送方法およびプロトコルを使用する。
【００７８】
[0091]  スマートフォン１０およびアクセスアドミニストレータ２００が、ピアツーピアＷｉ−Ｆｉの独自仕様の実装形態またはＷｉ−Ｆｉダイレクトの適合を使用する場合、アクセスアドミニストレータ２００およびスマートフォンｌＯは、好ましくは、ピアツーピアＷｉ−Ｆｉのその独自仕様の実装形態またはＷｉ−Ｆｉダイレクトの適合特有のハンドシェイク、交渉方法、プロトコル、規格、仕様および構成要件を使用するように構成され、必要な任意のハードウェア、ソフトウェア、ファームウェアまたは認証スキームを組み込むことができ、それが望ましい場合、ピアツーピアＷｉ−Ｆｉ通信リンクの確立を円滑にするためにＢｌｕｅｔｏｏｔｈを使用することができる。
【００７９】
[0092]  本開示の好ましい形では、ＩＥＥＥ８０２．１１のアドホックＩＢＳＳモードを使用する通信リンクまたはモード（当業者には一般に理解されているような）は、本明細書によって明示的に除外される。
【００８０】
[0093]  １つの好ましい実施形態では、アクセスアドミニストレータは、ＮＦＣをサポートするスマートフォンでネットワークＷｉ−Ｆｉ、ピアツーピアＷｉ−Ｆｉ、Ｗｉ−Ｆｉダイレクト、Ｂｌｕｅｔｏｏｔｈまたは他の通信リンクを自動的に確立するために新しいアクセスアドミニストレータと最初に通信するときにプロダクトＡｐｐが使用することができるＮＦＣ能力を含み得る。このプロセスは、一般に、「ブートストラッピング」と呼ばれ、当業者にはよく知られている通信を初期化するための確立された方法である。
【００８１】
[0094]  図２に戻って参照すると、ローカルネットワーク通信２０６は、好ましくは、システムマイクロコントローラ２０８が、任意の適切な電力線通信プロトコル、規格、または仕様を使用し、建物の本線配線を介して互換性のある電気管理ユニット３００および／またはホームオートメーションデバイス２４と通信することを可能にする、集積回路、構成要素、コントローラ、トランシーバ、メモリ、マイクロプロセッサ、ＳｉＰ、ＰｏＰまたはＳｏＣの任意の組合せおよび数を含む。１つの好ましい実施形態では、電力線通信は、統合化されたランダムアクセスメモリ（RAM）、物理層（PHY）、媒体アクセスコントローラ（MAC）、およびアナログフロントエンドを使用する単一チップ解決法を使用して実装され得る。ローカルネットワーク通信２０６は、好ましくは、次のうちの１つまたは複数をサポートする：任意の修正、拡張、部分集合、改訂または独自仕様の実装形態を含む、ホームプラググリーンＰＨＹもしくはホームプラグＡＶ２を含むホームプラグパワーラインアライアンスホームプラグ規格もしくは仕様、ＩＥＥＥ１９０１、１９０１．１、１９０１．２規格もしくは仕様、および／または、ＩＴＵ−ＴのＧ．ｈｎ規格もしくは仕様。他の適切なプロトコル、規格または仕様は、ユニバーサルパワーラインアソシエーション、ＳｉＣｏｎｎｅｃｔ、ＨＤ−ＰＬＣアライアンス、Ｘｓｉｌｏｎ、およびパワーラインインテリジェントメータリングエボリューションアライアンスからのものを含むが、これらに制限されない。
【００８２】
[0095]  １つの好ましい実施形態では、電力線通信に加えて、または電力線通信の代わりに、ローカルネットワーク通信２０６は、好ましくは、次のうちの１つまたは複数を含む、任意の適切なワイヤレスＰＡＮもしくはＨＡＮプロトコル、規格、アプリケーションプロファイルまたは仕様を介してシステムマイクロコントローラ２０８が互換性のある電気管理ユニット３００および／またはホームオートメーションデバイス２４と通信することを可能にする集積回路、構成要素、コントローラ、トランシーバ、無線、アンテナ、メモリ、マイクロプロセッサ、ＳｉＰ、ＰｏＰ、またはＳｏＣの任意の組合せおよび数を含む：任意の修正、拡張、部分集合、改訂または独自仕様の実装形態を含む、ジグビーアライアンスによって公開された任意のジグビープロトコル、規格、アプリケーションプロファイルまたは仕様、任意のＡＮＴプロトコル、規格または仕様、ＷＩ−ＳＵＮアライアンスによって公開された任意のプロトコル、規格または仕様、Ｔｈｒｅａｄグループアライアンスによって公開された任意のＴｈｒｅａｄプロトコル、規格または仕様、任意のＺ−Ｗａｖｅプロトコル、規格または仕様、および／または、ＩＥＥＥ８０２．１５．４を含むがこれに制限されないＩＥＥＥ８０２．１５に基づく任意のプロトコル、規格または仕様。ローカルネットワーク通信２０６が、ワイヤレス通信向けに構成される場合、アンテナ２１０ａまたは複数のアンテナが、必要に応じて追加され得る。
【００８３】
[0096]  ローカルネットワーク通信２０６および／またはワイヤレス通信２０２は、それが望ましい場合、ジグビーアライアンススマートエネルギプロファイルプロトコル、規格、アプリケーションプロファイルまたは仕様を使用するように構成され得る。
【００８４】
[0097]  １つの好ましい実施形態では、任意の他のネットワークトポロジまたは特定のワイヤレスＰＡＮもしくはＨＡＮプロトコル、規格、アプリケーションプロファイル、仕様、技法または作成スキームを使用する能力を制限せずに、アクセスアドミニストレータ２００は、好ましくは、個々のジグビーネットワークのジグビーネットワークコーディネータ、ルータ、エンドデバイス、全機能搭載デバイス、低減機能デバイスまたは参加者として動作するようにプロダクトＡｐｐによって構成され得る。スマートフォン１０とアクセスアドミニストレータ２００との間のワイヤレス通信リンクを使用して、プロダクトＡｐｐを介するユーザは、好ましくは、以下を含むアクセスアドミニストレータ２００の任意のジグビーネットワーク能力を構成、管理および制御することができる：既存のワイヤレスジグビーネットワークの加入、ワイヤレスジグビーネットワークの調整、ワイヤレスジグビーネットワークの起動、または、ジグビーネットワークの加入における他のジグビー製品の円滑化。一例として、プロダクトＡｐｐを介して、アクセスアドミニストレータ２００は、ルータまたはエンドデバイスとして電気管理ユニットによって調整されたジグビースマートエネルギネットワークに加わるようにユーザによって構成され得る。追加でまたは別法として、プロダクトＡｐｐを介して、アクセスアドミニストレータ２００は、ホームオートメーションデバイスが加わるためにジグビーホームオートメーションネットワークを調整するようにユーザによって構成され得る。
【００８５】
[0098]  スマートメータは、パーソナルデータおよび送電網に関するデータの両方を含む高度計量インフラストラクチャを介して電力ネットワークにわたり通信するので、ネットワークのセキュリティは、最重要である。１つの好ましい実施形態では、任意の他のアプリケーションプロファイル、プロトコル、仕様または規格を使用する能力を制限することなく、アクセスアドミニストレータ２００および電気管理ユニット３００は、好ましくは、ジグビースマートエネルギの信頼構造および作成方法を使用して安全な通信リンクを確立するように構成される。電気管理ユニット３００は、好ましくは、ネットワーク鍵の生成および建物、アパートまたは設備内のそれのスマートエネルギＨＡＮへのノードのアクセスの管理の責任を負うジグビースマートエネルギコーディネータおよび信頼センタとして構成される。アクセスアドミニストレータ２００は、好ましくは、ジグビースマートエネルギノードとして構成され、リンク鍵およびスマートエネルギセキュリティ証明書を製造中に組み込まれる。リンク鍵およびセキュリティ証明書は、好ましくは、アクセスアドミニストレータ２００内の不揮発性メモリに記憶される。
【００８６】
[0099]  １つの好ましい実施形態では、アクセスアドミニストレータ２００は、インストールコードを割り当てられる。インストールコードは、好ましくは、４桁チェックサムがその後に続く１２、１６、２４または３２桁の１６進数を含む。先行する桁は、好ましくは、アクセスアドミニストレータ内の不揮発性メモリに記憶されたリンク鍵をアルゴリズムで導出するために使用される。
【００８７】
[00100]  アクセスアドミニストレータ２００は、好ましくは、それのジグビースマートエネルギＰＡＮもしくはＨＡＮに対応するＩＥＥＥ／ＭＡＣアドレスを有する。アクセスアドミニストレータ２００のスマートエネルギＩＥＥＥ／ＭＡＣアドレスは、好ましくは、マイクロコントローラ２０８またはローカルネットワーク通信２０６によってレポートされる。
【００８８】
[00101]  アクセスアドミニストレータ２００のインストールコードおよび／またはスマートエネルギＩＥＥＥ／ＭＡＣアドレスは、物理ユニットで、または文書業務において、またはプロダクトＡｐｐに自動転送する用意のできたアクセスアドミニストレータ２００の不揮発性メモリに組み込まれるなどした電子フォーマットで記録され得る。インストールコードおよび／またはスマートエネルギＩＥＥＥ／ＭＡＣは、プロダクトＡｐｐがスマートフォンカメラを使用して走査するおよびプロダクトＡｐｐに自動的に追加することを可能にする、ＱＲコードまたはバーコードなどの視覚的に可読な形で記録することができる。視覚的可読コードはまた、プロダクトＡｐｐが構成中の機能的能力の関連制御を自動的に関連付けるおよび表示することを可能にする、アクセスアドミニストレータ２００の機能的能力に関する追加情報を含み得ることが、理解されよう。１つの好ましい実施形態では、視覚的可読コードの代わりに、または視覚的可読コードに加えて、アクセスアドミニストレータ２００は、スマートフォンによってサポートされる場合に近距離無線通信を使用するプロダクトＡｐｐへのインストールコードおよび／またはスマートエネルギＩＥＥＥ／ＭＡＣと任意の追加情報との転送を可能にするＮＦＣ能力と構成され得る。インストールコードおよび／またはスマートエネルギＩＥＥＥ／ＭＡＣは、プロダクトＡｐｐに手動で入力され得る。
【００８９】
[00102]  １つの好ましい実施形態では、電気管理ユニット３００は、好ましくは、識別コードを付けられる。識別コードは、物理ユニットに、または文書業務において、記録され得る。識別コードは、プロダクトＡｐｐがスマートフォンカメラを使用して走査するおよびプロダクトＡｐｐに自動的に追加することを可能にする、ＱＲコードまたはバーコードなどの視覚的に可読な形で記録することができる。視覚的可読コードはまた、プロダクトＡｐｐが構成中に機能的能力の関連制御を自動的に関連付けるおよび表示することを可能にする、電気管理ユニット３００の機能的能力に関する追加情報を含み得ることが、理解されよう。１つの好ましい実施形態では、視覚的可読コードの代わりに、または視覚的可読コードに加えて、電気管理ユニット３００は、スマートフォンによってサポートされる場合に近距離無線通信を使用するプロダクトＡｐｐへの識別コードおよび任意の追加情報の転送を可能にするＮＦＣ能力と構成され得る。識別コードは、プロダクトＡｐｐに手動で入力され得る。
【００９０】
[00103]  安全な通信リンクを確立するために、アクセスアドミニストレータ２００および電気管理ユニット３００は、セキュリティ鍵および証明書の多段階交換を可能にする安全なペアリングモードにされる必要がある。
【００９１】
[00104]  １つの好ましい実施形態では、スマートフォン１０とアクセスアドミニストレータ２００との間のワイヤレス通信リンクの最初の構成の後、プロダクトＡｐｐは、好ましくは、アクセスアドミニストレータ２００に問い合わせ、それが電気管理ユニット３００のネットワークに加わったかどうかを判定するように構成される。加わっていない場合、プロダクトＡｐｐは、好ましくは、使用可能なエネルギ管理ユニット３００とアクセスアドミニストレータ２００のペアリングを開始するオプションを表示する。ユーザが、ペアリングの開始を選択した場合、プロダクトＡｐｐは、好ましくは、アクセスアドミニストレータ２００とのピアツーピアまたはネットワークＷｉ−Ｆｉワイヤレス通信リンクを介してアクセスアドミニストレータ２００の不揮発性メモリからインストールコードおよびスマートエネルギＩＥＥＥ／ＭＡＣアドレスを自動的に抽出する。アクセスアドミニストレータ２００を所望の電気管理ユニット３００に関連付けるために、プロダクトＡｐｐは、好ましくは、電気管理ユニット３００の識別コードを視覚的に読み取るまたはその手動入力を受け取るように構成される。プロダクトＡｐｐは、本開示の範囲を逸脱することなしにペアリング手続きの開始の後ではなくて通信リンクの最初の確立時にアクセスアドミニストレータ２００の不揮発性メモリからインストールコードおよびスマートエネルギＩＥＥＥ／ＭＡＣアドレスを自動的に抽出し得ることが、理解されよう。
【００９２】
[00105]  プロダクトＡｐｐが、アクセスアドミニストレータ２００のインストールコードおよびスマートエネルギＩＥＥＥ／ＭＡＣアドレスと電気管理ユニット３００の識別コードとを有した後は、プロダクトＡｐｐは、好ましくは、電気管理ユニットの通信ハブの管理の責任を負うユーザの公益事業体またはプロバイダとの通信チャネルを開き、電気管理ユニット３００がアクセスアドミニストレータ２００とペアを組むように構成されることを要求する。プロダクトＡｐｐは、好ましくは、この手続きの一環として公益事業体または通信ハブマネージャにインストールコード、スマートエネルギＩＥＥＥ／ＭＡＣアドレスおよび識別コードを転送する。サービスプラットフォームは、本開示の範囲を逸脱することなしにプロダクトＡｐｐと公益事業体または通信ハブマネージャとの通信を円滑にするために使用され得ることが、理解されよう。
【００９３】
[00106]  １つの好ましい実施形態では、アクセスアドミニストレータのセキュリティ証明書、またはアクセスアドミニストレータのセキュリティ証明書から導出された情報は、好ましくは、ペアリング要求手続きの一環として、アクセスアドミニストレータ２００からプロダクトＡｐｐによって自動的に抽出され、公益事業体または通信ハブマネージャに転送され得る。
【００９４】
[00107]  ペアリング要求を受信したとき、公益事業体または通信ハブマネージャは、好ましくは、識別コードを使用して、高度計量インフラストラクチャまたはスマートエネルギ広域ネットワーク上で目標電気管理ユニット３００を識別およびアドレス指定する。インストールコードを使用し、公益事業体または通信ハブマネージャは、好ましくは、アクセスアドミニストレータ２００に関連するおよびその中に記憶された事前構成されたリンク鍵をアルゴリズムで導出する。高度計量インフラストラクチャまたはスマートエネルギ広域ネットワークを使用して電気管理ユニット３００と通信して、公益事業体または通信ハブマネージャは、好ましくは、アクセスアドミニストレータのリンク鍵およびスマートエネルギＩＥＥＥ／ＭＡＣアドレスを電気管理ユニット３００にインストールし、電気管理ユニット３００をペアリングモードにする。公益事業体または通信ハブマネージャは、必要に応じて、セキュリティ証明書、またはセキュリティ証明書から導出された情報、またはセキュリティ証明書に関連する鍵を公益事業体管理ユニット３００に転送することができる。
【００９５】
[00108]  １つの好ましい実施形態では、プロダクトＡｐｐは、公益事業体または通信ハブマネージャにペアリング要求を送信した後にローカルネットワーク通信２０６のジグビースマートエネルギＰＡＮもしくはＨＡＮをペアリングモードにするようにマイクロコントローラ２０８に自動的に指示することができる。１つの好ましい実施形態では、プロダクトＡｐｐは、ユーザは自身の電気管理ユニット３００に接続するためにアクセスアドミニストレータ２００をペアリングモードにするべきであるという通知を公益事業体または通信ハブマネージャから受信するように構成することができ、プロダクトＡｐｐは、好ましくは、スマートフォン１０とアクセスアドミニストレータ２００との間の任意の使用可能な通信チャネルを使用して、ローカルネットワーク通信２０６のジグビースマートエネルギＰＡＮもしくはＨＡＮをペアリングモードにするためのマイクロコントローラ２０８への指示をプロダクトＡｐｐに行わせるために使用することができるユーザインターフェースを表示している。
【００９６】
[00109]  ペアリング中に、アクセスアドミニストレータ２００は、好ましくは、電気管理ユニット３００によって調整されたジグビースマートエネルギネットワーク上の電気管理ユニット３００に加入要求を送信する。電気管理ユニット３００は、好ましくは、アクセスアドミニストレータのリンク鍵と、必要な場合には、スマートエネルギＩＥＥＥ／ＭＡＣアドレスとを使用して、アクセスアドミニストレータのリンク鍵を使用して暗号化されたネットワーク鍵をアクセスアドミニストレータ２００に提供する。アクセスアドミニストレータ２００は、好ましくは、ネットワーク鍵を使用して電気管理ユニット３００との一連の通信を暗号化してアプリケーションリンク鍵を生成し、そのプロセスはセキュリティ証明書の交換を含み得る。アプリケーションリンク鍵は、次いで、アクセスアドミニストレータ２００と電気管理ユニット３００との間の通信を暗号化するために使用することができ、アクセスアドミニストレータは、その場合、電気管理ユニット３００のジグビースマートエネルギネットワークに加わっている。
【００９７】
[00110]  アクセスアドミニストレータ２００が、電気管理ユニット３００によって調整されたジグビースマートエネルギネットワークに参加する場合、アクセスアドミニストレータ２００は、好ましくは、プロダクトＡｐｐが電気管理ユニット３００以外のデバイスとデータを交換することを可能にするジグビースマートエネルギネットワーク上の他のデバイスと通信することができる。一例として、アクセスアドミニストレータ２００は、好ましくは、英国のエネルギ・気候変動省のスマート計量機器技術仕様（Smart Metering Equipment Technical Specification）の下などの２系統燃料メータ配列における電気管理ユニット３００のノードとして構成されたガスメータと通信し得る。
【００９８】
[00111]  １つの好ましい実施形態では、プロダクトＡｐｐの使用に加えて、またはその代わりに、アクセスアドミニストレータ、電気管理ユニットまたはホームオートメーションデバイスのジグビーネットワーキングは、好ましくは、ネットワークの起動、加入または調整のための選択されたジグビーワイヤレスプロトコル、規格、アプリケーションプロファイルまたは仕様において使用可能な任意の機構を利用することができる。一例として、ホームオートメーションデバイス２４および／またはアクセスアドミニストレータ２００および／または電気管理ユニット３００上のスイッチ、ボタンまたはタッチパッドなどのヒューマンインターフェースは、アクセスアドミニストレータが電気管理ユニットによって調整されたジグビーネットワークに加わるために、またはホームオートメーションデバイスがアクセスアドミニストレータによって調整されたジグビーネットワークに加わるために必要とされる任意のセキュリティ、信頼、またはネットワーキング資格情報の交換のためにペアリングモードを開始するために使用することができ、その方法は、当業者には理解されよう。
【００９９】
[00112]  いくつかのジグビーネットワークはコーディネータなしで動作することが理解されよう。アクセスアドミニストレータ、電気管理ユニットまたはホームオートメーションデバイスのコーディネータのないジグビーネットワークへの作成は、好ましくは、コーディネータのないネットワークの加入のための選択ジグビーワイヤレスプロトコル、規格、アプリケーションプロファイルまたは仕様において使用可能な任意の機構を利用することができる。一例として、アクセスアドミニストレータは、ジグビータッチリンク構成機構を使用するジグビーライトリンクネットワークを開始するまたはそれに追加することができ、その方法は当業者には理解されよう。１つの好ましい実施形態では、アクセスアドミニストレータ２００のジグビータッチリンク構成は、プロダクトＡｐｐを介して管理することができる。
【０１００】
[00113]  数年にわたるジグビーの有機的成長は、いくつかの異なるジグビー規格、アプリケーションプロファイル、および仕様の採用および開発が特定の産業のニーズを満たす結果をもたらした。一例として、ジグビースマートエネルギは、単純なホームオートメーションにはあまり適さないある程度の複雑性といくつかのセキュリティおよび信頼構造とを有する公益事業産業のためのジグビーの特定の実装形態に発展した。したがって、ジグビーの特定の実装形態は、ジグビーホームオートメーションおよびジグビーライトリンクなどのホームオートメーションのために発展した。したがって、アクセスアドミニストレータの能力とホームオートメーションデバイスおよびスマートメータとの相互運用性とを最大にするために、アクセスアドミニストレータが２つ以上のジグビーネットワークに同時にまたは並行して参加することが非常に望ましいことがあることが、理解されよう。
【０１０１】
[00114]  １つの好ましい実施形態では、ローカルネットワーク通信２０６は、２つ以上のワイヤレスジグビーネットワークを同時にまたは並行して動作させるように構成することができ、各ジグビーネットワークは、好ましくは、それが望ましい場合には異なるジグビー規格、アプリケーションプロファイル、仕様、トポロジまたはアクセススキームを使用して通信する能力を有する。適切な規格、アプリケーションプロファイル、または仕様は、以下を含み得る：ジグビーホームオートメーション、ジグビーライトリンク、ジグビースマートエネルギ、ジグビーＲＦ４ＣＥ、ジグビーＩＰ、ジグビーＰｒｏ、ジグビー２．Ｘ、ジグビー３．Ｘ以降、ＩＥＥＥ８０２．１５．４、または独自仕様の実装形態。ジグビーネットワークは、２つ以上のアプリケーションプロファイルで構成され得ることが、当業者には理解されよう。
【０１０２】
[00115]  １つの好ましい実施形態では、ローカルネットワーク通信２０６が、ジグビーのサポートを含み、アクセスアドミニストレータが同時に２つのジグビーネットワークに加わることが望ましい場合、ローカルネットワーク通信２０６は、好ましくは、手動または自動切替えモードを介して動作させられる２つのセットのネットワークパラメータを維持することによって２つのジグビーネットワークに参加するように構成された単一ＩＥＥＥ８０２．１５．４無線を有するデュアルネットワーク対応ＳｏＣ、ＰｏＰまたはＳｉＰで構成され得る。デュアルネットワーク対応ＳｏＣ、ＰｏＰまたはＳｉＰは、好ましくは、共存のために最適化されたネットワーク間の同期化を含む。アクセスアドミニストレータ２００は、好ましくは、ネットワークの所望のトポロジに応じて各ネットワーク上のジグビーコーディネータ、ルータ、エンドデバイスまたは参加者として動作することができる。一例として、アクセスアドミニストレータ２００は、ルータまたはエンドデバイスとして電気管理ユニットによって調整されたジグビースマートエネルギネットワークにプロダクトＡｐｐを介して参加するように構成することができ、同時に、接続されたホームオートメーションデバイスをプロダクトＡｐｐからの命令を介して制御することを目的としてジグビーホームオートメーションネットワークを調整するように構成することができる。これは、電気管理ユニットによって調整されたジグビースマートエネルギネットワークのセキュリティおよび完全性が高いレベルで維持されることを可能にし、ジグビーホームオートメーションネットワークのコーディネータとして動作するアクセスアドミニストレータを介して別個のネットワーク上の一般的ホームオートメーションデバイスをプロダクトＡｐｐが制御することを可能にすることが、理解されよう。
【０１０３】
[00116]  １つの好ましい実施形態では、アクセスアドミニストレータにおいて構成されたワイヤレスおよびワイヤード通信技術の混合によって利用可能にされる通信パスを制限することなく、アクセスアドミニストレータ２００が、デュアルネットワークジグビー通信で構成される場合、ローカルネットワーク通信２０６またはシステムマイクロコントローラ２０８は、好ましくは、ジグビーネットワーク間の制御、コマンド、構成および他のデータを置き換える、送る、またはそれらの移行を他の方法で円滑にすることができる。その方法では、単に一例として、アクセスアドミニストレータ２００が参加者であるジグビースマートエネルギネットワークに伝搬される電気管理ユニット３００からの需要応答信号または料金変動は、アクセスアドミニストレータ２００がやはり参加者であるジグビーホームオートメーションネットワークにアクセスアドミニストレータ２００によって伝搬することができ、ホームオートメーションデバイスが、デバイスの電力を切ることなど、特定の方法で需要応答信号または料金変動に応答することを可能にする。もう１つの例としては、アクセスアドミニストレータ２００は、ジグビースマートエネルギネットワーク上で需要応答信号または料金変動を受信し、所望の応答をもたらすジグビーホームオートメーションネットワーク上の１つまたは複数のホームオートメーションデバイスへのコマンドを発行することができる。
【０１０４】
[00117]  １つの好ましい実施形態では、アクセスアドミニストレータ２００が、デュアルネットワークジグビー通信と構成される場合、各ジグビーＰＡＮは、好ましくは、他から隔離され、データがアクセスアドミニストレータ２００内のジグビーＰＡＮの間で内部で送られないようにすることができる。その方法では、単に一例として、ジグビーホームオートメーションネットワークおよび電気管理ユニット３００を有するジグビースマートエネルギネットワークに参加するアクセスアドミニストレータ２００は、好ましくは、データ（需要応答信号など）を電気管理ユニット３００からジグビーホームオートメーションネットワークに内部で送る、置き換えるまたは移動させることができない。もう１つの例として、電気管理ユニット３００を有するジグビースマートエネルギネットワークおよびジグビーホームオートメーションネットワークに参加するアクセスアドミニストレータ２００は、好ましくは、デバイス識別子、状況、および状態データなど、ジグビースマートエネルギネットワークにホームオートメーションデバイスによって生成されたデータを内部で送る、置き換えるまたは移動させることができない。この機構を介して、アクセスアドミニストレータ２００は、一方のＰＡＮを介するホームオートメーションハブおよび他方のＰＡＮを介する消費者アクセスデバイスとして個別に動作するように構成することができ、ユーザが、自身の電気課金および公益事業サービスから独立してホームオートメーション環境を構築および維持することを可能にし、一方のＰＡＮのセキュリティまたは信頼対策が他方に影響を及ぼさないようにすることができる。いくつかの実施形態では、アクセスアドミニストレータ２００内部でジグビーＰＡＮの間でデータを送らないことが好ましいことがあるが、これは、それが望ましい場合、データの１つのジグビーネットワーク上のアクセスアドミニストレータ２００による受信、そのデータのサービスプラットフォームへの送信、サービスプラットフォームから戻るデータの受信、およびそのデータの他方のジグビーネットワークへの送付、置換えまたは移動の可能性を制限するものとして解釈されるべきではない。
【０１０５】
[00118]  １つの好ましい実施形態では、アクセスアドミニストレータ２００は、ジグビースマートエネルギネットワーク上のルータ機能を有さないエンドデバイスまたは低減機能デバイスとして構成され得る。デュアルネットワークジグビーアーキテクチャは、本開示の範囲を逸脱することなしに単一ＩＥＥＥ８０２．１５．４無線、デュアルネットワーク対応ＳｏＣ、ＰｏＰまたはＳｉＰ以外の手段によってアクセスアドミニストレータにおいて有効にされ得ることが、理解されよう。１つの好ましい実施形態では、デュアルネットワークジグビー通信アーキテクチャは、好ましくは、システムマイクロコントローラ２０８など、マスタマイクロコントローラの制御下で異なるジグビーネットワークを個々に実行するように各々構成された、２つの単一無線ＳｉＰ、ＰｏＰまたはＳｏＣを使用して構成され得る。もう１つの好ましい実施形態では、デュアルネットワークジグビー通信アーキテクチャは、好ましくは、通信インターフェースを介して２つの別個の無線を動作させるように構成されたマイクロコントローラを使用して構成され得る。もう１つの好ましい実施形態では、デュアルネットワークジグビー通信アーキテクチャは、好ましくは、ソフトウェアにおいて２つのネットワークを同時にまたは並行して動作させるように構成されたマイクロコントローラとともにＳｉＰ、ＰｏＰまたはＳｏＣおよび単一ＩＥＥＥ８０２．１５．４無線を使用して構成され得る。これらは単に例であり、使用可能な任意の適切な手段および技術を使用し得る、アクセスアドミニストレータ２００におけるデュアルネットワークジグビーアーキテクチャの実装形態を制限するものではないことが、理解されよう。
【０１０６】
[00119]  ジグビー規格および仕様は、ジグビープロトコルスタックの各層での暗号化、認証および完全性を含む、包括的セキュリティアーキテクチャおよび信頼管理モデルを定義し、その任意の要素は、好ましくは、それが望ましい場合にはアクセスアドミニストレータ、電気管理ユニットおよびホームオートメーションデバイスの間のジグビー通信のために使用され得る。
【０１０７】
[00120]  ローカルネットワーク通信モジュール２０６が、電力線通信およびワイヤレスＨＡＮもしくはＰＡＮ通信の両方のサポートを含む場合、システムマイクロコントローラ２０８またはローカルネットワーク通信２０６における専用マイクロコントローラは、同時に電力線ネットワークおよびワイヤレスＨＡＮまたはＰＡＮを介して通信することができ、あるいは電気管理ユニットおよび／またはホームオートメーションデバイスとの最も頑強な通信チャネルを動的に評価し、通信リンクの形成またはオープン通信リンクへのデータ転送において最も頑強な通信媒体を使用することができる。動的評価は、以下でさらに詳しく説明されるような信号インジケータの長所を使用することによって、円滑にされ得る。
【０１０８】
[00121]  電力線通信は、本線電力配線を介してユーザの建物の外を進み得るので、アクセスアドミニストレータ２００は、好ましくは、電気管理ユニット３００との通信のための暗号化をサポートする。アクセスアドミニストレータ２００および電気管理ユニット３００は、好ましくは、任意のパスワード、セキュリティ鍵、または選択された電力線通信プロトコル、規格もしくは仕様に固有の他の安全なリンク方法を含むデータのセキュリティおよび暗号化のための技法および機構を採用する。
【０１０９】
[00122]  １つの好ましい実施形態では、特定の電力線通信プロトコル、規格または仕様の任意の他のペアリング技法またはトポロジを使用する能力を制限することなく、電気管理ユニット３００およびアクセスアドミニストレータ２００が、ホームプラグパワーラインプロトコル、規格、または仕様を使用して通信する場合、アクセスアドミニストレータ２００は、好ましくは、関連付けられていないステーションとして出荷し、関連付けられていない識別子メッセージをブロードキャストするおよびホームプラグネットワークがアクティブであり、建物の本線電力配線に加わり得るかを判定する、パワーオンネットワーク発見手続きに入ることができる。
【０１１０】
[00123]  電気管理ユニット３００によって調整された安全な電力線ネットワークにアクセスアドミニストレータ２００が加わるために、アクセスアドミニストレータ２００は、好ましくは、電気管理ユニット３００のネットワークメンバシップ鍵を先ず取得する。ネットワークメンバシップ鍵を取得するために、アクセスアドミニストレータは、好ましくは、一意のデバイスアクセス鍵でプログラムされる。電気小売業者、電気公益事業体または電気管理ユニット３００のマネージャは、好ましくは、アクセスアドミニストレータ２００の一意のデバイスアクセス鍵をローカルにまたは図４において概説される通信経路４２６などの使用可能な通信経路を用いて電気管理ユニット３００に入力し、電気管理ユニット３００をペアリングモードにする。電気管理ユニット３００は、デバイスアクセス鍵を使用してそれのネットワークメンバシップ鍵を暗号化し、これを電力線ネットワークを介してブロードキャストする。デバイスアクセス鍵は、アクセスアドミニストレータ２００に固有であるので、ネットワークメンバシップ鍵を取得するために電気管理ユニット３００からのブロードキャストメッセージを解読する能力を有するのは新しいステーションのみになる。アクセスアドミニストレータ２００が、ネットワークメンバシップ鍵を取得した後は、アクセスアドミニストレータ２００は、電気管理ユニット３００によって調整された電力線ネットワークに加わるために、これを使用することができる。その時、電気管理ユニット３００は、好ましくは、アクセスアドミニストレータ２００とネットワーク暗号化鍵を共用し、電気管理ユニット３００とアクセスアドミニストレータ２００との間のすべての通信が暗号化され、安全であることを確保する。
【０１１１】
[00124]  アクセスアドミニストレータ２００のデバイスアクセス鍵は、物理ユニットに、または文書業務において、またはプロダクトＡｐｐへの自動転送の準備の整ったアクセスアドミニストレータ２００のメモリに組み込まれるなどする電子フォーマットにおいて記録することができる。デバイスアクセス鍵は、プロダクトＡｐｐがスマートフォンカメラを使用して走査するおよびデバイスアクセス鍵でプロダクトＡｐｐに自動的に追加することを可能にする、ＱＲコードまたはバーコードなど、視覚的に可読な形で記録することができる。視覚的可読コードはまた、プロダクトＡｐｐが構成中にアクセスアドミニストレータの機能的能力の関連制御を自動的に関連付けるおよび表示することを可能にし、アクセスアドミニストレータ２００の機能的能力に関する追加情報を含み得ることが、理解されよう。１つの好ましい実施形態では、視覚的可読コードの代わりに、または視覚的可読コードに加えて、アクセスアドミニストレータ２００は、スマートフォンによってサポートされる場合に近距離無線通信を使用するプロダクトＡｐｐへのデバイスアクセス鍵および任意の追加情報の転送を可能にするＮＦＣ能力を有して構成され得る。デバイスアクセス鍵は、プロダクトＡｐｐに手動で入力することができる。
【０１１２】
[00125]  もう１つの好ましい実施形態では、アクセスアドミニストレータ２００および電気管理ユニット３００が、ホームプラグパワーラインプロトコル、規格または仕様を使用して通信する場合、電気管理ユニット３００とアクセスアドミニストレータ２００との間の安全な通信経路は、好ましくは、アクセスアドミニストレータ２００とスマートフォン１０との間のワイヤレス通信リンクを使用してプロダクトＡｐｐを介してアクセスアドミニストレータ２００に電気管理ユニットのネットワークメンバシップ鍵を入力することによって形成することができ、それによって同ネットワークメンバシップ鍵でアクセスアドミニストレータ２００および電気管理ユニット３００を構成し、それらが安全なネットワークを形成することを可能にする。ネットワークメンバシップ鍵は、電気管理ユニット３００上で、あるいは文書業務または電気管理ユニット３００に関連する電子フォーマットにおいて、記録することができる。１つの好ましい実施形態では、ネットワークメンバシップ鍵は、好ましくはプロダクトＡｐｐに電気管理ユニット３００のシリアル番号などのシリアル番号を入力することによって、取得することができ、プロダクトＡｐｐは、次いで、スマートフォンの固有のセルラまたはネットワークＷｉ−Ｆｉ能力を使用してサービスプラットフォームにアクセスし、プロダクトＡｐｐが次いでアクセスアドミニストレータ２００に好ましくは自動的にロードする、シリアル番号によって識別される電気管理ユニット３００に割り当てられたネットワークメンバシップ鍵のシリアル番号を交換する。シリアル番号は、別法として、パスワード、顧客ＩＤまたはアカウント番号、あるいは、サービスプラットフォーム上の電気管理ユニット３００を一意に識別し、その関連するネットワークメンバシップ鍵をプロダクトＡｐｐにダウンロードするために使用される任意の適切なコードでもよい。
【０１１３】
[00126]  電気管理ユニット３００によって調整された電力線ネットワークへのアクセスアドミニストレータの作成の他の方法は、ソフトウェアまたはハードウェアボタンなどのヒューマンインターフェースを使用し得る方法を含む、本開示の範囲を逸脱することなく使用され得ることが、理解されよう。単に一例として、非対称公開／秘密鍵暗号化方法が、スマートフォン１０がアクセスアドミニストレータ２００にワイヤレスに接続される間にプロダクトＡｐｐにおいてソフトウェアボタンを押すことおよび電気管理ユニット３００上のハードウェアボタンを押すことによって使用可能であり、その方法は当業者には理解されよう。必要に応じて、アクセスアドミニストレータ２００は、電気管理ユニット３００との安全な電力線通信リンクを確立することを目的としてアクセスアドミニストレータ２００を安全なペアリングモードにするために使用することができるボタン、スイッチまたはタッチパッドを含み得る。
【０１１４】
[00127]  １つの好ましい実施形態では、アクセスアドミニストレータ２００および電気管理ユニット３００は、既に事前に構成されたすべてのネットワーキング要件とともに対応付け済みのセットまたはキットとして提供され得る。たとえば、ネットワーキングメンバシップ鍵および電気管理ユニット３００の任意の他の必要なネットワーキング要件は、ベンダまたは製造会社によってアクセスアドミニストレータ２００に入力することができ、それによって、電気管理ユニット３００の関連ステーション、ルータまたはエンドデバイスとしてアクセスアドミニストレータ２００を事前に構成し、電源が入るとすぐに安全なネットワーク通信リンクを確立することができる。
【０１１５】
[00128]  アクセスアドミニストレータ２００および電気管理ユニット３００は、好ましくは、望ましい電力線通信プロトコル、仕様または規格の任意の固有のセキュリティ対策および作成技法を採用することができる。セキュリティ証明書など、任意の固有のセキュリティ対策への追加のセキュリティ対策が、本発明の範囲を逸脱することなしに使用され得る。
【０１１６】
[00129]  アクセスアドミニストレータ２００と電気管理ユニット３００との間の安全なネットワークは、必要に応じてアクセスアドミニストレータ２００および電気管理ユニット３００に制限することができ、それによって、専用の安全なネットワークまたは専用のピアツーピア通信経路を形成することができる。アクセスアドミニストレータ２００および電気管理ユニット３００内のソフトウェア、ファームウェアまたはハードウェア層は、同じネットワークメンバシップ鍵またはセキュリティ資格情報を使用する同じ物理層上であってもアクセスアドミニストレータ２００または電気管理ユニット３００と他のデバイスが通信することを防ぐ追加のセキュリティサービスを提供するために、含まれ得る。
【０１１７】
[00130]  １つの好ましい実施形態では、アクセスアドミニストレータ２００は、好ましくは、電気管理ユニット３００の代わりに電力線通信ネットワークコーディネータとして構成され得る。１つの好ましい実施形態では、ユーザの好ましいトポロジに従って、アクセスアドミニストレータ２００または電気管理ユニット３００のうちのどれがネットワークコーディネータになるかを、プロダクトＡｐｐを介して、ユーザが構成することが望ましいことがある。
【０１１８】
[00131]  安全な電力線通信ネットワークのアプリケーションおよび形成は、主としてアクセスアドミニストレータ２００と電気管理ユニット３００との間で説明されているが、電力線通信ネットワークは、そのように制限されず、プロダクトＡｐｐと１つまたは複数のホームオートメーションデバイスとの間の通信を可能にすることを目的とするアクセスアドミニストレータとホームオートメーションデバイス２４との間の安全な通信ネットワークの形成に適用され得ることが、理解されよう。アクセスアドミニストレータ２００および電気管理ユニット３００に関して開示されるペアリング機構は、アクセスアドミニストレータ２００およびホームオートメーションデバイス２４に適用され得る。
【０１１９】
[00132]  図２を参照すると、データは、任意の必要な分離またはフィルタを好ましくは含む電力線結合器２１４を好ましくは介して本線配線に物理的に変調される。
【０１２０】
[00133]  アクセスアドミニストレータ２００は、アクセスアドミニストレータ２００の状況または動作要素を表す１つまたは複数の照明手段または視覚的要素を含むように構成され得る。視覚的要素は、単純な発光ダイオード、ＬＣＤ、カラーＬＣＤ、統合ディスプレイ、またはその任意の組合せを手段とし得る。
【０１２１】
[00134]  アクセスアドミニストレータ２００は、好ましくは、２．４Ｇｈｚ産業、科学および医療無線スペクトルで動作する非常に近い近接するいくつかの無線で構成されるので、無線伝送が互いに干渉することを防ぐ必要がある。１つの無線からの通信が他に干渉することを防ぐために、システムマイクロコントローラ２０８は、好ましくは、中断の可能性を最小限にするために無線伝送を順番付けるように構成される。無線伝送の順番付けは、動的周波数ホッピングおよびエラー修正などの他の共存方法に加えてでもよい。
【０１２２】
[00135]  前述のシステムは、本開示の範囲を逸脱することなしに多数の方法で変更され得ることが、当業者には理解されよう。単に一例として、ワイヤレス通信２０２、システムマイクロコントローラ２０８、永続的時計カレンダ２０４およびローカルネットワーク通信２０６の要素は、統合されてもよく、あるいは、単一または複数の構成要素、ＳｏＣ、ＰｏＰまたはＳｉＰに分けられてもよい。単に一例として、ジグビーは、ローカルネットワーク通信２０６の代わりにワイヤレス通信２０２に追加され、個々に並行して動作することができ、または、電力線通信に完全に置き換わることができる。必要に応じて、電力線通信およびジグビーワイヤレス通信は、単一ＳｏＣ、ＰｏＰまたはＳｉＰに統合され得る。ワイヤレス通信２０２が、ＨＡＮまたはＰＡＮ通信をサポートするように構成される場合、１つまたは複数の追加のアンテナが、追加されてもよく、そこで共用アンテナサポートは実現可能ではない。２つ以上のＰＡＮまたはＨＡＮプロトコル、規格、アプリケーションプロファイルまたは仕様は、好ましくはプロダクトＡｐｐが異なるＰＡＮまたはＨＡＮトポロジ、プロトコル、規格、アプリケーションプロファイルまたは仕様にわたるある範囲のホームオートメーションデバイスと通信することを可能にするローカルネットワーク通信２０６に統合され得る。Ｂｌｕｅｔｏｏｔｈはスマートフォン１０とアクセスアドミニストレータ２００との間の通信に関して論じられているが、それは、そのように制限されず、他のＢｌｕｅｔｏｏｔｈ対応デバイスとの短距離ワイヤレスＰＡＮをサポートすることができることが、理解されよう。１つの好ましい実施形態では、Ｂｌｕｅｔｏｏｔｈは、それが望ましい場合にアクセスアドミニストレータ２００とＢｌｕｅｔｏｏｔｈ対応ホームオートメーションデバイスとの間の通信媒体として使用することができる。
【０１２３】
[00136]  ここで図３を参照すると、システム１００の図的記述が、スマートフォン１０、アクセスアドミニストレータ２００、電気管理ユニット３００、ホームオートメーションデバイス２４および各々の要素を接続する好ましい通信システムの例示的配列とともに示される。システムマイクロコントローラ２０８（図２）は、好ましくは、アクセスアドミニストレータ２００に組み込まれた任意の通信システムにわたりデータを送る、転送するまたは置き換えるように構成される。
【０１２４】
[00137]  電気管理ユニット３００は、好ましくは、電気流量および使用を監視するように構成される。電気管理ユニット３００は、単に一例として、スマートメータ、サブメータまたは間隔メータでもよい。Ｗｉ−Ｆｉ  ＷＬＡＮは、アクセスポイント１４を有する。アクセスポイント１４は、インターネット接続１６を有する。Ｗｉ−Ｆｉ  ＷＬＡＮ通信は、好ましくは、アクセスポイント１４を通過する。アクセスアドミニストレータ２００が、ネットワークＷｉ−Ｆｉデバイスとして構成される場合、それは、好ましくは、アクセスポイント１４のクライアントとして動作する。ネットワークＷｉ−Ｆｉクライアントとして動作するアクセスアドミニストレータ２００とスマートフォン１０が通信するために、スマートフォン１０はまた、好ましくは、クライアントとしてアクセスポイント１４に接続される。スマートフォン１０からのメッセージは、次いで、アクセスポイント１４を通ってアクセスアドミニストレータ２００に進み得る。スマートフォン１０が、アクセスポイント１４のワイヤレス範囲内になかった場合、それは、そのように構成された場合にはインターネット接続１６を介してアクセスポイント１４とやはり通信することができる。インターネット接続を介するスマートフォンとアクセスポイントとの間の通信は、以下でさらに詳しく説明される。
【０１２５】
[00138]  ネットワークＷｉ−Ｆｉデバイスとして動作することに加えて、またはその代わりに、アクセスアドミニストレータ２００は、Ｗｉ−Ｆｉダイレクトグループ参加者としてまたはＷｉ−Ｆｉアクセスポイントをシミュレートするように構成され得る。その場合、スマートフォン１０は、任意の他のデバイスを必要とせずにピアツーピアでアクセスアドミニストレータ２００に直接ワイヤレスで接続することができる。したがって、以下のことが理解され得る：（１）アクセスポイント１４は、ピアツーピア通信のために必要とされないこと、（２）通信リンクが、「必要に応じて」形成されること、および、（３）スマートフォン１０は、直接通信リンクを確立するためにアクセスアドミニストレータ２００の無線範囲内にある必要があること。それが望ましい場合、スマートフォン１０とアクセスアドミニストレータ２００との間のピアツーピア接続は、Ｂｌｕｅｔｏｏｔｈを使用して確立され得る。
【０１２６】
[00139]  ワイヤレス通信２０２の適応性のある特質およびそれの多重モード、ピアツーピアおよびネットワーク通信能力は、アクセスアドミニストレータ２００が、Ｗｉ−Ｆｉネットワークを使用してまたはＷｉ−Ｆｉネットワークを使用せずに、スマートフォンと通信するためにいくつかの異なる方法で構成されることを可能にすることが、理解されよう。ネットワークＷｉ−Ｆｉデバイスとして動作するアクセスアドミニストレータは、スマートフォンによって遠隔でアクセスおよび制御することができ、そこで、アクセスポイントはインターネット接続を有するが、アクセスアドミニストレータは、その場合、外部に表示されることになり、ハッキングなどの外部の脅威に対して弱くなり得る。別法として、その制限されたワイヤレス範囲およびアーキテクチャによるピアツーピア接続は、より高いレベルのセキュリティを提供する。動作モード間のバランスは、通常は、主観的であり、手元のアプリケーションに依存する。場合によっては、アクセスポイント１４の可用性などインフラストラクチャ制限事項は、動作モードを制約し得る。一部の市場では、Ｗｉ−Ｆｉネットワークの普及率が比較的低く、そのため、そうすることが可能であり望ましい場合には、スマートフォンと通信するピアツーピア手段を提供し、好ましくはクライアントとしてＷＬＡＮに接続することはアクセスアドミニストレータ２００にとって非常に有利である。
【０１２７】
[00140]  アクセスアドミニストレータ２００は、アクセスアドミニストレータ２００が、スマートフォン画面１２に表示するためにプロダクトＡｐｐに好ましくはレポートすることができる、アクセスポイント１４の受信信号強度インジケータまたは受信チャネル電力インジケータを測定および提供するように構成することができる。受信信号強度インジケータまたは受信チャネル電力インジケータは、十分に強いワイヤレス信号が２つのデバイスの間に存在することを確保して安定したおよび高信頼の通信リンクのための最良の環境を提供するために、受信無線信号内に存在し、アクセスポイント１４に十分に近いアクセスアドミニストレータ２００などのワイヤレス製品をユーザが捜しだすことを可能にする電力の測定結果である。プロダクトＡｐｐはまた、好ましくは、スマートフォン１０によって測定されたアクセスアドミニストレータ２００の受信信号強度インジケータ、または受信チャネル電力インジケータ、をスマートフォン画面１２に表示することができる。プロダクトＡｐｐは、アクセスアドミニストレータ２００によって測定された、電気管理ユニット３００、またはホームオートメーションデバイス２４からのジグビーワイヤレス信号の受信信号強度インジケータまたは同等のものをスマートフォン画面１２に表示することができる。
【０１２８】
[00141]  必要に応じて、アクセスアドミニストレータ２００は、アクセスアドミニストレータ２００が測定することができる任意のワイヤードまたはワイヤレス信号の受信信号強度指示を表示することができる視覚的インジケータと構成され得る。
【０１２９】
[00142]  １つの好ましい実施形態では、プロダクトＡｐｐは、好ましくは、それが電源を入れられ、任意の通信リンクが確立される前にアクセスアドミニストレータ２００の最初の配置およびインストールを助けるために、スマートフォン１０によって測定されたものとしてのアクセスポイント１４の信号強度インジケータ、または受信チャネル電力インジケータ、を表示することができる。その方法では、プロダクトＡｐｐを介するユーザは、好ましくは、自身がアクセスアドミニストレータ２００をインストールしたい場所にごく接近して立っていることがあり、スマートフォンのワイヤレス通信を使用するプロダクトＡｐｐを介して、アクセスポイント１４の信号強度または受信チャネル電力測定を行い、それをプロダクトＡｐｐに表示し、それによって、その近接する場所にあるアクセスポイント１４のクライアントとして動作するアクセスアドミニストレータを最適にサポートするための十分に強いワイヤレス信号が存在するかをプロダクトＡｐｐまたはユーザが判定することを可能にする。１つの好ましい実施形態では、プロダクトＡｐｐは、クライアントとしてのアクセスアドミニストレータ２００のサポートにおいてアクセスポイント１４の測定信号強度の適合性を識別する視覚的インジケータを提供することができる。一例として、これは、プロダクトＡｐｐ内の色付きの区域に対するポインタまたはインジケータを含むことができ、色付きの区域は、好ましくは、赤、オレンジ、および、緑を備え、赤は、アクセスポイント１４の測定信号強度が低く、したがってアクセスアドミニストレータをインストールするには不適切な近接する場所を示し、オレンジは、許容範囲にあるが最適ではない場所を示し、緑は、アクセスポイント１４の測定信号強度が強く、したがって、アクセスアドミニストレータのインストールに適した近接する場所を示す。他の視覚的インジケータが、適切であることがあり、本開示の範囲内にあり、それらは、好ましくは、スマートフォン１０によるアクセスポイント１４の測定信号強度に基づいてアクセスアドミニストレータ２００の近接する場所の適合性を識別することが、理解されよう。
【０１３０】
[00143]  図３を参照すると、アクセスアドミニストレータ２００は、好ましくは、それの電力を導出し、電力線通信を使用して本線電力線を介して電気管理ユニット３００と通信し、アクセスアドミニストレータ２００および電気管理ユニット３００の両方は、電力線通信で構成される。電力線通信は、建物の本線電力アーキテクチャ内のアクセスアドミニストレータの便利な配置を可能にすることが、理解されよう。アクセスアドミニストレータ２００はまた、好ましくは、電力線通信を使用して本線電力線を介してホームオートメーションデバイス２４と通信することができ、そこで、ホームオートメーションデバイスはそのように構成される。１つの好ましい実施形態では、アクセスアドミニストレータ２００は、電気管理ユニット３００ではなく電力線通信を使用してホームオートメーションデバイス２４と通信することができ、そこで、電気管理ユニット３００は電力線通信で構成されない、または両方が電力線通信をサポートするように構成された場合でもアクセスアドミニストレータ２００と電気管理ユニット３００との間の電力線通信を使用しないことが望ましい。
【０１３１】
[00144]  アクセスアドミニストレータ２００は、電力線通信の使用の代わりに、または電力線通信の使用に加えて、ジグビーをワイヤレスに使用して電気管理ユニット３００と通信するように構成され得る。アクセスアドミニストレータ２００が、ジグビーおよび電力線通信を使用して通信する能力を有するように構成され、電気管理ユニット３００がジグビーおよび電力線通信の両方をサポートする場合、アクセスアドミニストレータ２００は、好ましくは、電気管理ユニット３００との最も頑強な通信チャネルを動的に評価する能力を有し、その最も頑強な通信媒体を通信リンクの形成またはオープン通信リンクへのデータ転送において使用するように構成される。１つの好ましい実施形態では、アクセスアドミニストレータ２００が、ジグビーおよび電力線通信を使用して通信する能力を有するように構成され、電気管理ユニット３００が、ジグビーおよび電力線通信の両方をサポートする場合、プロダクトＡｐｐを介するユーザは、ジグビーのみを使用してまたは電力線通信のみを使用して電気管理ユニット３００と通信するようにアクセスアドミニストレータ２００を構成することができる。
【０１３２】
[00145]  アクセスアドミニストレータ２００は、電力線通信の使用に代わって、または電力線通信の使用に加えて、ジグビーをワイヤレスに使用してホームオートメーションデバイス２４と通信するように構成され得る。アクセスアドミニストレータ２００が、ジグビーおよび電力線通信を使用して通信する能力を有するように構成され、ホームオートメーションデバイスが、ジグビーおよび電力線通信の両方をサポートする場合、アクセスアドミニストレータ２００は、好ましくは、ホームオートメーションデバイスとの最も頑強な通信チャネルを動的に評価する能力を有し、その最も頑強な通信媒体を通信リンクの形成またはオープン通信リンクへのデータの転送において使用するように構成される。１つの好ましい実施形態では、アクセスアドミニストレータ２００が、ジグビーおよび電力線通信を使用して通信する能力を有するように構成され、ホームオートメーションデバイスが、ジグビーおよび電力線通信の両方をサポートする場合、プロダクトＡｐｐを介するユーザは、ジグビーのみを使用してまたは電力線通信のみを使用してホームオートメーションデバイスと通信するようにアクセスアドミニストレータ２００を構成することができる。
【０１３３】
[00146]  １つの好ましい実施形態では、アクセスアドミニストレータ２００は、ジグビーワイヤレス通信を有し、インストールにおいて使用するための電力線通信を有さずに構成することができ、そこで、電気管理ユニット３００およびホームオートメーションデバイス２４は、ジグビーを使用するように構成され、電力線通信をサポートしない。
【０１３４】
[00147]  アクセスアドミニストレータ２００、電気管理ユニット３００およびホームオートメーションデバイス２４が、ジグビーを使用するローカルネットワーク通信で各々構成される場合、それが電気管理ユニット３００と通信するための専用ジグビーネットワークおよびホームオートメーションデバイス２４と通信するための専用ジグビーネットワークに参加することを可能にするデュアルネットワークジグビー通信能力を有するようにアクセスアドミニストレータ２００を構成することが好ましいことがあり、その技法は、図２に関して前に概説されてある。
【０１３５】
[00148]  スマートフォンは、通常は、固有の電力線またはジグビー通信能力を含まないので、それらは、電力線またはジグビー通信能力を有するように構成された電気管理ユニット３００またはホームオートメーションデバイス２４と直接通信することができない。したがって、アクセスアドミニストレータ２００は、好ましくは、プロダクトＡｐｐからのデータが、電気管理ユニット３００またはホームオートメーションデバイス２４と互換性のあるフォーマットに置き換えられ、電気管理ユニット３００またはホームオートメーションデバイス２４からのデータが、プロダクトＡｐｐと互換性のあるフォーマットに置き換えられることを確保するために必要な任意の計算タスクを実行し、それによって、図３に示されるようにアクセスアドミニストレータ２００を介して、プロダクトＡｐｐと電気管理ユニット３００またはホームオートメーションデバイス２４との間の双方向通信を円滑にする。
【０１３６】
[00149]  スマートフォン１０で実行するプロダクトＡｐｐと電気管理ユニット３００とが通信するために、任意のデータは、好ましくは、アクセスアドミニストレータ２００の選択された構成に応じて、ピアツーピアでまたはアクセスポイント１４を介してワイヤレスにアクセスアドミニストレータ２００とスマートフォン１０との間を通過する。アクセスアドミニストレータ２００と電気管理ユニット３００との間を通過する任意のデータは、好ましくは、電気管理ユニットおよびアクセスアドミニストレータ２００の構成に応じて、電力線通信を使用して建物の本線電力配線を介して、またはジグビーを使用してワイヤレスに、それを行う。
【０１３７】
[00150]  スマートフォン１０で実行するプロダクトＡｐｐとホームオートメーションデバイス２４とが通信するために、任意のデータは、好ましくは、アクセスアドミニストレータ２００の選択された構成に応じて、ピアツーピアまたはアクセスポイント１４を介してワイヤレスにアクセスアドミニストレータ２００とスマートフォン１０との間を通過する。アクセスアドミニストレータ２００とホームオートメーションデバイス２４との間を通過する任意のデータは、好ましくは、ホームオートメーションデバイスおよびアクセスアドミニストレータ２００の構成に応じて、電力線通信を使用して建物の本線電力配線を介して、またはジグビーを使用してワイヤレスに、それを行う。プロダクトＡｐｐは、好ましくは、アクセスアドミニストレータが参加者またはコーディネータであるホームオートメーションネットワークの部分であるホームオートメーションデバイスの制御および能力を表示するまたはその表示をもたらすように構成され、スマートフォン１０で実行するプロダクトＡｐｐが、媒介および促進するものとして動作するアクセスアドミニストレータ２００を介して、所望のホームオートメーション製品とデータおよびコマンドを交換することを可能にする。一部のホームオートメーションデバイスは、オープン通信プロトコル、規格または仕様を使用する場合でもそれら自体の独自仕様のコマンドセットまたは言語を使用することができ、その場合、プロダクトＡｐｐは、好ましくは、コマンドおよびデータを実際に交換するために目標ホームオートメーションデバイスの独自仕様のコマンドセットまたは言語を使用するように構成される。１つの好ましい実施形態では、プロダクトＡｐｐは、それがいくつかの他の方法で本質的に異なるホームオートメーションデバイスと実際に通信することを可能にするある範囲の異なるコマンドセットまたは言語で構成され得る。
【０１３８】
[00151]  図４に関してさらに詳しく概説されるように、スマートフォン１０で実行するプロダクトＡｐｐは、好ましくは、サービスプラットフォームを使用してインターネット接続１６を介してアクセスポイント１４と通信することができ、それによって、プロダクトＡｐｐとアクセスポイント１４に接続されたアクセスアドミニストレータ２００との間の通信を可能にし、そこで、スマートフォン１０は、スマートフォン１０がアクセスポイント１４のワイヤレス範囲外にあるときなど、アクセスポイント１４と直接通信することができない。
【０１３９】
[00152]  電気管理ユニット３００は、好ましくは、プロダクトＡｐｐまたはサービスプラットフォームに様々なデータをレポートするように構成される。これは、パラメータ、メトリックス、状態、仕様および消費される電力に関連する時間の任意の組合せ、公益事業体でのアカウント、または、たとえば以下のような、しかしこれらに制限されない、電気管理ユニット３００の状態を含み得る：料金、課金情報、瞬間電圧、電流および電力、有効、無効および見掛け電力、平均実電力、ＲＭＳ電圧および電流、力率、回線周波数、過電流、電圧低下、電圧増加、位相角、定義された期間に消費される電気、仕様、制限または基本測定からの任意の逸脱を含む動作的特徴、温度、サービス要件、および／または、電気管理ユニット３００によって測定、記録もしくは記憶され得る任意の他のデータまたはメトリック。適切なデータが、プロダクトＡｐｐまたはサービスプラットフォームに転送された後は、プロダクトＡｐｐまたはサービスプラットフォームは、好ましくは、任意の必要な計算または変換を実行し、ユーザが見るためにスマートフォンのタッチセンサ式画面上に結果を表示することができる。
【０１４０】
[00153]  １つの好ましい実施形態では、アクセスアドミニストレータ２００は、好ましくは、電気管理ユニット３００に記録または記憶されたデータのプロダクトＡｐｐからの要求を電気管理ユニット３００に送り、電気管理ユニット３００から返される応答をプロダクトＡｐｐに送るように構成される。その方法では、プロダクトＡｐｐは、好ましくは、電気管理ユニット３００とデータを交換するように構成され、アクセスアドミニストレータ２００は、好ましくは、ルータまたはプロダクトＡｐｐと電気管理ユニット３００との間のデータの移動を円滑にする媒介として動作するように構成される。一例として、プロダクトＡｐｐは、ジグビースマートエネルギクラスタを介して、選択された月に消費される電力に対応する電気管理ユニット３００に記憶されたデータを要求することができ、その要求は、好ましくは選択された月についてのデータをコンパイルしてアクセスアドミニストレータ２００を介してプロダクトＡｐｐにメッセージを送り返す電気管理ユニット３００にアクセスアドミニストレータ２００によってプロダクトＡｐｐから送られる。
【０１４１】
[00154]  １つの好ましい実施形態では、電気管理ユニット３００は、好ましくは、連続的に、または定期的に所定のサンプルレートで、プロダクトＡｐｐにデータを送るように構成されたアクセスアドミニストレータ２００でローカル通信ネットワークへの繰返しデータを作成、ブロードキャストまたはマルチキャストするように構成され、電気管理ユニット３００によって作成、ブロードキャスト、またはマルチキャストされる連続的または定期的繰返しデータにおける変動に従ってプロダクトＡｐｐが１つまたは複数のフィールドを動的に更新できるようにする。一例として、電気管理ユニット３００は、ジグビースマートエネルギクラスタを介して通信して、所定のサンプルレートでの現在の電力使用など、ある一定の間隔でＰＡＮまたはＨＡＮに望ましい状態データを連続的にブロードキャストするように構成することができ、アクセスアドミニストレータ２００は、好ましくは、それをプロダクトＡｐｐに送ることができ、そのデータは、電気管理ユニット３００によって作成される電力測定結果に従って動的に表示および変化することができる。
【０１４２】
[00155]  １つの好ましい実施形態では、電気管理ユニット３００は、好ましくは、状況の変化に応答して断続的データをローカル通信ネットワークに作成、ブロードキャストまたはマルチキャストするように構成され、アクセスアドミニストレータ２００は、プロダクトＡｐｐにそのデータを送るように構成され、電気管理ユニット３００によってレポートされる状況の変化に従ってプロダクトＡｐｐが１つまたは複数のフィールドを動的に更新することを可能にする。一例として、電気管理ユニット３００は、料金の変更など、ＰＡＮまたはＨＡＮへの状態データの変更を作成、ブロードキャストまたはマルチキャストするようにジグビースマートエネルギクラスタを介して通信するように構成することができ、アクセスアドミニストレータ２００は、好ましくは、プロダクトＡｐｐに送ることができ、そこで、１つまたは複数の料金フィールドは、電気管理ユニット３００によって作成されるデータに従って、更新され得る。
【０１４３】
[00156]  １つの好ましい実施形態では、アクセスアドミニストレータ２００は、好ましくは、電気管理ユニット３００に記録または記憶されたデータのサービスプラットフォームからの要求を電気管理ユニット３００に送り、電気管理ユニット３００からのメッセージをサービスプラットフォームに送り返すように構成される。
【０１４４】
[00157]  １つの好ましい実施形態では、アクセスアドミニストレータ２００は、好ましくは、電気管理ユニット３００に記録または記憶されたデータの要求を生成し、電気管理ユニット３００からのメッセージをプロダクトＡｐｐまたはサービスプラットフォームに送るように構成される。
【０１４５】
[00158]  １つの好ましい実施形態では、電気管理ユニット３００が、連続的に、または定期的に所定のサンプルレートで、ローカル通信ネットワークに繰返しデータを作成、ブロードキャストまたはマルチキャストするように構成される場合、アクセスアドミニストレータ２００は、好ましくは、そのデータをサービスプラットフォームに送るように構成される。
【０１４６】
[00159]  １つの好ましい実施形態では、電気管理ユニット３００が、好ましくは、状況の変化に応答して断続的データをローカル通信ネットワークに作成、ブロードキャストまたはマルチキャストするように構成される場合、アクセスアドミニストレータ２００は、好ましくは、そのデータをサービスプラットフォームに送るように構成される。１つの好ましい実施形態では、アクセスアドミニストレータ２００は、好ましくは、プロダクトＡｐｐ、サービスプラットフォーム、ホームオートメーションデバイス２４および電気管理ユニット３００の間でルータまたは媒介として動作し、送付を円滑にすること以外の任意の方法で電気管理ユニット３００またはホームオートメーションデバイス２４からのエネルギ測定結果のデータベースとして動作する。
【０１４７】
[00160]  プロダクトＡｐｐは、好ましくは、スマートフォンのセルラまたはネットワークＷｉ−Ｆｉ能力を使用してサービスプラットフォームとデータを交換するように構成される。サービスプラットフォームとのデータの交換は、単に一例として、傾向分析、履歴分析、比較分析、粒度の細かいメトリックス、原価計算、料金、予算、課金、および電気管理ユニット３００によって測定された電気データの任意の他の使用法の計算または表示を目的とするデータを含み得る。
【０１４８】
[00161]  好ましい一実施形態では、プロダクトＡｐｐは、料金データおよび瞬間電力など、電気管理ユニット３００からのデータ、および、必要または望ましい場合にはサービスプラットフォームからのデータを使用して、１時間当たりのドルなど、単位時間当たりのコストにおいて表される現在のエネルギ使用を判定および表示するように構成される。その方法では、プロダクトＡｐｐを介するユーザは、料金に関連する電気管理ユニット３００に接続されたすべての電気機器によって消費される電気の集計として単位時間当たりの総瞬間コストを判定することができる。
【０１４９】
[00162]  電力消費量を低減し、環境に優しいエネルギ使用を促進するために、ユーザはまた、単位時間当たりのコストにおける個々の電気機器の消費量メトリックスを判定することが有利であると発見し得る。プロダクトＡｐｐは、好ましくは、それに対して電気管理ユニット３００によって測定される電気消費量における任意のその後の変動が、次いで、そのベースから消費される電気の測定された変動に関連する所望の電気機器の単位時間当たりの瞬間コストをプロダクトＡｐｐにおいて計算および表示するために使用され得る、そのベースを実際に確立するために、表示される単位時間当たりの瞬間コストまたは瞬間電力を消費者が「ゼロ」に設定することを可能にするように構成される。その方法では、ユーザは、好ましくは、プロダクトＡｐｐにおいて単位時間当たりの瞬間コストまたは瞬間電力をゼロに設定し、次いで、個々の電気機器の電源を入れ、電気管理ユニット３００によって測定される瞬間電力の増加をもたらすことができ、その差異は、他の条件が等しければ、その電気機器によって消費される瞬間電力であり、プロダクトＡｐｐは、料金と組み合わせて差異瞬間電力測定を使用して、選択された電気機器を実行するための単位時間当たりのコストおよびその機器の時間に関連するエネルギ変換または転送の速度を計算および表示する。別法として、ユーザはまた、好ましくは、単位時間当たりの瞬間コストまたは瞬間電力をゼロに設定し、次いで、個々の電気機器の電源を切って、単位時間当たりのマイナスのコストまたは単位時間当たりの節約として表される、その機器の電源を切ることがどのくらい節約することになるかを確かめることができる。
【０１５０】
[00163]  プロダクトＡｐｐは、ユーザがある範囲の製品および／またはシステムの電気消費量プロファイルを迅速におよび容易に識別および比較することができるように、好ましくは、個々の電気機器に関連する計算された単位時間当たりのコストをユーザがプロダクトＡｐｐに保存し、データベースをコンパイルすることを可能にするように構成される。
【０１５１】
[00164]  ホームオートメーションデバイスが、エネルギ消費量メトリックスの測定およびレポートの能力を有する場合、プロダクトＡｐｐは、ユーザがある範囲の製品および／またはシステムの電気消費量プロファイルを迅速におよび容易に識別および比較することができるように、好ましくは、アクセスアドミニストレータ２００を介してホームオートメーションデバイスからエネルギ消費量メトリックスを受信し、計算された単位時間当たりのコスト、一定期間にわたる累積エネルギ消費量データ、または、個々のホームオートメーションデバイスに関連する任意の他のレポートされたエネルギメトリックをプロダクトＡｐｐに保存してデータベースをコンパイルするように構成され得る。
【０１５２】
[00165]  １つの好ましい実施形態では、プロダクトＡｐｐは、サービスプラットフォームに個々の電気機器またはホームオートメーションデバイスに関連する計算された単位時間当たりのコストを保存するあるいはサービスプラットフォームから特定の電気機器またはホームオートメーションデバイスに関連する単位時間当たりのコストをダウンロードするように構成され得る。
【０１５３】
[00166]  電気管理ユニット３００が、使用時間料金をサポートする場合、プロダクトＡｐｐは、好ましくは、現在の料金の単位時間当たりのコストならびに任意の他の料金の単位時間当たりのコストを表示する。その方法では、プロダクトＡｐｐは、建物もしくは電気機器内の全体の総電気消費量の動的評価、または、いくつかの料金にわたり特定のレートでの電気の消費の影響を消費者が判定することを可能にするそれらの料金にわたる電気機器のコレクションの全体の総電気消費量の動的評価を提供することができる。
【０１５４】
[00167]  プロダクトＡｐｐは、好ましくは、１日もしくは複数の日、時刻および電気機器もしくはホームオートメーションデバイスが動作する期間はどのくらいかなど、いくつかのパラメータをユーザが入力することを可能にするように構成され、プロダクトＡｐｐが、単位時間当たりのコストの測定結果および計算、料金、および動作時間の任意の組合せを使用して、ユーザ定義可能な期間にわたる、個々の電気機器、ホームオートメーションデバイス、あるいは電気機器および／またはホームオートメーションデバイスのコレクションの推定されるコストを表示することを可能にする。プロダクトＡｐｐは、好ましくは、ユーザ定義可能な期間にわたって個々の電気機器、ホームオートメーションデバイス、あるいは電気機器および／またはホームオートメーションデバイスのコレクションのコストを分析し、１つもしくは複数の機器、および／または１つもしくは複数のホームオートメーションデバイスの使用を低減することおよび／または仕様料金の任意の可変時間の分析に応じてより効率的な日または時間帯に移すことによってコストを最小限にするための手段を提案するように構成される。プロダクトＡｐｐは、好ましくは、ピーク需要または料金における予想されるスパイクに応答して１つもしくは複数の特定の電気機器、および／または１つもしくは複数のホームオートメーションデバイスを動作させることを回避するための警告を提供するように構成される。
【０１５５】
[00168]  １つの好ましい実施形態では、現在の料金の単位時間当たりのコストならびに任意の他の料金の単位時間当たりのコストの表示においてプロダクトＡｐｐにおいて行われる計算は、サービスプラットフォームによって実行または助けることができ、その結果は、表示するためにプロダクトＡｐｐにレポートされる。
【０１５６】
[00169]  単位時間当たりのコストは、本開示の範囲を逸脱することなしにいくつかの異なるメトリックスで同様に置換または補完され得ることが、理解されよう。単に一例として、他の適切なメトリックスは、キロワット時（kWh）で表される瞬間電力、１時間当たりに生成される温室効果ガスの量、および／または電気の使用に基づく同等の炭素排出値を含み得る。炭素排出メトリックが使用される場合、実時間炭素排出を計算するために使用されるパラメータは、好ましくは、電力使用および電源（たとえば、石炭燃焼源、水力発電、風および／またはソーラー）を含む。適切なベース炭素排出値は、計算を円滑にするために、電気製品の各モードについて取得され得る。
【０１５７】
[00170]  図２および３を参照すると、電気管理ユニット３００は、建物内の１つまたは複数の他のデバイスおよび／または回路への電気の供給を調整する能力を有する電力制御デバイスとして構成され得る。プロダクトＡｐｐは、好ましくは、ユーザがアクセスアドミニストレータ２００を介して電気管理ユニット３００にコマンドを発行することを可能にし、プロダクトＡｐｐから通信される命令に少なくとも部分的に基づいて１つまたは複数のデバイスおよび／または回路への電気の供給を電気管理ユニット３００に変更させるように構成することができる。その方法では、単に一例として、ユーザは、１つまたは複数のデバイスおよび／または回路への電気の供給をスケジュールすることができ、そのスケジュールは、アクセスアドミニストレータ２００とスマートフォンとの間の通信リンクを必要とせずに電気管理ユニット３００によって実行される。システムマイクロコントローラ２０８はまた、好ましくは、電気管理ユニット３００へのコマンドを発行し、プロダクトＡｐｐから通信される命令に少なくとも部分的に基づいて１つまたは複数のデバイスおよび／または回路への電気の供給を電気管理ユニット３００に変更させるように構成することができる。その方法では、単に一例として、プロダクトＡｐｐを介するユーザは、アクセスアドミニストレータ２００におけるスケジュールを電気管理ユニット３００の制御下で１つまたは複数のデバイスおよび／または回路への電気の供給を変更するように構成することができ、電気の供給を変更するためのコマンドはアクセスアドミニストレータ２００によって生成され、アクセスアドミニストレータ２００がスマートフォン１０との継続中の通信リンクを必要とすることなしに電気管理ユニット３００によって実施される。
【０１５８】
[00171]  電気管理ユニット３００が、トリガ事象が電気管理ユニット３００によって受信されることに基づいて構造体内の１つまたは複数のデバイスおよび／または回路への電力を変更する能力を有する場合、プロダクトＡｐｐを介するユーザは、好ましくは、トリガ事象に応答して各々の制御可能デバイスおよび／または回路について電気管理ユニット３００によってとられるアクションを構成することができる。トリガ事象は、料金の変動、または、需要応答コマンド、閾値、フラグ、通知もしくはデータパケットの受信を含み得るが、これらに制限されない。
【０１５９】
[00172]  ホームオートメーションデバイスが、電力制御能力を有する、あるいは、建物内の１つまたは複数の器具、機器、デバイス、製品、および／または回路への電気の調整を可能にする電力制御デバイスとして構成される場合、アクセスアドミニストレータ２００を介するプロダクトＡｐｐは、好ましくは、プロダクトＡｐｐから通信される命令に少なくとも部分的に基づいて電気の供給をそのホームオートメーションデバイスに変更させることを含めて、ユーザがそのホームオートメーションデバイスの機能を制御、構成、またはプログラムすることを可能にし得る。その方法では、単に一例として、ユーザは、１つまたは複数のホームオートメーションデバイスによる電気の供給または消費をスケジュールすることができ、そのスケジュールは、スマートフォンとアクセスアドミニストレータとの間の永続通信リンクを必要とせずにホームオートメーションデバイスによって実行される。もう１つの例として、ホームオートメーションデバイスが、需要応答状態または料金の変更に応答することができる場合、アクセスアドミニストレータ２００を介するプロダクトＡｐｐは、好ましくは、ホームオートメーションデバイスが需要応答事象または料金の変更の受信に応答して実行することになるアクションをユーザが構成またはプログラムすることを可能にすることができる。需要応答事象は、アクセスアドミニストレータ２００によって生成する、または、任意の望ましい通信チャネルを使用して、アクセスアドミニストレータ２００を介して受信および送信することができ、それは、一例として、サービスプラットフォームから送信される需要応答事象を含むことができ、アクセスアドミニストレータ２００はアクセスポイント１４に接続され、アクセスポイント１４がインターネット接続１６を有する。もう１つの例として、需要応答事象または料金の変更は、電気管理３００によって生成し、１つのＨＡＮまたはＰＡＮ上のアクセスアドミニストレータ２００によって受信し、アクセスアドミニストレータ２００がそのように構成されたホームオートメーションデバイスに関連する異なるＨＡＮまたはＰＡＮに送ることができる。
【０１６０】
[00173]  ホームオートメーションデバイスが制御可能な機能を有する場合、ローカルネットワーク通信を使用するアクセスアドミニストレータ２００を介するプロダクトＡｐｐは、好ましくは、そのホームオートメーションデバイスの機能をユーザが制御、構成、またはプログラムすることを可能にし得る。一例として、ホームオートメーションデバイスが、いくつかの機能を実行する能力を有する接続されたライトである場合、プロダクトＡｐｐは、好ましくは、電源を入れる／切る、薄暗くする、色を変える、スケジュールするなどの接続されたライトの一般的機能をユーザが制御することを可能にするように構成され得る。
【０１６１】
[00174]  図２および３を再び参照すると、１つの好ましい実施形態では、システムマイクロコントローラ２０８は、好ましくは、事前構成されたスケジュールに基づいてホームオートメーションデバイスへのコマンドを発行するようにプロダクトＡｐｐによって構成され得る。アクセスアドミニストレータ２００が、アクセスポイント１４のネットワーククライアントとして構成され、アクセスポイント１４がインターネット接続１６を有する場合、システムマイクロコントローラ２０８は、好ましくは、「Ｉｆ  Ｔｈｉｓ  Ｔｈｅｎ  Ｔｈａｔ」（これであればあれ、IFTTT）レシピの実行からコマンドを含み得るサービスプラットフォームからのコマンドの受信に基づいてホームオートメーションデバイスへのコマンドを発行するようにプロダクトＡｐｐによって構成され得る。１つの好ましい実施形態では、システムマイクロコントローラ２０８は、好ましくは、システムマイクロコントローラ２０８によってローカルに実行されるＩＦＴＴＴレシピに基づいてホームオートメーションデバイスへのコマンドを発行するようにプロダクトＡｐｐによって構成され得る。その方法では、単に一例として、ユーザは、所定の時間にまたは所定の事象の発生時に電源を入れるまたは切るように１つまたは複数のホームオートメーションデバイスをスケジュールすることができ、ホームオートメーションデバイスの動作状態を変更するためのコマンドはシステムマイクロコントローラ２０８によって生成される、または、システムマイクロコントローラ２０８はスマートフォン１０との永続通信リンクを必要とせずにサービスプラットフォームからのコマンドを実行する。アクセスアドミニストレータ２００は、必要に応じて、個々のホームオートメーションデバイスまたはホームオートメーションデバイスのサブグループに選択的にコマンドを出すことができる。そのようなコマンドは、ホームオートメーションデバイスタイプおよび／または電力要件など、各ホームオートメーションデバイスまたはサブグループに関連する個々のパラメータに基づき得る。
【０１６２】
[00175]  アクセスアドミニストレータ２００は、必要に応じてディスプレイを含み得る。ユーザは、好ましくは、プロダクトＡｐｐを使用して、情報がディスプレイ上に示されるように構成する。ディスプレイは、好ましくは、一連の視覚的インジケータおよび／または色付きの視覚的インジケータおよび／または任意の適切な言語サポートを含む文字を示す。マイクロコントローラ２０８は、好ましくは、ユーザが任意の時点でそれらの電気メトリックスを解釈することを視覚的に可能にするために、電気管理ユニット３００からレポートされたメトリックスに基づいてディスプレイの視覚的要素を操作することができる。単に一例として、ディスプレイは、電気消費量が電気管理ユニット３００によってレポートされることに基づいて現在のレポート期間についての総額請求書のドルなどのローカル通貨での累積コストを動的に示すことができる。色付きのインジケータは、数値形式ではなくて視覚的に、たとえば、通常料金の緑色、肩部の黄色およびピーク料金状態の赤色にわたり、現在の料金レベルを表すことができる。もう１つの例として、色付きのインジケータは、たとえば、予算内に対する緑色から予算超過の赤色にわたり、消費量が所望の予算をどのように辿るかを視覚的な形で表すことができる。ディスプレイはまた、好ましくは、ユーザの平均と比較してエネルギが消費される瞬間レートの視覚的表現を含み得る。１つの好ましい実施形態では、ディスプレイは、スマートフォン画面に表示されるユーザインターフェースを映すまたは模倣するように構成され得る。
【０１６３】
[00176]  図４は、スマートフォン１０、アクセスアドミニストレータ２００、電気管理ユニット３００、サービスプラットフォーム５００、住宅または商用のローカル電力管理ネットワーク６００、ホームオートメーションデバイス２４、市場オペレータ１８および電気産業参加者２０の間に複数の通信経路を有するシステム４００の図的記述である。他の通信経路または配列が可能であり、本開示の範囲内にあり得ることが、理解されよう。
【０１６４】
[00177]  いくつかの通信経路は、図３に関して前述したものと同様である。具体的には、スマートフォン１０とアクセスアドミニストレータ２００との間のワイヤレスピアツーピア接続４０２、アクセスアドミニストレータ２００とアクセスポイント１４との間のＷＬＡＮ接続４０４、スマートフォン１０とアクセスポイント１４との間のＷＬＡＮ接続４０６、および、アクセスアドミニストレータ２００と電気管理ユニット３００との間の電力線通信および／またはジグビーワイヤレス接続４０８は、好ましくは、システム１００について前述されたように構成される。
【０１６５】
[00178]  図４を続けて参照すると、サービスプラットフォーム５００は、好ましくは、アプリケーションサービスプラットフォーム、サーバ、および／または、スマートフォン１０の通信能力およびインターネットへの任意の接続に応じて接続４１０および／またはインターネット４１４などのセルラまたはインターネット接続を介してスマートフォン１０、および好ましくはプロダクトＡｐｐ、と通信するサービスプラットフォームとしてソフトウェアでプログラムされるもしくそのようなソフトウェアを含むパブリック、プライベートまたはハイブリッドクラウドである。
【０１６６】
[00179]  図４に示すように、住宅または商用のネットワーク６００のコアは、好ましくは、図３に示されるシステム１００の要素から主に成る。ネットワーク６００は、好ましくは、建物または建物のユニット内に含まれ、スマートフォン１０、サービスプラットフォーム５００、および電気産業参加者２０のうちの１つまたは複数と通信する。
【０１６７】
[00180]  市場オペレータ１８は、好ましくは、電気配管網に供給される生成および電力が任意の特定の時点に需要を満たすことができることを確保するために電気産業参加者２０を管理する責任を負う。電気産業参加者２０は、好ましくは、電気の実際の生成、伝送、小売りおよび計量のうちの少なくとも１つについての責任を有する関係者、たとえば公益事業会社、である。ある種の状況において、個々の国の規制の枠組みに応じて、市場オペレータ１８および電気産業参加者２０は、本開示の範囲を変更することなく同エンティティであってもよい。
【０１６８】
[00181]  電気エネルギを蓄えることは非常にコストがかかり、難しいので、電力の瞬間的需要は、高い消費量の期間中に発電機をオンラインにして容量を増やし、生産される電気が最適に必要とされるものを超えるときに発電機をオフラインにして負荷を削減するシステムを介して、満たされる。配管網への電力の供給は、通常は、競合的プロセスであり、通信経路４１６を介する市場オペレータ１８は、予想される需要を満たすために必要とされる量の電力を購入するために市場にオファーを出す。通信経路４１６は、通信ネットワークの２つのノードの間に形成することができ、インターネット、ワイヤレス、衛星、電話または直通電話のうちの１つまたは複数を使用することが可能であり、その実際の通信規格および技法は、データが媒体を介して受信者が解釈および使用することができるフォーマットで市場オペレータ１８および電気産業参加者２０などの関係者の間で交換され得る限り、重要ではない。通信ノードの例は、コンピュータ、サーバ、ワイヤレス無線、ルータ、および、通信ゲートウェイを含むが、これらに制限されない。通常は、発電機などの電気産業参加者は、最も低い付け値を通常は選択して勝った発電機からの電気供給をスケジュールする市場オペレータ１８のオファーを満たすように入札する。市場オペレータ１８は、通常は、電気産業参加者２０の生成資産を効率的に管理するために、将来のエネルギ要件を予想するための非常に高度な予測モデリングを使用する。
【０１６９】
[00182]  その方法で、より安価な形式の発電は、通常は、ベース負荷と呼ばれるものを提供し、より高価な形式の発電はピーク負荷と呼ばれるものを供給する。より安価な形式の発電は、通常は、石炭などのより高い公害燃料を使用し、一方、より高価な形式の発電は、天然ガスなどのよりクリーンな燃料を使用する。より安価な形式の発電はまた、通常は、動作速度を上げるのに長い時間を要し、ピーク電力需要の不確定なタイミングを満たすのには適さない。ピーク電力需要は、通常は、迅速にオンラインにすることができるが、迅速に動作速度を達成するために高価な燃料を通常は消費する。
【０１７０】
[00183]  電気産業の問題は、エネルギ生成および消費量の山と谷のサイクルが伝送インフラストラクチャに負担をかけること、ピーク時に生産される電気の非常に高いコストをもたらすこと、および、エネルギ必要量の大部分を供給するために、低コストであるが、より汚染を伴う生成方法を好むことである。したがって、より汚染を伴う方法を使用する追加ベース負荷生成の必要性を減らすためにオフピーク時にエネルギ集約的タスクを押しやることを目指しながら、ピーク時の需要を減らすことによってエネルギ消費量を平らにすることは非常に有利である。
【０１７１】
[00184]  電気市場の前述の説明はかなり簡略化されており、市場によって異なり得ることが、理解されよう。しかし、この簡略化は、本開示の考察に実質的に影響を及ぼさない。
【０１７２】
[00185]  サービスプラットフォーム５００は、好ましくは、データのキャプチャ、キュレート、記憶、検索、共有、転送、分析および視覚化またはネットワーク６００内の制御可能要素の制御を含み得る目的のために必要なものとしてのデータの処理、分析、コンパイル、置換え、記憶、交換、転送、受信、送信、操作および／または表示のうちの１つまたは複数の能力を有する必要なコンピュータ、コンピューティングデバイス、サーバおよび／または技術を含む。サービスプラットフォーム５００は、１つまたは複数の使用可能な通信経路、および通信方法を使用し、少なくともスマートフォン１０、および、アクセスアドミニストレータ２００、市場オペレータ１８、電気産業参加者２０および／または別のサードパーティのうちの１つまたは複数と通信することができる。
【０１７３】
[00186]  図４を再び参照すると、１つの好ましい実施形態では、プロダクトＡｐｐは、好ましくは、１つまたは複数の使用可能な通信経路、および通信方法を使用してサービスプラットフォーム５００とプロダクトＡｐｐとの間の通信を円滑にするために、エージェント、クライアント、アプリケーションプログラミングインターフェース（API）、または他のソフトウェアインターフェースを含む。一例として、プロダクトＡｐｐは、スマートフォン１０のセルラ接続４１０を使用して、サービスプラットフォーム５００と通信することができる。もう１つの例として、プロダクトＡｐｐは、サービスプラットフォーム５００と通信することができ、スマートフォン１０は、ＷＬＡＮ接続４０６を介してアクセスポイント１４に接続され、アクセスポイント１４は、インターネット接続１６を有し、サービスプラットフォーム５００がインターネット４１４を介してアクセスポイント１４と通信することを可能にし、それによってサービスプラットフォーム５００およびスマートフォン１０が間接通信リンクを形成することを可能にする。
【０１７４】
[00187]  １つの好ましい実施形態では、アクセスアドミニストレータ２００は、好ましくは、１つまたは複数の使用可能な通信経路、および通信方法を使用して、サービスプラットフォーム５００とアクセスアドミニストレータ２００との間の通信を円滑にするために、エージェント、クライアント、ＡＰＩ、または他のソフトウェアインターフェースを含む。一例として、アクセスアドミニストレータ２００がアクセスポイント１４に接続され、アクセスポイント１４がインターネット接続１６を有する場合、アクセスアドミニストレータ２００は、インターネット４１４を介してサービスプラットフォーム５００と通信することができる。
【０１７５】
[00188]  １つの好ましい実施形態では、サービスプラットフォーム５００は、好ましくは、アクセスアドミニストレータ２００と遠隔で通信し、インターネット４１４を介してアクセスアドミニストレータ２００の能力のいずれかを制御する、またはインターネット４１４を介してアクセスアドミニストレータ２００からデータを受信するために、セルラ接続４１０を介する、スマートフォン１０の媒介として構成することができ、アクセスアドミニストレータ２００は、ＷＬＡＮ接続４０４を介するアクセスポイント１４のクライアントとして構成される。
【０１７６】
[00189]  サービスプラットフォーム５００およびアクセスアドミニストレータ２００が通信リンクを確立することができる場合、サービスプラットフォーム５００は、好ましくは、アクセスアドミニストレータ２００との通信リンクを使用を使用して、電力線通信またはジグビーワイヤレス通信４２２を介してアクセスアドミニストレータ２００と同様に通信するホームオートメーションデバイス２４と通信することができることが、理解されよう。その方法では、サービスプラットフォーム５００は、好ましくは、アクセスアドミニストレータ２００と通信してホームオートメーションデバイス２４を制御、プログラムまたは問い合わせることができる。
【０１７７】
[00190]  １つの好ましい実施形態では、サービスプラットフォーム５００は、好ましくは、スマートフォン１０が住宅または商用のローカル電力管理ネットワーク６００とのローカルワイヤレス通信の範囲外に持ち出されたときに、アクセスアドミニストレータ２００に接続されたホームオートメーションデバイス２４をスマートフォン１０が遠隔で制御、プログラムまたは問い合わせることを可能にする媒介の機能を果たすことができる。一例として、アクセスアドミニストレータ２００がアクセスポイント１４に接続され、アクセスポイント１４がインターネット接続１６を有する場合、アクセスアドミニストレータ２００は、インターネット４１４を介してサービスプラットフォーム５００と通信することができる。スマートフォン１０で実行するプロダクトＡｐｐは、セルラ接続４１０を使用してサービスプラットフォーム５００との通信リンクを確立することができる。サービスプラットフォーム５００は、次いで、好ましくは、プロダクトＡｐｐが電力線通信またはジグビーワイヤレス通信４２２を介してアクセスアドミニストレータ２００と通信するホームオートメーションデバイス２４を制御、プログラムまたは問い合わせることを可能にする媒介の機能を果たすことができる。
【０１７８】
[00191]  サービスプラットフォーム５００は、好ましくは、プロダクトＡｐｐを実行する任意のスマートフォンとデータを通信および交換する能力を有する。
【０１７９】
[00192]  サービスプラットフォーム５００が処理するデータは、コマンド、構成、センサ測定結果、予測、通知、任意のメトリックの分析、料金、履歴情報、課金情報、使用情報、ユーザデータ、ユーザ測定結果、全地球測位データを含む位置情報、需要応答構成、警告、画像、媒体、警報、テキスト、状態レポート、状況レポート、サポート情報、顧客サービス情報、障害レポート、契約、合意、サービスの要求、オファー、電子メール、ショートメッセージサービス（SMS）、およびプッシュ通知を含み得るが、これらに制限されない。
【０１８０】
[00193]  サービスプラットフォーム５００のデータ能力は、それがいくつかのサービスの媒介の機能を果たすことを可能にすることが、理解されよう。一例として、１つの好ましい実施形態では、通信経路４１２を介する市場オペレータ１８は、電気の予想される需要の将来の予報をサービスプラットフォーム５００に供給することができる。通信経路４１２は、経路４１６について前述した構造または方法のうちのいずれかを使用して形成され得る。市場オペレータ１８からの将来の予報データを使用して、サービスプラットフォーム５００は、好ましくは、ピーク需要期間が特定の時間に予期される消費者に警告するスマートフォン１０のためのメッセージを生成し、スマートフォン１０とアクセスポイント１４との間のＷＬＡＮ接続４０６を介して、セルラ接続４１０および／またはインターネット４１４を使用して、そのメッセージを配信する。消費者は、次いで、好ましくは、市場オペレータ１８からのデータに応答してそれら自身の電力消費量を管理するために、現在のエネルギ消費量および予期されるピーク需要期間の予想されるエネルギ消費量を判定するために、アクセスアドミニストレータ２００を介してスマートフォン１０を使用して電気管理ユニット３００に問い合わせる。
【０１８１】
[00194]  サービスプラットフォーム５００からスマートフォン１０への任意のメッセージ、通知または警告は、好ましくは、スマートフォン１０のプロダクトＡｐｐへのプッシュ通知として配信される。Ｇｏｏｇｌｅ（登録商標）、Ｍｉｃｒｏｓｏｆｔ（登録商標）、Ａｐｐｌｅ（登録商標）または別のサードパーティからの追加の媒介サービスの使用が、プロダクトＡｐｐへのプッシュ通知をサービスプラットフォーム５００が実施するために必要とされ得ることが、理解されよう。別法として、サービスプラットフォーム５００からのメッセージは、ＳＭＳを経由してスマートフォン１０に配信され得る。電気通信会社からの追加の媒介サービスの使用が、サービスプラットフォーム５００がＳＭＳをスマートフォン１０に送信するために必要とされ得ることが、理解されよう。必要に応じて、ユーザは、自身の好ましい配信手段としてメッセージ配信手段を選択するためのオプションを提示され得る。たとえば、ユーザは、電子メールまたはＳＭＳを介して通信を受信することを選択することができる。
【０１８２】
[00195]  サービスプラットフォーム５００は、好ましくは、市場オペレータ１８ではなくて、または市場オペレータ１８に加えて、通信経路４１８を介して電気産業参加者スペース２０内の関係者とデータを直接交換する。通信経路４１８は、経路４１６について前述した構造または方法のうちのいずれかを使用して形成され得る。
【０１８３】
[00196]  図４を再び参照すると、電気産業参加者２０とスマートフォン１０との間の間接通信経路が、スマートフォンの通信能力に応じて、経路４１２／４１６、４１８、４１０、４０６／４１４、および４０４／４０２のうちの１つまたは複数を使用して形成され得ることが、理解されよう。
【０１８４】
[00197]  電気産業参加者２０とスマートフォン１０および好ましくはスマートフォン１０で実行するプロダクトＡｐｐとの間の通信経路の潜在的使用は、予報、位置、通知、任意のメトリックスの分析、他の消費者に対する比較分析、料金、履歴情報、課金情報、使用情報、ユーザデータ、ユーザ測定結果、需要応答構成、警告、技術的サポート情報、顧客サービス情報、サービスの要求、オファー、契約、合意、障害レポート、電子メール、ＳＭＳおよびプッシュ通知のデータの交換のうちの任意の１つまたは複数を含み得る。一例として、図４を参照すると、通信経路４１８を介する電気産業参加者２０は、電気産業参加者２０が通信経路４１６を介して市場オペレータ１８から受信し得る電気の予想される需要の将来の予報をスマートフォン１０に供給するための媒介としてサービスプラットフォーム５００を使用することができる。もう１つの例として、通信経路４１８を介する電気産業参加者２０は、電気産業参加者２０が通信経路４２６を介して電気管理ユニット３００において実装しようとした料金の変動の警告をスマートフォン１０に供給するための媒介としてサービスプラットフォーム５００を使用することができる。通信経路４２６は、経路４１６について前述した構造または方法のうちのいずれかを使用して形成され得る。
【０１８５】
[00198]  図４に戻ると、スマートフォン２２は、スマートフォン２２のオーナーにそれぞれ対して建物内でインストールされたアクセスアドミニストレータ２００および電気管理ユニット３００と好ましくは通信することになるスマートフォン１０に関連する別個のスマートフォンの一例を表す。スマートフォン２２は、スマートフォン１０に対して完全に異なるオペレーティングシステムを実行することができるが、スマートフォン２２がプロダクトＡｐｐをインストールおよび実行するようになされる限り、それは、好ましくは、スマートフォン１０がプロダクトＡｐｐを実行するのと同じ方法でサービスプラットフォーム５００と通信することができることになる。通信経路４２０は、好ましくは、スマートフォン１０およびサービスプラットフォーム５００に関連してセルラ接続４１０、インターネット４１４、ＷＬＡＮ接続４０６、アクセスポイント１４およびインターネット接続１６について定義された関係を再現する。
【０１８６】
[00199]  好ましくは、プロダクトＡｐｐは、それによって関連スマートフォンに記憶された任意のデータ、関連スマートフォンから抽出されたまたは関連スマートフォンによってレポートされた任意のデータ、関連アクセスアドミニストレータから抽出されたまたは関連アクセスアドミニストレータによってレポートされた任意のデータ、関連ホームオートメーションデバイスから抽出されたまたは関連ホームオートメーションデバイスによってレポートされた任意のデータ、および／または、電気管理ユニットから抽出されたまたはサービスプラットフォーム５００に電気管理ユニットによってレポートされた任意のデータをアップロードするように構成される。サービスプラットフォーム５００は、それにアップロードされた任意の情報を市場オペレータ１８または電気産業参加者２０と共有することを選択することができる。
【０１８７】
[00200]  サービスプラットフォーム５００は、好ましくは、スマートフォン１０で実行するプロダクトＡｐｐのうちの１つまたは複数からの、電気管理ユニット３００からのおよび／またはホームオートメーションデバイス２４からのデータの分析を計算し、スマートフォン１０に配信し、サービスプラットフォーム５００にデータを提供する他のスマートフォンに関連するプロダクトＡｐｐ、電気管理ユニットおよび／またはホームオートメーションデバイスのうちの１つまたは複数からコンパイルされたデータとの比較を実行することができる。
【０１８８】
[00201]  単に一例として、プロダクトＡｐｐを介するスマートフォン１０のユーザは、プロダクトＡｐｐおよび電気管理ユニット３００からサービスプラットフォーム５００に料金および／または使用データを転送することを選択することができる。サービスプラットフォーム５００は、好ましくは、スマートフォン１０に包括的使用データを配信し、サービスプラットフォーム５００にレポートする他のスマートフォンによって供給されるデータに対する比較を常駐プロダクトＡｐｐが生成および／または表示することを可能にする。その方法で、ユーザは、たとえば、自身の電気消費量を同様の構造体で消費された電力の平均と比較する、または、定義された期間にわたる自身の実際の電気使用および料金への代替エネルギ小売業者からの料金の影響を分析することができる。もう１つの例として、プロダクトＡｐｐを介するスマートフォン所有者は、好ましくは、サービスプラットフォーム５００に電気機器またはホームオートメーションデバイスの測定消費量メトリックスをアップロードすることを選択することができる。サービスプラットフォーム５００は、データベース５０２（図４）を作成することができ、そこで、スマートフォン上に存在するプロダクトＡｐｐを介するまたはウェブサイトポータルを介する他のスマートフォンユーザは、選択された電気機器またはホームオートメーションデバイスの測定消費量メトリックスを閲覧することができる。
【０１８９】
[00202]  図４を参照すると、データベース５０２は、好ましくは、１つまたは複数の電気デバイスおよび／またはシステムの複数のソースからの消費量メトリックスを記憶するように構成される。好ましい一実施形態では、プラットフォーム５００は、データベース５０２に記憶された消費量データを使用して所与の電気機器、ホームオートメーションデバイスまたはシステムのレーティング情報を生成する。そのデータは、単一データベースサーバではなくて、必要に応じて、パブリック、プライベートまたはハイブリッドクラウドにわたって記憶され得ることが、理解されよう。
【０１９０】
[00203]  レーティング情報は、好ましくは、各電気デバイスまたはシステムの所定の時間期間（たとえば、毎週、２週間毎、毎月および／または毎年）にわたるエネルギ効率レーティングおよび平均電力消費コストを含む。各電気デバイスまたはシステムは、製造会社、ブランド、およびモデルによって分類され得る。
【０１９１】
[00204]  従来のエネルギレーティングシステムは、しばしば、製造会社または独立政府機関で実行される試験に頼る。製造方法および条件の変化により、電気デバイスおよびシステムのエネルギ効率は、しばしば変化し、製品の静的試験の精度を下げる。本明細書で開示されるシステムおよび方法の１つまたは複数の好ましい実施形態は、有利には、電気機器、ホームオートメーションデバイスおよびシステムの動的エネルギレーティングを可能にする。たとえば、所与の電気機器またはシステムのエネルギメトリックスが、１つまたは複数のネットワーク６００またはスマートフォン（プロダクトＡｐｐを介して）からサービスプラットフォーム５００によって受信されるとき、サービスプラットフォーム５００は、好ましくは、各電気機器およびシステムデータベースのエネルギ効率レーティングおよび平均電力消費コストなどのレーティング情報を動的に更新（計算）および維持するように構成される。この情報は、従来のシステムによって提供されるものより正確な表現のエネルギレーティングを提示する。そのレーティング情報またはデータは、リベートなどの報奨を提供することによって製品のエネルギ良心購買を促進するために、政府、公益事業体、および／または製造会社によって使用され得る。そのようなリベートは、特定のレーティングに基づいて段階的にすることができ、単に一例として、数値（たとえば、１から５）または記号（ゼロから５つ星）レーティングでもよい。他の変動が、可能であり、本開示の範囲内にある。
【０１９２】
[00205]  サービスプラットフォーム５００は、好ましくは、スマートフォン１０で実行するプロダクトＡｐｐおよび／または電気管理ユニット３００からのデータを分析し、プロダクトＡｐｐによって提供される電気使用および料金上で、電気産業参加者であるエネルギ小売業者によって供給される代替料金の差を示す比較をプロダクトＡｐｐに配信することができる。プロダクトＡｐｐを経由して、サービスプラットフォーム５００は、好ましくは、受信者のエネルギ小売業者の代わりにオファーを行って自身の電気課金を同意された条件でオファーを行うエネルギ小売業者に転送する権限を与えられ得る。オファーの受信者は、プロダクトＡｐｐを介してそのオファーを受諾することができ、その受諾は、サービスプラットフォーム５００によって電気市場内の適切なエネルギ小売業者に中継されることになる。
【０１９３】
[00206]  サービスプラットフォーム５００によって実行されるデータ処理は、好ましくは、所定の地理的位置内でグループ化され得る。サービスプラットフォーム５００は、好ましくは、スマートフォン１０、アクセスアドミニストレータ２００、電気管理ユニット３００、市場オペレータ１８および／または電気産業参加者２０のうちの１つまたは複数の地理的位置に基づいて通信経路を管理または制限するように構成される。
【０１９４】
[00207]  図４を再び参照すると、アクセスアドミニストレータ２００は、スマートフォンが電力線通信ネットワークおよび／またはジグビーワイヤレスネットワーク内の電気管理ユニットおよびホームオートメーションデバイスを制御する、プログラムするまたは問い合わせることを可能にする通信媒介の機能を果たし得ることが、理解されよう。別個のネットワークを介して動作する電気管理ユニット３００およびホームオートメーションデバイス２４のトポロジが既に概説されたが、本開示は、そのように制限されず、アクセスアドミニストレータ２００、電気管理ユニット３００およびホームオートメーションデバイス２４は、同ネットワークに属してもよい。
【０１９５】
[00208]  １つの好ましい実施形態では、アクセスアドミニストレータ２００、電気管理ユニット３００およびホームオートメーションデバイス２４は、同ネットワークに属し、共通の通信プロトコル、規格または仕様を使用して通信する。アクセスアドミニストレータ２００を介するプロダクトＡｐｐは、好ましくは、電力線通信またはジグビーワイヤレス通信４２２を使用してホームオートメーションデバイス２４をユーザが問い合わせる、プログラムするまたは制御することを可能にするように構成される。アクセスアドミニストレータ２００を介するプロダクトＡｐｐは、媒介またはネットワークアドミニストレータ／コーディネータの機能を果たす電気管理ユニット３００を介して電力線通信またはジグビーワイヤレス通信４２４を使用してホームオートメーションデバイス２４をユーザが問い合わせる、プログラムするまたは制御することを可能にするように構成され得る。
【０１９６】
[00209]  図４に戻って参照すると、システム４００は、好ましくは、スマートフォンユーザ、サービスプラットフォーム、および／または電気産業参加者のうちの１つまたは複数によって個々の電気デバイスおよび／またはシステムへの電力の自動および／または手動の選択的分散を可能にするように構成される。たとえば、ホームオートメーションデバイスは、ユーザのスマートフォン上に存在するプロダクトＡｐｐを介して実装されるコマンドまたはスケジュールに従って制御され得る。トリガ事象によるスケジュールの変更または中断が必要なまたは好ましいときがあり得る。トリガは、料金の変動または需要応答コマンド、閾値、フラグ、通知、またはデータパケットの受信を含み得るが、これらに制限されない。トリガ事象が料金変更である場合、サービスプラットフォーム５００または電気産業参加者２０のいずれかが、料金の変更の通知をネットワーク６００に直接に発行することができる。それに応答して、アクセスアドミニストレータ２００および／または電気管理ユニット３００は、電力を変更するまたは電力を止めるために、１つまたは複数のホームオートメーションデバイス２４に適切なコマンドを発行することができ、あるいは、プログラムされたスケジュールがある場合、そのスケジュールを遅らせるまたはリセットする。たとえば、料金が不意に上がることになる場合、サービスプラットフォーム５００は、その料金の変更のサービスプラットフォーム５００に関連するすべてのネットワーク６００への通知を発行することになる。受信者ネットワーク６００は、前述の通信方法のうちの１つを介してアクセスアドミニストレータ２００で通知を受信し、それに従って電力を変更するために、１つまたは複数のホームオートメーションデバイス２４にコマンドを続いて発行する。好ましくは、ホームオートメーションデバイスは、「必須の」および「必須でない」アプリケーションにグループ化され得る。必須のアプリケーションの例は、ある種の照明システム、および、冷却、医療および生命維持システムなどの器具を含む。必須でないアプリケーションの例は、プールろ過システムおよび空調を含む。好ましくは、アクセスアドミニストレータ２００は、必須でないと指定されたホームオートメーションデバイスへのコマンドを発行して電力を変更または停止することになり、あるいは、ホームオートメーションデバイスが、スケジュールに従って動作している場合には、遅らせるまたはスケジュールを変更する。
【０１９７】
[00210]  ホームオートメーションデバイスのスケジュール変更の一例は、ホームオートメーションデバイスが、プログラムされたスケジュールで動作するプールろ過システムの電力制御ユニットまたはデバイスである場合である。アクセスアドミニストレータ２００による料金変更の通知の受信により、アクセスアドミニストレータ２００は、プールろ過システムを制御する電力制御ユニットにコマンドを送信してその料金がより低い料金に変更されるまでろ過サイクルの開始を遅らせる、または、より有利な料金条件があるまでプールろ過サイクルをスケジュール変更する。電力制御ユニットの遅延またはスケジュール変更は、要望に応じて他のデバイスおよびシステム、たとえば、空調、暖房、照明、および／または水スプリンクラシステム、に適用可能であり得る。
【０１９８】
[00211]  「必須の」および「必須でない」の指定は、好ましくは、ユーザの選択に従って、プロダクトＡｐｐを介して行われる。プロダクトＡｐｐは、必要に応じてデフォルト指示を含むことができ、それはユーザによって変更され得ることが、理解されよう。別法として、各ホームオートメーションデバイスは、修正可能または永続的（すなわち、修正可能でない）でもよい指示で事前構成され得る。その指示は、適切にコード化されたフラグまたはタグを使用して、行われ得る。
【０１９９】
[00212]  システム４００は、好ましくは、ネットワーク６００を制御するユーザが自身の関連システム６００を事象通知および応答をトリガするための参加者として含めることを選択することができるように、構成される。
【０２００】
[00213]  トリガ事象が需要応答である場合の一例では、サービスプラットフォーム５００および／または電気産業参加者２０は、ネットワーク６００に需要応答を発行して、料金変更について前述したものと同様の方式で電力を変更するまたは止めることができる。需要応答は、たとえば、電力需要が臨界レベルに近づいているときに、または送電網が、電力需要および使用可能な電力によって測定されるものとして地理的エリアにおいて緊迫しているときに、発行され得る。需要応答は、たとえば、エネルギ消費量におけるスパイクをもたらす、過酷な天候が予測される場合、予測モデリングに従って発行され得る。需要応答を受信したとき、ネットワーク６００は、料金変更の通知の受信について前述したものと同様の方式で動作することができる。システム４００は、緊急状況において、需要応答が、たとえば、ネットワーク６００内で使用可能にされたすべてのデバイスまたはシステムへの電力を止めてまたは減らして、ネットワーク６００内の任意の指示をオーバーライドするために発行され得るように、構成され得る。
【０２０１】
[00214]  ここで図４Ａを参照すると、ローカル電力管理ネットワーク６００ａが、本開示のもう１つの好ましい実施形態に従って示される。ネットワーク６００ａは、電気管理ユニット３００ａが通信経路４２６ａを介して直接に（たとえば、サービスプラットフォーム５００なしに）電気産業参加者２０から需要応答トリガを受け取るように構成されることを除いて、ネットワーク６００と同様である。通信経路４２６ａは、経路４１６の前述の構造または方法のいずれかを使用して形成され得る。この状況では、アクセスポイント１４とワイヤレスピアツーピア接続４０２ａまたはＷＬＡＮ接続４０６ａおよびＷＬＡＮ接続４０４ａを介して通信するアクセスアドミニストレータ２００ａを使用する、プロダクトＡｐｐを介するユーザは、電力線通信またはジグビーワイヤレス通信４２２ａを介して直接にあるいは電力線通信ネットワークまたはジグビーワイヤレス通信ネットワークを介してホームオートメーションデバイス２４ａに伝搬されるまたは送られる電気管理ユニット３００ａを介する電気産業参加者による需要応答トリガブロードキャストに応答して各ホームオートメーションデバイスによって実行されるアクションで、電力線通信またはジグビーワイヤレス通信４０８ａおよび電力線通信またはジグビーワイヤレス通信４２４ａを使用するネットワークを介して間接的に、ホームオートメーションデバイス２４ａを構成することができる。たとえば、アクセスアドミニストレータ２００ａは、ホームオートメーションデバイスが電気管理ユニット３００ａから需要応答トリガを受信するとき、ホームオートメーションデバイスが、それが必須でないと指定されている場合にはそのトリガに反応し、または、それが必須として指定されている場合にはその需要応答トリガを無視するように、必須または必須でないとしてホームオートメーションデバイスを構成するために使用され得る。
【０２０２】
[00215]  ここで図４Ｂを参照すると、ローカル電力管理ネットワーク６００ｂが、本開示のもう１つの好ましい実施形態に従って示される。ネットワーク６００ｂは、電気管理ユニット３００ｂが、電気管理ユニット３００ｂがワイヤ接続された回路への電力を識別するおよび選択的に変更するように構成されることを除いて、ネットワーク６００ａと同様である。この配列では、電気管理ユニット３００ｂは、たとえば、電力制御回路またはリレーを介して変更する、電力制御ユニットの機能を実行するように構成されるので、電力制御ユニットは、各電気デバイスまたはシステムのために必要とされない。
【０２０３】
[00216]  ここで図４Ｃを参照すると、ローカル電力ネットワーク６００ｃにわたる負荷を選択的に減らすためのシステム４００ｃが、本開示のもう１つの好ましい実施形態に従って示される。システム４００ｃは、図４Ｂのネットワーク６００ｂのように、ネットワーク６００ｃが、電気管理ユニット３００ｃがワイヤ接続された回路への電力を識別および選択的に変更するように好ましくは構成された電気管理ユニット３００ｃを含むことを除いて、システム４００と同様である。追加で、サービスプラットフォーム５００ｃは、好ましくは、セルラ接続４１０ｃおよび／またはインターネット接続を使用して、ローカル電力管理ネットワーク６００ｃに関連するスマートフォン１０にローカル電力管理ネットワーク６００ｃに関連する送電網のローカル部分の料金の変更または緊張状態の警告を送信するように構成される。ユーザは、次いで、警告に応答してスマートフォンを使用してアクセスアドミニストレータ２００ｃにコマンドを送信して電気管理ユニット３００ｃを介して電気デバイスまたはシステムへの電力を変更するためのオプションを有する。アクセスアドミニストレータ２００ｃに送信されるコマンドは、必須でないと指定された電気デバイスおよび／またはシステムに関連する必須でない回路への電力を変更するためでもよい。電気管理ユニット３００ｃが特定の回路への電力を変更するために使用される代わりに、ローカル電力管理ネットワーク６００ｃは、図４および４Ａに示される、前述の実施形態と同様の１つまたは複数の電力制御ユニットで構成され得ることが、理解されよう。システム４００ｃはまた、電気管理ユニット３００ｃが回路への電力を識別および選択的に変更する能力を有さない場合に、使用することができ、代わりに、ユーザは、サービスプラットフォーム５００ｃからの通知を受信した後に電気デバイス、システムまたは回路への電力を切ることによって負荷を手動で減らすことを選択する。
【０２０４】
[00217]  図４に戻って参照すると、好ましい一実施形態では、ホームオートメーションデバイスは、好ましくは、ＷＬＡＮ能力と構成され、電力線通信またはジグビーワイヤレス通信技術を使用する代わりに、アクセスポイント１４のクライアントとして動作する。スマートフォン１０で実行するプロダクトＡｐｐは、好ましくは、アクセスポイント１４を有するＷＬＡＮ接続４０４へのアクセスアドミニストレータ２００とのワイヤレスピアツーピア接続４０２を介して、またはスマートフォン１０およびＷｉ−Ｆｉネットワークアクセスポイント１４を有するＷＬＡＮ接続４０６を介して、ＷＬＡＮ構成されたホームオートメーションデバイスと通信する。電気管理ユニット３００とＷＬＡＮ構成されたホームオートメーションデバイスとの間のデータ交換は、Ｗｉ−Ｆｉアクセスポイント１４に接続されたアクセスアドミニストレータ２００によって円滑にされ得ることが、理解されよう。
【０２０５】
[00218]  １つの好ましい実施形態では、需要応答コマンド、閾値、フラグ、通知、またはデータパケットまたは料金の変動は、通信経路４０２または４０４／４０６を含めて既に概説された通信パスのいずれかを使用してプロダクトＡｐｐにアクセスアドミニストレータによって送信される通知または警告を生成するために、アクセスアドミニストレータ２００によって使用することができ、通信経路４０４／４１４／４１０の使用を含むサービスプラットフォーム５００を含み得る。１つの好ましい実施形態では、需要応答コマンド、閾値、フラグ、通知、またはデータパケット、または料金の変動、は、好ましくは、ホームオートメーションデバイスへの需要応答または料金データの送付なしにプロダクトＡｐｐの通知または警告を生成し得る。その方法で、ユーザは、通知または警告を受信し、次いで、システムに自動的に応答させるのではなくてどのアクションを取るかを選択することができる。
【０２０６】
[00219]  前述の説明は、単に一例であり、本開示の範囲を逸脱することなしに大幅に変更され得る。たとえば、サービスプラットフォーム５００は、市場オペレータ１８、電気産業参加者２０の関係者、または別のサードパーティの中で全体的または部分的に統合され得る。もう１つの好ましい実施形態では、アクセスアドミニストレータは、電気管理ユニットまたは他の製品に完全に統合され得る。そのような実施形態では、スマートフォンは、ほぼ前述のように実行する、たとえばスマートフォン充電ユニットを介して、本線電力にコードで接続された常駐プロダクトＡｐｐを有し得る。前述のように、電気管理ユニットは、個々の電力回路を識別するおよびそれらの回路への電力を個別に、選択的に変更するように構成されたプロセッサを含み得る。電気管理ユニットがそのように構成される場合、１つまたは複数の電力制御ユニットの使用はオプションである。電気管理ユニットは、電気産業参加者から直接に（たとえば、パーソナルコントローラまたはサービスプラットフォームを介さずに）事象トリガを受信するために、電気産業参加者とのワイヤレスまたはワイヤード通信向けに構成された通信モジュールを含み得る。
【０２０７】
[00220]  図４、４Ａ、４Ｂおよび４Ｃを参照すると、電気管理ユニットが、敷地に電気を供給するために事前支払いを必要とする場合、プロダクトＡｐｐは、好ましくは、事前支払いを円滑にするように構成することができ、電気管理ユニットへのクレジットのロードにおいて任意の適切な通信パスを使用することができる。
【０２０８】
[00221]  図５は、本開示のもう１つの好ましい実施形態によるアクセスアドミニストレータ８００を示す。アクセスアドミニストレータ８００は、アクセスアドミニストレータ２００のシステムの代替構成の一例を提供する。アクセスアドミニストレータ８００は、好ましくは、Ｗｉ−Ｆｉ通信８０２、Ｗｉ−Ｆｉアンテナ８０４、Ｂｌｕｅｔｏｏｔｈ通信８０６、Ｂｌｕｅｔｏｏｔｈアンテナ８０８、内蔵メモリを有するシステムマイクロコントローラ８１０、永続的時計カレンダ８１２、電気管理ユニット通信８１４、電気管理ユニット通信アンテナ８１６、電力線結合器８１８、電力線接続８２０、およびシステム電力供給装置８２２を含む。Ｗｉ−Ｆｉ通信８０２およびＢｌｕｅｔｏｏｔｈ通信８０６は、少なくとも１つの適切に構成された無線および回路を各々含むことになることが、理解されよう。いくつかの好ましい実施形態では、システムマイクロコントローラ８１０は、内蔵メモリに加えて、または内蔵メモリの代わりに、外部メモリをサポートすることが好ましいことがある。いくつかの好ましい実施形態では、単一アンテナを可能にする構成要素、ＳｉＰ、ＰｏＰまたはＳｏＣとしてＷｉ−Ｆｉ通信８０２およびＢｌｕｅｔｏｏｔｈ通信８０６を統合することが好ましいことがある。前述のシステムは、本開示の範囲を逸脱することなしに多数の方法で変更され得ることが、当業者には理解されよう。
【０２０９】
[00222]  図６は、本開示のもう１つの好ましい実施形態によるアクセスアドミニストレータ９００を示す。アクセスアドミニストレータ９００は、アクセスアドミニストレータ２００のシステムの好ましい構成の一例を提供する。アクセスアドミニストレータ９００は、ワイヤレス通信９０２、永続的時計カレンダ９０４、ローカルネットワーク通信９０６、内蔵メモリを有するシステムマイクロコントローラ９０８、ワイヤレス通信アンテナ９１０、ローカルネットワーク通信アンテナ９１２、システム電力供給装置９１４および電力線接続９１６を好ましくは含む、物理デバイスである。いくつかの好ましい実施形態では、システムマイクロコントローラ９０８は、内蔵メモリに加えて、または内蔵メモリの代わりに、外部メモリをサポートすることが好ましいことがある。
【０２１０】
[00223]  ワイヤレス通信９０２は、好ましくは、ネットワークＷｉ−ＦｉおよびＷｉ−Ｆｉダイレクト通信能力の両方を個々にまたは並行して提供する、集積回路、構成要素、コントローラ、トランシーバ、無線、メモリ、マイクロプロセッサ、およびアンテナの任意の組合せおよび数を使用する。いくつかの好ましい実施形態では、ワイヤレス通信９０２は、好ましくは、ワイヤレスＢｌｕｅｔｏｏｔｈ通信能力を提供するために、集積回路、構成要素、コントローラ、トランシーバ、無線、メモリ、マイクロプロセッサ、およびアンテナの任意の組合せおよび数を含む。
【０２１１】
[00224]  ローカルネットワーク通信９０６は、好ましくは、同時にまたは並行して実行する、２つ以上のワイヤレスパーソナルエリアネットワーク、たとえばジグビー、を提供するために、集積回路、構成要素、コントローラ、トランシーバ、無線、メモリ、マイクロプロセッサ、およびアンテナの任意の組合せおよび数を含み、そこで、同時のまたは並行するジグビーネットワークのそれぞれは、それが望ましい場合には、異なるジグビープロトコル、規格、アプリケーションプロファイルまたは仕様を使用して動作することができる。好ましくは、ローカルネットワーク通信９０６は、２つのセットのネットワークパラメータを維持することによって２つのジグビーネットワークに参加するように構成された単一ＩＥＥＥ８０２．１５．４無線を有するデュアルネットワーク対応ＳｏＣ、ＰｏＰまたはＳｉＰで構成される。１つの好ましい実施形態では、ローカルネットワーク通信９０６は、好ましくは、複数のアプリケーションプロファイルで構成された単一ＩＥＥＥ８０２．１５．４無線、またはジグビー３．０以降などの単一の統一された規格に様々なジグビー規格を合併するジグビーのバージョンを使用し得る。ローカルネットワーク通信９０６が、ジグビー３．０以降などのジグビーの統一された規格を使用する場合、それは、好ましくは、楕円曲線暗号法に基づく追加のセキュリティなどのジグビースマートエネルギをサポートするために具体的に実装されるセキュリティ対策を含み得る。
【０２１２】
[00225]  １つの好ましい実施形態では、ローカルネットワーク通信９０６は、好ましくは、同時にまたは選択的に動作する、２．４ＧＨｚのキャリア周波数および１ＧＨｚ未満の周波数でのジグビー通信を伝送するために、集積回路、構成要素、コントローラ、トランシーバ、無線、メモリ、マイクロプロセッサ、およびアンテナの任意の組合せおよび数を含み得る。
【０２１３】
[00226]  電力線接続９１６は、建物内の本線電力配線にアクセスアドミニストレータ９００を接続するための物理インターフェースである。１つの好ましい実施形態では、電力線接続９１６は、好ましくは、アクセスアドミニストレータ９００が本線電力汎用コンセントに直接プラグ接続することを可能にするＮＥＭＡ５−１５ノースアメリカンまたはＢＳ１３６３本線電力規格との互換性をもつように構成される。１つの好ましい実施形態では、アクセスアドミニストレータ９００は、完全に内蔵型のプラグインパックまたは「電源アダプタ」の物理的形状を取り得る。もう１つの好ましい実施形態では、アクセスアドミニストレータ９００は、テーブルトップユニットとして構成することができ、電力アダプタを使用することができる。もう１つの好ましい実施形態では、電力線接続９１６は、好ましくは、建物または構造体の本線電力に直接ワイヤ接続するように構成されたターミナルブロックを組み込むことができ、壁パネル内に、または壁掛け式パネルの後ろに構成され得る、あるいは汎用電力コンセントに統合され得る。もう１つの好ましい実施形態では、アクセスアドミニストレータは、スイッチボックスまたはヒューズボックス内にインストールするためのＤＩＮレール装着式モジュールとして構成され得る。アクセスアドミニストレータ９００は、本開示の範囲を逸脱することなしに様々な国およびアプリケーションの配線、接続、取り付け、プラグおよびソケット、ならびに電流および電圧要件に従って構成され得ることが、理解されよう。
【０２１４】
[00227]  図７は、本開示のもう１つの好ましい実施形態によるアクセスアドミニストレータ１０００を示す。アクセスアドミニストレータ１０００は、アクセスアドミニストレータ２００の構成要素の好ましい構成の一例を提供する。アクセスアドミニストレータ１０００は、ワイヤレス通信アンテナ１０１０でのワイヤレス通信１００２、永続的時計カレンダ１００４、ローカルネットワーク通信アンテナ１０１８でのローカルネットワーク通信１００６、ローカルネットワーク通信アンテナ１０２０でのローカルネットワーク通信１０１２、内蔵メモリを有するシステムマイクロコントローラ１００８、システム電力供給装置１０１４および電力線接続１０１６を好ましくは含む、物理デバイスである。いくつかの好ましい実施形態では、内蔵メモリに加えて、または内蔵メモリの代わりに、外部メモリをサポートすることがシステムマイクロコントローラ１００８にとって望ましいことがある。
【０２１５】
[00228]  ワイヤレス通信１００２は、ネットワークＷｉ−ＦｉおよびＷｉ−Ｆｉダイレクト通信能力の両方とワイヤレスＢｌｕｅｔｏｏｔｈ通信能力とを個々にまたは並行して提供する、集積回路、構成要素、コントローラ、トランシーバ、無線、メモリ、マイクロプロセッサ、およびアンテナの任意の組合せおよび数を好ましくは使用する。好ましくは、ワイヤレス通信１００２は、Ｗｉ−ＦｉおよびＢｌｕｅｔｏｏｔｈ通信の両方とワイヤレス通信アンテナ１０１０のための共用アンテナサポートを含むネットワーク要件とを管理するために、メモリ、Ｗｉ−Ｆｉ無線、Ｂｌｕｅｔｏｏｔｈ無線および専用マイクロコントローラで構成されたＳｏＣ、ＰｏＰまたはＳｉＰである。
【０２１６】
[00229]  ローカルネットワーク通信１００６は、ジグビースマートエネルギプロトコル、規格、アプリケーションプロファイルまたは仕様に従って動作するために、集積回路、構成要素、コントローラ、トランシーバ、無線、メモリ、アンテナおよびマイクロプロセッサの任意の組合せおよび数を好ましくは含む。１つの好ましい実施形態では、ローカルネットワーク通信１００６は、エンドデバイスまたはルータとして電気管理ユニット３００によって調整されたジグビースマートエネルギネットワークに参加するためにネットワークパラメータを含む通信およびジグビースマートエネルギネットワーク要件を管理するためにメモリ、単一ＩＥＥＥ８０２．１５．４無線および専用マイクロコントローラを含むＳｏＣ、ＰｏＰまたはＳｉＰでもよい。２つ以上のアンテナが使用され得るが、ローカルネットワーク通信１００６は、好ましくは、ローカルネットワーク通信アンテナ１０１８を介して通信し、ローカルネットワーク通信１００６は、２．４ＧＨｚのキャリア周波数および１ＧＨｚ未満の周波数など、２つ以上のキャリア周波数で同時にまたは選択的に動作するように構成される。
【０２１７】
[00230]  ローカルネットワーク通信１０１２は、ジグビー３．０以降など、ホームオートメーションに適したジグビープロトコル、規格、アプリケーションプロファイルまたは仕様に従って動作するために、集積回路、構成要素、コントローラ、トランシーバ、無線、メモリ、アンテナおよびマイクロプロセッサの任意の組合せおよび数を好ましくは含む。１つの好ましい実施形態では、ローカルネットワーク通信１００６は、通信とジグビー３．０ネットワークを調整するためのネットワークパラメータを含むジグビー３．０ネットワーク要件とを管理するためにメモリ、単一ＩＥＥＥ８０２．１５．４無線および専用マイクロコントローラを含む、ＳｏＣ、ＰｏＰまたはＳｉＰでもよい。２つ以上のアンテナが使用され得るが、ローカルネットワーク通信１０１２は、好ましくは、ローカルネットワーク通信アンテナ１０２０を介して通信し、ローカルネットワーク通信１０１２は、２．４ＧＨｚのキャリア周波数および１ＧＨｚ未満の周波数など、２つ以上のキャリア周波数で同時にまたは選択的に動作するように構成される。
【０２１８】
[00231]  電力線接続１０１６は、建物内の本線電力配線にアクセスアドミニストレータ１０００を接続するための物理インターフェースである。１つの好ましい実施形態では、電力線接続１０１６は、好ましくは、アクセスアドミニストレータ１０００が本線電力汎用コンセントに直接プラグ接続することを可能にするＮＥＭＡ５−１５ノースアメリカンまたはＢＳ１３６３本線電力規格との互換性をもつように構成される。１つの好ましい実施形態では、アクセスアドミニストレータ１０００は、完全に内蔵型のプラグインパックまたは「電源アダプタ」の物理的形状を取り得る。もう１つの好ましい実施形態では、アクセスアドミニストレータ１０００は、テーブルトップユニットとして構成することができ、電力アダプタを使用することができる。もう１つの好ましい実施形態では、電力線接続１０１６は、好ましくは、建物または構造体の本線電力に直接ワイヤ接続するように構成されたターミナルブロックを組み込むことができ、壁パネル内に、または壁掛け式パネルの後ろに構成するあるいは汎用電力コンセントに統合することができる。もう１つの好ましい実施形態では、アクセスアドミニストレータは、スイッチボックスまたはヒューズボックス内部にインストールするためにＤＩＮレール装着式モジュールとして構成され得る。アクセスアドミニストレータ１０００は、本開示の範囲を逸脱することなしに様々な国およびアプリケーションの配線、接続、取り付け、プラグおよびソケット、ならびに電流および電圧要件に従って構成され得ることが、理解されよう。
【０２１９】
[00232]  アクセスアドミニストレータ１０００は、システムマイクロコントローラ１００８が、ワイヤレス通信１００２、ローカルネットワーク通信１００６および／またはローカルネットワーク通信１０１２のＳｉＰ、ＰｏＰまたはＳｏＣ実装形態のマイクロコントローラおよびメモリを使用して機能を実行する、または機能の実行においてシステムマイクロコントローラ１００８をサポートすることができ、それによって、いくつかの処理要素にわたって計算負荷を分かち合い、アクセスアドミニストレータ１０００の計算電力を最大化することができるように、好ましくは構成される。一例として、ジグビースマートエネルギアプリケーションプロファイルは、好ましくは、ローカルネットワーク通信１００６のＳｉＰ、ＰｏＰまたはＳｏＣ実装形態のメモリに記憶され、システムマイクロコントローラ１００８ではなくてローカルネットワーク通信１００６内のマイクロコントローラによって実行される。
【０２２０】
[00233]  １つの好ましい実施形態では、システムマイクロコントローラ１００８の機能的能力は、ワイヤレス通信１００２、ローカルネットワーク通信１００６および／またはローカルネットワーク通信１０１２のＳｉＰ、ＰｏＰまたはＳｏＣ実装形態内に統合することができ、ＳｉＰ、ＰｏＰまたはＳｏＣマイクロコントローラは、システムマイクロコントローラの役割も実行するのに十分な力を有する。外部メモリは、それが望ましい場合、アクセスアドミニストレータ１０００内のＳｉＰ、ＰｏＰまたはＳｏＣに追加され得る。
【０２２１】
[00234]  ここで図８を見ると、例示的構成手続き１１００が、本開示の好ましい一実施形態におけるスマートフォン１０によるＷｉ−Ｆｉネットワークのクライアントとしてのアクセスアドミニストレータ２００の構成のために示される。構成手続き１１００は、スマートフォンオペレーティングシステムに関して説明されているが、構成手続き１１００は、そのように制限されず、プロダクトＡｐｐによって実行することができ、プロダクトＡｐｐは、必要に応じてスマートフォンワイヤレス通信を制御することができる。
【０２２２】
[00235]  工程１１０２で、スマートフォン１０は、図２のＷｉ−Ｆｉネットワークアクセスポイント１４など、ネットワークアクセスポイントに接続される。工程１１０４で、電力が、第１の時間にアクセスアドミニストレータ２００に適用され、アクセスアドミニストレータ２００がそれのシステムのすべてを実行することを可能にする。工程１１０６で、Ｗｉ−ＦｉネットワークアクセスポイントをシミュレートするまたはＳｏｆｔＡＰとして動作するように構成されたワイヤレス通信２０２が、それのネットワーク情報をワイヤレスにビーコンで送り始める。ワイヤレスビーコンは、好ましくは、識別子を解釈するように構成されたＷｉ−Ｆｉデバイスに未構成のネットワークＷｉ−Ｆｉデバイスとしてアクセスアドミニストレータ２００をレポートする識別子またはサービス発見構成要素を含む。工程１１０８で、スマートフォンのワイヤレストランシーバを介するスマートフォンオペレーティングシステムが、アクセスアドミニストレータ２００ビーコンを受信し、そのビーコン内の識別子から、アクセスアドミニストレータ２００が未構成のアクセスアドミニストレータであると判定し、スマートフォンタッチ画面を介してユーザに、それが新しい未構成のアクセスアドミニストレータを検出したとレポートする。工程ｌ１１０で、スマートフォンオペレーティングシステムが、ユーザに自身はアクセスアドミニストレータ２００が知られているＷｉ−Ｆｉネットワーク、好ましくはスマートフォン１０が現在接続されているネットワーク、に加わることを望むかを尋ねる。工程１１１２で、スマートフォン画面のタッチ入力を介するユーザは、スマートフォンオペレーティングシステムによって知られているネットワークに未構成のアクセスアドミニストレータが加わることをユーザが望むことを確認する。
【０２２３】
[00236]  工程１１１４で、スマートフォンオペレーティングシステムは、スマートフォン１０とシステムマイクロコントローラ２０６との間の通信リンクの確立において、またはネットワーククライアントとして構成中に使用されることになる特定の名を未構成のアクセスアドミニストレータ２００に与える際に、使用されるセキュリティコードなど、望ましいまたは必要とされるパラメータをユーザが入力することを必要とし得る。スマートフォン１０によって知られているネットワークのクライアントとしてスマートフォン１０によるアクセスアドミニストレータ２００の構成の最速のおよび最も簡単な機構の提供が望ましい場合、または、アクセスアドミニストレータ２００に一意の名を与えることなど、アクセスアドミニストレータ２００がクライアントとして構成され、ネットワークに接続された後に、工程１１１４の要素が実行され得る場合に、工程１１１４は除外され得ることが、理解されよう。
【０２２４】
[00237]  工程１１１６で、スマートフォンオペレーティングシステムは、ネットワークアクセスポイントをシミュレートするまたはＳｏｆｔＡＰとして動作するように好ましくは構成されたアクセスアドミニストレータ２００と安全なピアツーピアＷｉ−Ｆｉ接続を確立する。アクセスアドミニストレータ２００が、ユーザが手動で任意のセキュリティ資格情報を入力することを必要とせずに認証ハンドシェイクを使用してスマートフォン１０との安全な接続を自動的に確立することができるように、安全なピアツーピアＷｉ−Ｆｉ接続のオープンは、アクセスアドミニストレータ２００に統合された認証ハードウェア、ファームウェアまたはソフトウェアとスマートフォン１０との使用を含み得る。スマートフォン１０が、ネットワークアクセスポイントとＷｉ−ＦｉネットワークアクセスポイントをシミュレートするまたはＳｏｆｔＡＰとして動作するデバイス、たとえばアクセスアドミニストレータ２００、との並行接続をサポートすることができない場合、スマートフォン１０は、アクセスアドミニストレータ２００と安全なピアツーピアＷｉ−Ｆｉ接続を確立するために、Ｗｉ−Ｆｉネットワークアクセスポイントからの接続を切ることができることが、理解されよう。
【０２２５】
[00238]  工程１１１８で、アクセスアドミニストレータ２００が、ネットワークＷｉ−Ｆｉクライアントデバイスとして、指定されたネットワークに加わることができるように、スマートフォンオペレーティングシステムは、ネットワークパスワード、および任意の他の望ましいもしくは必要なパラメータを含む、知られているネットワークのネットワーク資格情報でアクセスアドミニストレータ２００を構成する。工程１１２０で、スマートフォンオペレーティングシステムは、アクセスアドミニストレータ２００とのピアツーピアＷｉ−Ｆｉ接続を終了する。スマートフォンオペレーティングシステムが、工程１１１６でアクセスアドミニストレータ２００とピアツーピアＷｉ−Ｆｉ接続を確立するために、ネットワークアクセスポイントからの接続を切る場合、スマートフォンオペレーティングシステムは、好ましくは、ネットワークアクセスポイントとの接続を再確立する。工程１１２２で、アクセスアドミニストレータ２００は、スマートフォンオペレーティングシステムからのネットワーク構成データを使用して、ネットワークＷｉ−Ｆｉデバイスとして供給されたネットワークパラメータに従ってそれ自体を構成し、指定されたネットワークアクセスポイントにクライアントとして接続し、その後、アクセスアドミニストレータ２００およびスマートフォン１０は、好ましくは、互いを見つけ、ネットワークアクセスポイントを介して通信することができる。
【０２２６】
[00239]  １つの好ましい実施形態では、アクセスアドミニストレータ２００およびスマートフォン１０が構成手続き１１００においてピアツーピア接続の確立の際にＷｉ−Ｆｉダイレクトを使用することが好ましいことがある。
【０２２７】
[00240]  構成手続き１１００において概説されるある種の工程は、本開示の範囲を逸脱することなしに、修正、削除、または追加され得ることが、理解されよう。たとえば、構成手続き１１００は、スマートフォンオペレーティングシステムではなくてプロダクトＡｐｐによって実行するようになされ得る。もう１つの例として、スマートフォンオペレーティングシステムは、アクセスアドミニストレータがスマートフォンからネットワークパラメータを無事に受信したというアクセスアドミニストレータによる確認の後にアクセスアドミニストレータ２００にそれの構成手続きを開始させることができ、あるいはアクセスアドミニストレータ２００のシステムマイクロコントローラ２０８は、そのスマートフォンとのピアツーピア接続を終了し、スマートフォンオペレーティングシステムがプロセスを初期化する必要なしに、スマートフォンからネットワークパラメータを無事に受信した後にそれの構成手続きを開始することができる。
【０２２８】
[00241]  本システムは、好ましくは、ユーザが自身のエネルギコストを制御するのを助けるための予算機能を含む。好ましくは、ユーザは、定義された期間の所望の予算をプロダクトＡｐｐの１つまたは複数のフィールドに入力することができる。図４を参照すると、プロダクトＡｐｐは、好ましくは、電気管理ユニット３００からのデータおよび／またはサービスプラットフォーム５００からのデータを使用して、定義された予算期間内の関連するサンプル期間の現在の累積消費量を表示することができ、それによって、ユーザが自身の予算のうちのどのくらいがその時点で使用されているかを判定することを可能にする。プロダクトＡｐｐは、好ましくは、分析されたサンプル期間にわたる平均消費量を計算し、その平均を定義された予算期間に適用して、消費量の現在の平均レートが、所望の予算が超過される結果をもたらすことになるかを判定する。プロダクトＡｐｐは、グラフィックでおよび／または数値で結果を視覚的に表示し、定義された予算期間について予想されるコストの指示を提供することができる。１つの好ましい実施形態では、レート消費量の現在のレートが、所望の予算が超過される結果をもたらすことになる場合、プロダクトＡｐｐは、所望の予算に合わせて目標消費量レートを提案することができる。
【０２２９】
[00242]  一例として、毎週の予算が、＄５の毎日の予算に対応して、＄３５にプロダクトＡｐｐにおいてユーザによって設定され得る。予算期間の最初の４日間にわたる電気消費量が、電気管理ユニット３００によって、１日目＝＄４、２日目＝＄５、３日目＝＄６、４日目＝＄７のように記録され得る。１日目の終わりに、プロダクトＡｐｐは、１つのみの１日のサンプルセットとともに、累積消費量を＄４で示し、７日の予算期間にわたり＄４平均を使用して、現在の平均レートの消費量での予算期間の最後に予想されるコストは＄２８になると算出することになる。２日目の終わりに、プロダクトＡｐｐは、現在の累積消費量を＄９（１日目＋２日目）で示すことになり、２つの日ごとのサンプルを合計し、サンプル日の数で割って、１日ごとの平均を確定し、次いで、予算期間の７日をこれに掛けて、現在の平均レートの消費量での予算期間の最後に予想されるコストを＄３１．５０と算出することになる。（＄４＋＄５）／２×７＝＄３１．５０。したがって、プロダクトＡｐｐの現在の平均レートの消費量での予算期間の最後に予想されるコストは、２日目の消費量のより高いレベルを所与として＄３１．５０に改定することになる。３日目の終わりに、同技法を使用するプロダクトＡｐｐは、＄３５の予算期間の最後に予想されるコストとともに＄１５の累積消費量を示すことになる。４日目の終わりに、同技法を使用するプロダクトＡｐｐは、＄３８．５０の予算期間の最後に予想されるコストとともに＄２２の累積消費量を示すことになる。したがって、プロダクトＡｐｐの現在のレートの消費量での予算期間の最後の予想されるコストは、＄３８．５０に修正することになり、その時点で、プロダクトＡｐｐは、好ましくは、現在の平均レートの消費量を維持すれば予算を超過することになると指示することになる。そのように構成された場合、プロダクトＡｐｐは、＄３５の所望の予算を満たす７日間全体の平均を配信するために、残りの３日間の消費量の毎日の平均目標を＄４．３３で提案することができる。
【０２３０】
[00243]  １つの好ましい実施形態では、ユーザの現在の累積消費量が自身の目標のどのくらい上にまたは下に向かっているかの判定における比較基準を提供するために、実際の累積消費量に関連して各時点での目標累積消費量を表示することがプロダクトＡｐｐにとって望ましいことがある。
【０２３１】
[00244]  任意の予算期間またはサンプルレートが、本開示の範囲を逸脱することなしに使用され得ることが、理解されよう。一例として、予算期間が２４時間に設定され、正確な予算追跡が必須または望ましい場合、サンプルレートは５分以下に減らすことができる。
【０２３２】
[00245]  一部の市場では、電気の供給は、消費されたエネルギの量に適用される単価に加えて、サービス料または固定費を含む。その場合、プロダクトＡｐｐは、好ましくは、任意の予算計算のために使用される時間スケールにおいて固定の構成要素としてサービス料または固定費を割り当てる。一例として、うるう年以外の＄３６５の年間サービス料は、単位当たりレートでの任意の電気消費量が所望の毎日の予算に対する追跡において追加されることになる固定構成要素としての１日当たり＄１．００のサービス料に対応することになる。プロダクトＡｐｐは、好ましくは、サービスプラットフォーム５００から顧客の特定のサービス料または固定費をダウンロードし、入手可能であれば電気管理ユニット３００からそれを取得することができ、またはユーザがプロダクトＡｐｐに手動で直接それを入力し得ることを可能にする。
【０２３３】
[00246]  １つの好ましい実施形態では、プロダクトＡｐｐは、好ましくは、バックグラウンドで予算計算を行い、それが、現在のレートのレート消費量が所望の予算が超過される結果をもたらすことになると算出した場合、ユーザに警告することができる。
【０２３４】
[00247]  再び図４を参照すると、１つの好ましい実施形態では、プロダクトＡｐｐを介するユーザは、好ましくは、アクセスアドミニストレータ２００、またはサービスプラットフォーム５００において予算閾値を手動でまたは自動的に設定することができ、それは、予算通知または警告を生成するためのトリガとして使用され得る。予算閾値は、ユーザが定義された期間にわたって支払いを望む、電気の所望の支払請求可能な総額である。一例として、これは、１日当たり＄５．００でもよい。アクセスアドミニストレータ２００は、好ましくは、連続的にまたは定期的に電気管理ユニット３００にポーリングし、予算期間の開始から予算期間内の要求時までに消費された電気の総額を電気管理ユニット３００に要求し、これをユーザ定義の予算閾値と比較して、予算閾値が超過されたかを判定する。
【０２３５】
[00248]  一例として、予算期間が００：００に始まる２４時間であり、予算閾値が＄５．００である場合、アクセスアドミニストレータ２００は、好ましくは、１５分増加などの定義されたサンプルレートに従って電気管理ユニット３００を定期的にポーリングし、００：００の予算期間の開始までにその時点で消費された電気の総額を要求する。その方法では、一例として、００：１５でのアクセスアドミニストレータ２００は、００：００から００：１５までに消費された電気のコストについて電気管理ユニット３００に要求し、その後の２４時間にわたり１５分経つごとにこれを行い続ける。１０：００に、アクセスアドミニストレータ２００は、００：００から１０：００までに消費された電気のコストについて電気管理ユニット３００に要求することになる。アクセスアドミニストレータ２００は、好ましくは、要求時間から予算期間の開始に遡って消費された電気の総額を電気管理ユニット３００に要求し続ける。要求された期間中の場合、電気管理ユニット３００は、予算閾値より大きい統合された消費量をレポートし、アクセスアドミニストレータ２００は、好ましくは、プロダクトＡｐｐに予算が超過されたという通知または警告を送信する。警告は、図４に関する通信トポロジにおいて概説したようにプロダクトＡｐｐへの任意の使用可能な通信パスを使用することができ、たとえば、スマートフォン１０がアクセスアドミニストレータ２００のピアツーピア範囲外にあるまたはアクセスアドミニストレータ２００と同じＷＬＡＮにローカルに接続されない場合、サービスプラットフォーム５００およびスマートフォン１０へのセルラデータ接続を含み得る。
【０２３６】
[00249]  １つの好ましい実施形態では、アクセスアドミニストレータ２００において予算閾値を設定するのではなくて、プロダクトＡｐｐは、サービスプラットフォーム５００において予算閾値を設定することができる。アクセスアドミニストレータ２００を介するサービスプラットフォーム５００、またはサービスプラットフォーム５００のためにアクセスアドミニストレータは、好ましくは、予算期間の開始から要求時までに消費された電気の総額を電気管理ユニット３００から連続的にまたは定期的に取得し、このデータをサービスプラットフォーム５００に送り、サービスプラットフォーム５００は、要求期間中に消費された電気の総額を予算閾値と比較し、閾値が超過された場合にはプロダクトＡｐｐに予算通知または警告を送信する。１つの好ましい実施形態では、プロダクトＡｐｐが、サービスプラットフォーム５００において予算閾値を設定するために使用される場合、サービスプラットフォーム５００は、好ましくは、アクセスアドミニストレータ２００からのデータではなくて、またはアクセスアドミニストレータ２００からのデータに加えて、高度計量インフラストラクチャまたは広域ネットワークを介して電気管理ユニット３００から消費された電気の総額に対応するデータを受信することができる。一例として、これは、市場オペレータ１８または電気産業参加者２０からの顧客の支払請求可能なデータでもよい。
【０２３７】
[00250]  １つの好ましい実施形態では、予算期間の開始から動く総額をローカルに記録または更新することがアクセスアドミニストレータ２００またはサービスプラットフォーム５００にとって望ましいことがある。
【０２３８】
[00251]  １つの好ましい実施形態では、実際の予算閾値は、所望の予算閾値が超過される前に通知または警告が生成されることを可能にする所望の予算閾値のパーセンテージでもよい。一例として、所望の予算閾値が、１日当たり＄５．００である場合、プロダクトＡｐｐによって使用またはプログラムされる実際の予算閾値は、＄４．００の実際の予算閾値の所望の予算閾値の８０％でもよく、それによって、所望の予算閾値が超過される前に通知または警告を生成する。任意の望ましいパーセンテージが、本開示の範囲を逸脱することなしに使用可能であり、複数の通知または警告が、消費量が所望の予算閾値に近づくときに２つ以上の警告を提供するために、異なる予算閾値パーセンテージで生成され得ることが、理解されよう。
【０２３９】
[00252]  １つの好ましい実施形態では、プロダクトＡｐｐを介するユーザは、好ましくは、アクセスアドミニストレータ２００またはサービスプラットフォーム５００において予算閾値を手動でまたは自動的に設定することができ、それは、予算閾値または予算閾値のパーセンテージが満たされることに応答してそれにスイッチを切らせるまたは電力消費量を減らさせる選択されたホームオートメーションデバイスへの事前構成されたコマンドを実行するためのトリガとしてアクセスアドミニストレータ２００またはサービスプラットフォーム５００によって使用され得る。
【０２４０】
[00253]  プロダクトＡｐｐ、サービスプラットフォーム５００およびアクセスアドミニストレータ２００の予算閾値機能は、本開示の範囲を逸脱することなしにいくつかの方法で修正され得ることが、理解されよう。たとえば、電気管理ユニット３００のポーリングにおいてアクセスアドミニストレータ２００が使用するサンプルレートは、任意の望ましい時間間隔でもよく、数秒から数時間に及んでもよく、あるいは電気管理ユニット３００のデータリフレッシュレートまたは作成レートに制限されてもよい。もう１つの例として、予算期間は、任意の望ましい時間間隔、たとえば日、週、月、年など、でもよく、任意の望ましい時刻に開始し得る。もう１つの例として、電気管理ユニット３００は、プロダクトＡｐｐ、アクセスアドミニストレータ２００またはサービスプラットフォーム５００が電気管理ユニット３００をポーリングすることを必要とするのではなくてネットワークに消費量データを作成または公開するように構成され得る。
【０２４１】
[00254]  図９Ａは、本開示の好ましい一実施形態によるプロダクトＡｐｐ内の予算ツール１２００の図的記述である。フィールド１２０２で、ユーザは、好ましくは、予算期間の予算閾値を入力することができる。フィールド１２０４で、プロダクトＡｐｐは、好ましくは、その予算閾値を使用して視覚的インジケータ１２１６において最大予算値を追加する。フィールド１２０６で、プロダクトＡｐｐは、好ましくは、視覚的インジケータ１２１６において開始予算値を表示する。これは、好ましくは、名目ゼロ通貨価値であり、公益事業体は、サービス料もしくは固定費、または、その予算期間について割り当てられたサービス料もしくは固定費に対応する値を適用しない。フィールド１２０８で、プロダクトＡｐｐは、好ましくは、予算期間内の残りの時間を表示する。フィールド１２１０で、プロダクトＡｐｐは、好ましくは、サンプル期間についての現在の累積消費量を表示する。１２１２で、視覚的インジケータ１２１６は、好ましくは、予算閾値との関連で現在の累積消費量を表示する。現在の累積消費量が、サンプル期間の予算閾値を超える場合、視覚的インジケータは、好ましくは、ポイント１２１４まで、緑色など、色で区分し、それはサンプル期間の予算閾値目標を示す数値を好ましくは含む。ポイント２０１４は、好ましくは、以下によって計算される：予算閾値を取ること、予算期間の任意のサービスまたは固定費を追加すること、その結果を予算期間内のサンプルの総数で割って単位時間当たりの平均通貨価値を判定すること、次いで、その単位時間当たりの平均通貨価値にサンプル期間内のサンプルの数を掛けること。ポイント２０１４の後、視覚的インジケータは、好ましくは、インジケータ１２１８まで、赤など、異なる色で区分することになり、インジケータ１２１８は現在の累積消費量１２１０に対応する。現在の累積消費量が、サンプル期間の累積予算閾値平均より少ない場合、ポイント２０１４およびインジケータ１２１８は、好ましくは、インジケータ１２１８の右に現われるポイント２０１４と相対的位置を交換する。ポイント２０１４とインジケータ１２１８との間で、視覚的インジケータ１２１６は、好ましくは、より明るい緑色などの異なる色または網掛けを使用して、サンプル期間の予算閾値目標より少ない現在の累積消費量追跡を示すことができる。フィールド１２２０で、プロダクトＡｐｐは、好ましくは、予算期間の最後に予想されるコストを表示する。
【０２４２】
[00255]  図９Ｂは、本開示の好ましい一実施形態によるプロダクトＡｐｐ内の情報画面１３００の図的記述である。フィールド１３０２で、プロダクトＡｐｐは、好ましくは、単位時間当たりのコストで表される現在のエネルギ使用を表示する。フィールド１３０４で、プロダクトＡｐｐは、好ましくは、エネルギの単位当たりの価格に対応する数値でおよび現在の料金が料金スケール内のどこに位置するかを表す視覚的インジケータを介して現在の料金を表示する。１つの好ましい実施形態では、料金フィールドは、次の料金がいくらかおよびそれが実施される時間のインジケータを含み得る。これは、好ましくは、時間スケールグラフィックの動的更新を使用することができる。フィールド１３０６で、プロダクトＡｐｐは、好ましくは、当日の現在の累積消費量を表示する。フィールド１３０８で、プロダクトＡｐｐは、好ましくは、フィールド１２０２に入力された予算閾値から導出されるその日の予算閾値を表示する。フィールド１３１０で、プロダクトＡｐｐは、好ましくは、開始予算値を表示する。これは、好ましくは、公益事業体がサービス料または固定費を適用しない名目ゼロ通貨価値、あるいは、１日に割り当てられたサービス料または固定費に対応する値である。１３１２で、視覚的インジケータは、好ましくは、毎日の予算閾値のうちのどのくらいがその時点までに消費されたかを示す。視覚的インジケータは、色を使用して、所望の目標予算内のまたは所望の目標予算外の状態を指示することができる。視覚的インジケータ１３１４は、好ましくは、所望の属性を伝達するように構成される。１つの好ましい実施形態では、視覚的インジケータ１３１４は、好ましくは、単位時間当たりのコストで表される現在のエネルギ使用が電気管理ユニット３００の単位時間当たりのコストで表される平均エネルギ使用と比較してどこにランクを占めるかを表示するように構成され、それによって、ユーザが自身の現在のエネルギ使用の相対的経費を判定できるようにする。１つの好ましい実施形態では、視覚的インジケータ１３１４は、好ましくは、家庭電気管理ユニット３００がインストールされた同等の世帯の単位時間当たりのコストで表される平均世帯エネルギ使用と比較して単位時間当たりのコストで表された現在のエネルギ使用がどこにランクするかを表示するように構成される。サービスプラットフォーム５００からのデータは、視覚的インジケータ１３１４において望ましい属性を計算しグラフィックで提示する際に使用され得ることが、理解されよう。
【０２４３】
[00256]  図９Ｃは、本開示の好ましい一実施形態によるプロダクトＡｐｐ内の器具測定ツール１４００の図的記述である。フィールド１４０２で、ユーザは、好ましくは、フィールド１４０６に表示された瞬間電力をゼロにすることができ、そのデータは電気管理ユニット３００から獲得される。フィールド１４０４で、ユーザは、好ましくは、測定プロセスを開始することができ、それによって、プロダクトＡｐｐは、好ましくは、測定が求められる器具の電源を入れるようにユーザに指示する。その器具のスイッチが入れられたことによってもたらされる瞬間電力の変化が、電気管理ユニット３００によって、電気管理ユニット自体のサンプルレートおよびレポートパラメータに従って、検知およびレポートされ得るように、電気管理ユニット３００と通信するプロダクトＡｐｐは、好ましくは、所定の期間、たとえば２０秒間、待つ。測定期間の最後に、プロダクトＡｐｐは、好ましくは、測定期間中に機器によって消費された電力に対応する瞬間電力差でフィールド１４０６を更新する。フィールド１４０８で、ユーザは、好ましくは、自身が器具を使用する１日当たりの時間数を入力することができる。別法として、フィールド１４１０で、ユーザは、好ましくは、洗濯機など、毎日ではなくて定期的に使用される器具についてより便利な、自身がその器具を使用する週ごとの時間数を入力することができる。プロダクトＡｐｐは、好ましくは、瞬間電力差測定、現在の料金および器具が１日または１週間当たりに使用された時間数を使用して、フィールド１４１２で１カ月当たりのおよびフィールド１４１４で１年当たりの器具を使用するためのおおよそのコストを計算する。電気管理ユニット３００が、使用時間料金を請求するように構成される場合、プロダクトＡｐｐは、好ましくは、フィールド１４１２および１４１４においていくつかの料金にわたる１週間または１カ月当たりのコストの内訳を示すように構成することができ、それによって、ユーザが異なる料金期間中に器具を稼働する影響を判定することを可能にする。
【０２４４】
[00257]  予算ツール１２００、情報画面１３００および器具測定ツール１４００は、本開示の範囲を逸脱することなしにいくつかの方法で修正され得ることが、理解されよう。一例として、フィールドは、必要に応じて、省略、追加または変更することができ、あるいは、異なる時間の単位、通貨、または値が、計算または結果の表示において使用され得る。もう１つの例として、１つまたは複数のフィールドにおいて表示される結果に影響を与える任意の基礎的数学的方程式は、料金変動、および、週、週末、昼および夜の間に消費されるエネルギの差などを考慮してより正確な分析または予測結果を配信するために精巧さを増し得る。
【０２４５】
[00258]  １つの好ましい実施形態では、プロダクトＡｐｐに入力される予算閾値は、好ましくは、サービスプラットフォーム５００に転送され、それは、好ましくは、電気管理ユニット３００と関連付けられる。予算閾値が、予算期間中に超過される場合、サービスプラットフォーム５００は、好ましくは、ユーザが予算期間の最後までに所望の予算閾値に到達する際に自身の電気消費量を減らすための工程をとったかを判定するために、電気管理ユニット３００からのデータを使用して消費される電力を記録する。サービスプラットフォーム５００は、関連する顧客の需要の価格弾力性が確認され得るように、好ましくは、予算閾値、予算閾値が超過された量、予算閾値が超過された頻度および予算閾値が超過された後の電気消費量のレベルを記録する。１つの好ましい実施形態では、サービスプラットフォーム５００は、顧客の予算閾値、実際に消費された電力の量およびそれらの価格弾力性に基づいて、顧客をランク付けることができる。本開示の態様は、様々な環境において使用することができる。単に一例として、本開示は、ガスメータ（たとえば、天然ガス）および水道メータ、ならびに、ＰＶソーラーシステムおよび／または風力タービンなどの家庭生成電気機器と使用するための電気メータ向けに適合され得る。
【０２４６】
[00259]  本開示の他の実施形態は、本明細書の考慮および本明細書で開示される開示の実施から当業者には明らかとうなろう。本明細書および例は単に例示として見なされ、本開示の真の範囲および趣旨は以下の特許請求の範囲において示されるものとする。
【図１】
2017529022.tif 000003
【図２】
2017529022.tif 000004
【図３】
2017529022.tif 000005
【図４】
2017529022.tif 000006
【図４Ａ】
2017529022.tif 000007
【図４Ｂ】
2017529022.tif 000008
【図４Ｃ】
2017529022.tif 000009
【図５】
2017529022.tif 000010
【図６】
2017529022.tif 000011
【図７】
2017529022.tif 000012
【図８】
2017529022.tif 000013
【図９Ａ】
2017529022.tif 000014
【図９Ｂ】
2017529022.tif 000015
【図９Ｃ】
2017529022.tif 000016
【国際調査報告】
2017529022.tif 000017
2017529022.tif 000018
2017529022.tif 000019
2017529022.tif 000020
2017529022.tif 000021
2017529022.tif 000022